(57)【要約】【課題】画像の劣化を抑制する。【解決手段】表示装置１０は、第１副画素から第４副画素が２行２列に配置される画素４８が、表示領域４３に行列状に複数配列され、画像情報が入力される画像表示パネル４０と、信号処理部２０と、を有し、信号処理部２０は、第１画素と、第２画素と、第３画素とにおいて、第２画素の各副画素の入力信号値を変化させるサブピクセルレンダリング処理を行うことを決定するレンダリング箇所決定部と、ポートレートモード、又はランドスケープモードのいずれかの処理方向における副画素の配列を、第１配列パターン又は第２配列パターンのパターン情報として取得するパターン情報取得部と、レンダリング箇所決定部の決定、及びパターン情報に基づき、第２画素の各副画素の入力信号に対し、第１サブピクセルレンダリング処理、又は第２サブピクセルレンダリング処理を行うレンダリング部と、を有する。【選択図】図１
2016206243.tif 000002
【特許請求の範囲】
【請求項１】
第１副画素、第２副画素、第３副画素、及び第４副画素が２行２列に配置される画素が、第１辺及び前記第１辺に交差する第２辺を有する四角形状の表示領域に行列状に複数配列され、前記第１辺に沿った方向を表示画像の所定の一方向とするポートレートモード、又は前記第２辺に沿った方向を表示画像の前記一方向とするランドスケープモードの画像情報が入力される画像表示パネルと、
前記第１副画素、第２副画素及び第３副画素への入力信号の入力値から出力信号を生成し、生成した出力信号を前記画像表示パネルに出力する信号処理部と、を有し、
前記信号処理部は、
複数配列される前記画素のうちの第１画素と、前記第１画素と所定の処理方向側に隣接する第２画素と、前記第２画素と前記処理方向側に隣接する第３画素とにおいて、前記第２画素の各副画素の入力信号値を変化させるサブピクセルレンダリング処理を行うことを決定するレンダリング箇所決定部と、
前記ポートレートモード、又は前記ランドスケープモードのいずれかの表示モードの前記処理方向における前記副画素の配列を、前記副画素の配列が異なる第１配列パターン又は第２配列パターンのパターン情報として取得するパターン情報取得部と、
前記レンダリング箇所決定部の決定、及び前記パターン情報に基づき、前記第２画素の各副画素の入力信号に対し、前記サブピクセルレンダリング処理のうち、第１サブピクセルレンダリング処理、又は各副画素の入力信号の信号値の変化が前記第１サブピクセルレンダリング処理と異なる第２サブピクセルレンダリング処理を行って、前記第２画素の各副画素のレンダリング入力信号を生成するレンダリング部と、を有し、
前記処理方向は、前記表示モードが前記ポートレートモードである場合に、前記画像表示パネルの前記第１辺に沿う方向であり、前記表示モードが前記ランドスケープモードである場合に、前記画像表示パネルの前記第２辺に沿う方向である、表示装置。
【請求項２】
前記レンダリング箇所決定部は、前記第１画素における各副画素の入力信号値と、前記第３画素における各副画素の入力信号値との差が所定の閾値以上である場合に、前記第２画素にサブピクセルレンダリング処理を行うことを決定する、請求項１に記載の表示装置。
【請求項３】
前記第１サブピクセルレンダリング処理は、
前記第２画素における第１副画素の入力信号値を、前記第１画素の入力信号値である第１画素入力信号値と前記第３画素の入力信号値である第３画素入力信号値との間の信号値とし、
前記第２画素における第２副画素の入力信号値を、前記第２画素における第１副画素の入力信号値と、前記第３画素入力信号値との間の値にし、
前記第２画素における第３副画素の入力信号値を、前記第２画素における第２副画素の入力信号値と、前記第３画素入力信号値との間の値にする処理であって、
前記第２サブピクセルレンダリング処理は、
前記第２画素における第１副画素の入力信号値を、前記第１画素入力信号値と前記第３画素入力信号値との間の信号値とし、
前記第２画素における第２副画素の入力信号値を、前記第２画素における第１副画素の入力信号値と、前記第１画素入力信号値との間の値にし、
前記第２画素における第３副画素の入力信号値を、前記第２画素における第２副画素の入力信号値と、前記第１画素入力信号値との間の値にする処理である、請求項２に記載の表示装置。
【請求項４】
前記第１配列パターンである場合、前記第２画素における第１副画素の前記処理方向側に、前記第２画素における第２副画素が隣接し、又は、前記第２画素における第２副画素の前記処理方向側に、前記第２画素における第３副画素が隣接し、
前記第２配列パターンである場合、前記第２画素における第２副画素の前記処理方向側に、前記第２画素における第１副画素が隣接し、又は、前記第２画素における第３副画素の前記処理方向側に、前記第２画素における第２副画素が隣接し、
前記レンダリング部は、前記第１配列パターンである場合に、前記第１サブピクセルレンダリング処理を行うことを決定し、前記第２配列パターンである場合に、前記第２サブピクセルレンダリング処理を行うことを決定する、請求項３に記載の表示装置。
【請求項５】
前記第１画素入力信号値が前記第３画素入力信号値よりも大きい場合、
前記第１サブピクセルレンダリング処理は、前記第２画素における第１副画素、第２副画素、第３副画素の入力信号値のうち、前記第１副画素の入力信号値を最大にし、前記第３副画素の入力信号値を最小にする処理であり、
前記第２サブピクセルレンダリング処理は、前記第２画素における第１副画素、第２副画素、第３副画素の入力信号値のうち、前記第３副画素の入力信号値を最大にし、前記第１副画素の入力信号値を最小にする処理である、請求項４に記載の表示装置。
【請求項６】
前記信号処理部は、前記レンダリング入力信号に基づいて前記第２画素における第１副画素、第２副画素、第３副画素及び第４副画素の出力信号を生成する出力処理部を有し、
前記出力処理部は、
前記画像表示パネルに関する伸長係数を決定し、
前記第２画素における第４副画素の出力信号を、前記第２画素における第１副画素、第２副画素及び第３副画素のレンダリング入力信号と、前記伸長係数とに基づいて求め、
前記第２画素における第１副画素の出力信号を、前記第２画素における第１副画素のレンダリング入力信号と、前記第２画素における第４副画素の出力信号と、前記伸長係数とに基づいて求め、
前記第２画素における第２副画素の出力信号を、前記第２画素における第２副画素のレンダリング入力信号と、前記第２画素における第４副画素の出力信号と、前記伸長係数とに基づいて求め、
前記第２画素における第３副画素の出力信号を、前記第２画素における第３副画素のレンダリング入力信号と、前記第２画素における第４副画素の出力信号と、前記伸長係数とに基づいて求める、請求項１から請求項４のいずれか１項に記載の表示装置。
【請求項７】
第１副画素、第２副画素、第３副画素、及び第４副画素が２行２列に配置される画素が、第１辺及び前記第１辺に交差する第２辺を有する四角形状の表示領域に行列状に複数配列され、前記第１辺に沿った方向を表示画像の所定の一方向とするポートレートモード、又は前記第２辺に沿った方向を表示画像の前記一方向とするランドスケープモードの画像情報が入力される画像表示パネルと、
前記第１副画素、第２副画素及び第３副画素への入力信号の入力値から出力信号を生成し、生成した出力信号を前記画像表示パネルに出力する信号処理部と、を有し、
前記信号処理部は、
複数配列される前記画素のうちの第１画素と、前記第１画素と所定の処理方向側に隣接する第２画素と、前記第２画素と前記処理方向側に隣接する第３画素とにおいて、前記第２画素の各副画素の入力信号の信号値を変化させる所定のサブピクセルレンダリング処理を行って、レンダリング入力信号を生成するレンダリング部と、
前記ポートレートモード、又は前記ランドスケープモードのいずれかの表示モードの前記処理方向における前記副画素の配列を、前記副画素の配列が異なる第１配列パターン又は第２配列パターンのパターン情報として取得するパターン情報取得部と、
前記パターン情報に基づき、前記第２画素における前記第４副画素の出力信号を補正処理により生成するかを決定する補正処理決定部と、
前記補正処理決定部の決定に基づき、前記第２画素における第４副画素の生成信号を、前記第２画素における第１副画素、第２副画素及び第３副画素のレンダリング入力信号と、前記画像表示パネルに関する伸長係数とに基づいて求める第４副画素生成信号部と、
前記第２画素における第４副画素の生成信号と、他の副画素の入力信号とに基づいて平均化処理を行うことで、前記補正処理を行い、前記第２画素における第４副画素の出力信号を生成する第４副画素出力信号生成部と、
前記第２画素における第１副画素の出力信号を、前記第２画素における第１副画素のレンダリング入力信号と、前記第２画素における第４副画素の出力信号と、前記伸長係数とに基づいて求め、前記第２画素における第２副画素の出力信号を、前記第２画素における第２副画素のレンダリング入力信号と、前記第２画素における第４副画素の出力信号と、前記伸長係数とに基づいて求め、前記第２画素における第３副画素の出力信号を、前記第２画素における第３副画素のレンダリング入力信号と、前記第２画素における第４副画素の出力信号と、前記伸長係数とに基づいて求める出力信号生成部と、を有し、
前記処理方向は、前記表示モードが前記ポートレートモードである場合に、前記画像表示パネルの前記第１辺に沿う方向であり、前記表示モードが前記ランドスケープモードである場合に、前記画像表示パネルの前記第２辺に沿う方向である、表示装置。
【請求項８】
前記サブピクセルレンダリング処理は、前記第２画素における第１副画素、第２副画素、及び第３副画素の入力信号値を、前記第１画素入力信号値と前記第３画素入力信号値との間の値とし、かつ、前記第２画素における第２副画素の入力信号値を、前記第２画素における第１副画素の入力信号値と、前記第２画素における第３副画素の入力信号値との間の値とする処理である、請求項７に記載の表示装置。
【請求項９】
前記サブピクセルレンダリング処理は、
前記第２画素における第２副画素の入力信号値を、前記第２画素における第１副画素の入力信号値と、前記第３画素入力信号値との間の値にし、
前記第２画素における第３副画素の入力信号値を、前記第２画素における第２副画素の入力信号値と、前記第３画素入力信号値との間の値にする処理である、請求項８に記載の表示装置。
【請求項１０】
前記第２配列パターンである場合、前記第２画素における第２副画素の前記処理方向側に、前記第２画素における第１副画素が隣接し、又は、前記第２画素における第３副画素の前記処理方向側に、前記第２画素における第２副画素が隣接し、
前記補正処理決定部は、前記第２配列パターンである場合に、前記第２画素における前記第４副画素の出力信号を補正処理により生成することを決定する、請求項９に記載の表示装置。
【請求項１１】
前記サブピクセルレンダリング処理は、
前記第２画素における第２副画素の入力信号値を、前記第２画素における第１副画素の入力信号値と、前記第１画素入力信号値との間の値にし、
前記第２画素における第３副画素の入力信号値を、前記第２画素における第２副画素の入力信号値と、前記第１画素入力信号値との間の値にする処理である、請求項８に記載の表示装置。
【請求項１２】
前記第１配列パターンである場合、前記第２画素における第１副画素の前記処理方向側に、前記第２画素における第２副画素が隣接し、又は、前記第２画素における第２副画素の前記処理方向側に、前記第２画素における第３副画素が隣接し、
前記補正処理決定部は、前記第１配列パターンである場合に、前記第２画素における前記第４副画素の出力信号を補正処理により生成することを決定する、請求項１１に記載の表示装置。
【請求項１３】
前記補正処理決定部は、さらに、前記第２画素における第１副画素、第２副画素、第３副画素のレンダリング入力信号値の大小関係に基づき、前記第２画素に前記補正処理を行うことを決定する、請求項８から請求項１２のいずれか１項に記載の表示装置。
【請求項１４】
前記第４副画素出力信号生成部は、前記第２画素における前記第１副画素の入力信号、前記第２副画素の入力信号、又は前記第３副画素の入力信号と、前記第２画素における第４副画素の生成信号と、に基づき、前記第２画素における第４副画素の出力信号を生成する、請求項７から請求項１３のいずれか１項に記載の表示装置。
【請求項１５】
前記第４副画素出力信号生成部は、前記第２画素における前記第１副画素のレンダリング入力信号、前記第２副画素のレンダリング入力信号、及び前記第３副画素のレンダリング入力信号のうち最大値と、前記第２画素における前記第４副画素の生成信号値とを平均することにより、前記第２画素における第４副画素の出力信号を生成する、請求項１４に記載の表示装置。
【請求項１６】
前記第４副画素出力信号生成部は、前記第２画素における第４副画素の生成信号と、前記第２画素と隣接する画素における第４副画素の出力信号とに基づき、前記第２画素における第４副画素の出力信号を生成する、請求項７から請求項１３のいずれか１項に記載の表示装置。
【請求項１７】
第１副画素、第２副画素、第３副画素、及び第４副画素が２行２列に配置される画素が、第１辺及び前記第１辺に交差する第２辺を有する四角形状の表示領域に行列状に複数配列され、前記第１辺に沿った方向を表示画像の所定の一方向とするポートレートモード、又は前記第２辺に沿った方向を表示画像の前記一方向とするランドスケープモードの画像情報が入力される画像表示パネルと、
前記第１副画素、第２副画素及び第３副画素への入力信号の入力値から出力信号を生成し、生成した出力信号を前記画像表示パネルに出力する信号処理部と、を有し、
前記信号処理部は、
複数配列される前記画素のうちの第１画素と、前記第１画素と所定の処理方向側に隣接する第２画素と、前記第２画素と前記処理方向側に隣接する第３画素とにおいて、前記第２画素の各副画素の入力信号の信号値を変化させる所定のサブピクセルレンダリング処理を行って、レンダリング入力信号を生成するレンダリング部と、
前記各画素における前記各副画素の入力信号値及びレンダリング入力信号値に基づき、第１副画素、第２副画素、第３副画素、及び第４副画素の生成信号を生成する副画素生成信号部と、
前記第２画素における第４副画素に、前記処理方向と直交する方向である直交方向に隣接する前記第２画素の副画素である隣接副画素の生成信号値と、前記隣接副画素又は前記第２画素における第４副画素に、前記処理方向、又は前記処理方向と反対方向である反対側方向に隣接する複数の副画素である両側副画素の生成信号値と、に基づいて、前記第２画素における前記第４副画素の出力信号を補正処理により生成するか決定する補正処理決定部と、
前記補正処理決定部の決定に基づき、前記第２画素における第４副画素の生成信号と、他の副画素の入力信号とに基づいて平均化処理を行うことで前記補正処理を行い、前記第２画素における第４副画素の出力信号を生成する第４副画素出力信号生成部と、
前記第２画素における第１副画素の出力信号を、前記第２画素における第１副画素のレンダリング入力信号と、前記第２画素における第４副画素の出力信号と、前記伸長係数とに基づいて求め、前記第２画素における第２副画素の出力信号を、前記第２画素における第２副画素のレンダリング入力信号と、前記第２画素における第４副画素の出力信号と、前記伸長係数とに基づいて求め、前記第２画素における第３副画素の出力信号を、前記第２画素における第３副画素のレンダリング入力信号と、前記第２画素における第４副画素の出力信号と、前記伸長係数とに基づいて求める出力信号生成部と、を有し、
前記処理方向は、前記画像情報が前記ポートレートモードに対応する場合に、前記画像表示パネルの前記第１辺に沿う方向であり、前記画像情報が前記ランドスケープモードに対応する場合に、前記画像表示パネルの前記第２辺に沿う方向である、表示装置。
【請求項１８】
前記補正処理決定部は、前記隣接副画素の生成信号値が、前記両側副画素の生成信号値よりも小さく、かつ、前記隣接副画素の生成信号値と前記両側副画素の生成信号値との差が、所定の値以上である場合に、前記第２画素における前記第４副画素の出力信号を、前記第２画素における第４副画素の生成信号に基づいて生成するかを決定する、請求項１７に記載の表示装置。
【請求項１９】
前記サブピクセルレンダリング処理は、前記第２画素における第１副画素、第２副画素、及び第３副画素の入力信号値を、前記第１画素入力信号値と前記第３画素入力信号値との間の値とし、かつ、前記第２画素における第２副画素の入力信号値を、前記第２画素における第１副画素の入力信号値と、前記第２画素における第３副画素の入力信号値との間の値とする処理である、請求項１７又は請求項１８に記載の表示装置。
【請求項２０】
前記サブピクセルレンダリング処理は、
前記第２画素における第２副画素の入力信号値を、前記第２画素における第１副画素の入力信号値と、前記第３画素入力信号値との間の値にし、
前記第２画素における第３副画素の入力信号値を、前記第２画素における第２副画素の入力信号値と、前記第３画素入力信号値との間の値にする処理である、請求項１９に記載の表示装置。
【請求項２１】
前記サブピクセルレンダリング処理は、
前記第２画素における第２副画素の入力信号値を、前記第２画素における第１副画素の入力信号値と、前記第１画素入力信号値との間の値にし、
前記第２画素における第３副画素の入力信号値を、前記第２画素における第２副画素の入力信号値と、前記第１画素入力信号値との間の値にする処理である、請求項１９に記載の表示装置。
【請求項２２】
前記第４副画素出力信号生成部は、前記第２画素における前記第１副画素の入力信号、前記第２副画素の入力信号、又は前記第３副画素の入力信号と、前記第２画素における第４副画素の生成信号と、に基づき、前記第２画素における第４副画素の出力信号を生成する、請求項１７から請求項２１のいずれか１項に記載の表示装置。
【請求項２３】
前記第４副画素出力信号生成部は、前記第２画素における前記第１副画素のレンダリング入力信号、前記第２副画素のレンダリング入力信号、及び前記第３副画素のレンダリング入力信号のうちの最大値と、前記第２画素における前記第４副画素の生成信号値とを平均することにより、前記第２画素における第４副画素の出力信号を生成する、請求項２２に記載の表示装置。
【請求項２４】
前記第４副画素出力信号生成部は、前記第２画素における第４副画素の生成信号と、前記第２画素と隣接する画素における第４副画素の出力信号とに基づき、前記第２画素における第４副画素の出力信号を生成する、請求項１７から請求項２１のいずれか１項に記載の表示装置。
【請求項２５】
請求項１から請求項２４のいずれか１項に記載の表示装置と、
前記表示装置に前記入力信号を供給する制御装置とを有する電子機器。
【発明の詳細な説明】
【技術分野】
【０００１】
本開示は、表示装置及び電子機器に関する。
【背景技術】
【０００２】
近年、携帯電話及び電子ペーパー等のモバイル機器向け等の表示装置の需要が高くなっている。表示装置では、１つの画素が複数の副画素を備え、当該複数の副画素がそれぞれ異なる色の光を出力し、当該副画素の色を組み合わせることで、１つの画素で種々の色を表示させている。このような表示装置は、解像度及び輝度といった表示特性も年々向上してきている。しかし、解像度が高くなるにしたがって開口率が低下してくるため、高輝度を達成しようとした場合、バックライトの輝度を高くする必要があり、バックライトの消費電力が増大するという問題がある。これを改善するため、従来の第１から第３の副画素である赤、緑、青の副画素に第４の副画素である白の副画素を加える技術がある（例えば、特許文献１）。この技術は、白の副画素が輝度を向上させる分、バックライトの電流値を下げ、消費電力を低減する。また、特許文献２に示されるように、白の副画素の輝度を抑制することにより、画像の劣化を抑制する技術が開示されている。
【０００３】
ここで、表示装置は、１つのピクセル（画素）に所定の色を表示させるために、複数のサブピクセル（副画素）の発光を制御している。従って、表示装置は、通常、１つのピクセルが有する複数のサブピクセルを１つの組として、表示駆動を行う。言い換えれば、表示装置は、通常、ピクセル単位で表示駆動を行っている。一方、サブピクセルの出力をそれぞれ独立に制御して表示駆動を行うサブピクセルレンダリングという技術がある。このサブピクセルレンダリングは、サブピクセル毎に独立して表示駆動を行うため、解像度を疑似的に高くすることができる。このサブピクセルレンダリングは、例えば、文字等のフォントを表示する際に用いられている。
【先行技術文献】
【特許文献】
【０００４】
【特許文献１】特開２０１１−１５４３２３号公報
【特許文献２】特開２０１３−１９５６０５号公報
【発明の概要】
【発明が解決しようとする課題】
【０００５】
ここで、サブピクセルレンダリングを行った場合、ピクセル内でのサブピクセルの配列方向によっては、一部分が暗くなるなど、画像の劣化が視認されるおそれがある。
【０００６】
本発明は、上記課題を解決するために、サブピクセルレンダリングを行った際に、画像の劣化を抑制する表示装置及び電子機器を提供することを目的とする。
【課題を解決するための手段】
【０００７】
本発明の第１態様に係る表示装置は、第１副画素、第２副画素、第３副画素、及び第４副画素が２行２列に配置される画素が、第１辺及び前記第１辺に交差する第２辺を有する四角形状の表示領域に行列状に複数配列され、前記第１辺に沿った方向を表示画像の所定の一方向とするポートレートモード、又は前記第２辺に沿った方向を表示画像の前記一方向とするランドスケープモードの画像情報が入力される画像表示パネルと、前記第１副画素、第２副画素及び第３副画素への入力信号の入力値から出力信号を生成し、生成した出力信号を前記画像表示パネルに出力する信号処理部と、を有し、前記信号処理部は、複数配列される前記画素のうちの第１画素と、前記第１画素と所定の処理方向側に隣接する第２画素と、前記第２画素と前記処理方向側に隣接する第３画素とにおいて、前記第２画素の各副画素の入力信号値を変化させるサブピクセルレンダリング処理を行うことを決定するレンダリング箇所決定部と、前記ポートレートモード、又は前記ランドスケープモードのいずれかの表示モードの前記処理方向における前記副画素の配列を、前記副画素の配列が異なる第１配列パターン又は第２配列パターンのパターン情報として取得するパターン情報取得部と、前記レンダリング箇所決定部の決定、及び前記パターン情報に基づき、前記第２画素の各副画素の入力信号に対し、前記サブピクセルレンダリング処理のうち、第１サブピクセルレンダリング処理、又は各副画素の入力信号の信号値の変化が前記第１サブピクセルレンダリング処理と異なる第２サブピクセルレンダリング処理を行って、前記第２画素の各副画素のレンダリング入力信号を生成するレンダリング部と、を有し、前記処理方向は、前記表示モードが前記ポートレートモードである場合に、前記画像表示パネルの前記第１辺に沿う方向であり、前記表示モードが前記ランドスケープモードである場合に、前記画像表示パネルの前記第２辺に沿う方向である。
【０００８】
本発明の第２態様に係る表示装置は、第１副画素、第２副画素、第３副画素、及び第４副画素が２行２列に配置される画素が、第１辺及び前記第１辺に交差する第２辺を有する四角形状の表示領域に行列状に複数配列され、前記第１辺に沿った方向を表示画像の所定の一方向とするポートレートモード、又は前記第２辺に沿った方向を表示画像の前記一方向とするランドスケープモードの画像情報が入力される画像表示パネルと、前記第１副画素、第２副画素及び第３副画素への入力信号の入力値から出力信号を生成し、生成した出力信号を前記画像表示パネルに出力する信号処理部と、を有し、前記信号処理部は、複数配列される前記画素のうちの第１画素と、前記第１画素と所定の処理方向側に隣接する第２画素と、前記第２画素と前記処理方向側に隣接する第３画素とにおいて、前記第２画素の各副画素の入力信号の信号値を変化させる所定のサブピクセルレンダリング処理を行って、レンダリング入力信号を生成するレンダリング部と、前記ポートレートモード、又は前記ランドスケープモードのいずれかの表示モードの前記処理方向における前記副画素の配列を、前記副画素の配列が異なる第１配列パターン又は第２配列パターンのパターン情報として取得するパターン情報取得部と、前記パターン情報に基づき、前記第２画素における前記第４副画素の出力信号を補正処理により生成するかを決定する補正処理決定部と、前記補正処理決定部の決定に基づき、前記第２画素における第４副画素の生成信号を、前記第２画素における第１副画素、第２副画素及び第３副画素のレンダリング入力信号と、前記画像表示パネルに関する伸長係数とに基づいて求める第４副画素生成信号部と、前記第２画素における第４副画素の生成信号と、他の副画素の入力信号とに基づいて平均化処理を行うことで、前記補正処理を行い、前記第２画素における第４副画素の出力信号を生成する第４副画素出力信号生成部と、前記第２画素における第１副画素の出力信号を、前記第２画素における第１副画素のレンダリング入力信号と、前記第２画素における第４副画素の出力信号と、前記伸長係数とに基づいて求め、前記第２画素における第２副画素の出力信号を、前記第２画素における第２副画素のレンダリング入力信号と、前記第２画素における第４副画素の出力信号と、前記伸長係数とに基づいて求め、前記第２画素における第３副画素の出力信号を、前記第２画素における第３副画素のレンダリング入力信号と、前記第２画素における第４副画素の出力信号と、前記伸長係数とに基づいて求める出力信号生成部と、を有し、前記処理方向は、前記表示モードが前記ポートレートモードである場合に、前記画像表示パネルの前記第１辺に沿う方向であり、前記表示モードが前記ランドスケープモードである場合に、前記画像表示パネルの前記第２辺に沿う方向である。
【０００９】
本発明の第３態様に係る表示装置は、第１副画素、第２副画素、第３副画素、及び第４副画素が２行２列に配置される画素が、第１辺及び前記第１辺に交差する第２辺を有する四角形状の表示領域に行列状に複数配列され、前記第１辺に沿った方向を表示画像の所定の一方向とするポートレートモード、又は前記第２辺に沿った方向を表示画像の前記一方向とするランドスケープモードの画像情報が入力される画像表示パネルと、前記第１副画素、第２副画素及び第３副画素への入力信号の入力値から出力信号を生成し、生成した出力信号を前記画像表示パネルに出力する信号処理部と、を有し、前記信号処理部は、複数配列される前記画素のうちの第１画素と、前記第１画素と所定の処理方向側に隣接する第２画素と、前記第２画素と前記処理方向側に隣接する第３画素とにおいて、前記第２画素の各副画素の入力信号の信号値を変化させる所定のサブピクセルレンダリング処理を行って、レンダリング入力信号を生成するレンダリング部と、前記各画素における前記各副画素の入力信号値及びレンダリング入力信号値に基づき、第１副画素、第２副画素、第３副画素、及び第４副画素の生成信号を生成する副画素生成信号部と、前記第２画素における第４副画素に、前記処理方向と直交する方向である直交方向に隣接する前記第２画素の副画素である隣接副画素の生成信号値と、前記隣接副画素又は前記第２画素における第４副画素に、前記処理方向、又は前記処理方向と反対方向である反対側方向に隣接する複数の副画素である両側副画素の生成信号値と、に基づいて、前記第２画素における前記第４副画素の出力信号を補正処理により生成するか決定する補正処理決定部と、前記補正処理決定部の決定に基づき、前記第２画素における第４副画素の生成信号と、他の副画素の入力信号とに基づいて平均化処理を行うことで前記補正処理を行い、前記第２画素における第４副画素の出力信号を生成する第４副画素出力信号生成部と、前記第２画素における第１副画素の出力信号を、前記第２画素における第１副画素のレンダリング入力信号と、前記第２画素における第４副画素の出力信号と、前記伸長係数とに基づいて求め、前記第２画素における第２副画素の出力信号を、前記第２画素における第２副画素のレンダリング入力信号と、前記第２画素における第４副画素の出力信号と、前記伸長係数とに基づいて求め、前記第２画素における第３副画素の出力信号を、前記第２画素における第３副画素のレンダリング入力信号と、前記第２画素における第４副画素の出力信号と、前記伸長係数とに基づいて求める出力信号生成部と、を有し、前記処理方向は、前記画像情報が前記ポートレートモードに対応する場合に、前記画像表示パネルの前記第１辺に沿う方向であり、前記画像情報が前記ランドスケープモードに対応する場合に、前記画像表示パネルの前記第２辺に沿う方向である。
【図面の簡単な説明】
【００１０】
【図１】図１は、第１実施形態に係る表示装置の構成の一例を示すブロック図である。
【図２】図２は、第１実施形態に係る画像表示パネルの概念図である。
【図３】図３は、第１実施形態に係る副画素の配列を示す模式図である。
【図４Ａ】図４Ａは、ポートレートモードとランドスケープモードとを説明する模式図である。
【図４Ｂ】図４Ｂは、ポートレートモードとランドスケープモードとを説明する模式図である。
【図５】図５は、ポートレートモードでの副画素の配列の一例を示す模式図である。
【図６】図６は、ランドスケープモードでの副画素の配列の一例を示す模式図である。
【図７】図７は、第１実施形態に係る信号処理部の構成の概要を示すブロック図である。
【図８】図８は、所定レンダリング処理を行わない場合の表示の一例を示す模式図である。
【図９】図９は、所定レンダリング処理を行う場合の表示の一例を示す模式図である。
【図１０】図１０は、レンダリング処理を行う場合の入力信号を説明した模式図である。
【図１１】図１１は、第１配列パターンでの副画素配列の一例を示す模式図である。
【図１２】図１２は、第２配列パターンでの副画素配列の一例を示す模式図である。
【図１３】図１３は、ＲＧＢレンダリング処理により生成されたレンダリング入力信号を説明する模式図である。
【図１４】図１４は、ＢＧＲレンダリング処理により生成されたレンダリング入力信号を説明する模式図である。
【図１５】図１５は、第１実施形態の表示装置で再現可能な再現ＨＳＶ色空間の概念図である。
【図１６】図１６は、再現ＨＳＶ色空間の色相と彩度との関係を示す概念図である。
【図１７】図１７は、第１実施形態に係る信号処理部の処理動作を説明するフローチャートである。
【図１８】図１８は、比較例１に係るレンダリング処理を行った場合の各副画素の出力信号を示す模式図である。
【図１９】図１９は、第１実施形態に係るレンダリング処理を行った場合の各副画素の出力信号を示す模式図である。
【図２０Ａ】図２０Ａは、第１実施形態に係る画像表示パネルの表示モードと配列パターンとレンダリング処理との関係を示す表である。
【図２０Ｂ】図２０Ｂは、第１実施形態における他の一例の画像表示パネルの表示モードと配列パターンとレンダリング処理との関係を示す表である。
【図２１】図２１は、第２実施形態に係る信号処理部の構成を示すブロック図である。
【図２２Ａ】図２２Ａは、第２実施形態に係るレンダリング処理部及び補正処理決定部の処理動作を説明するフローチャートである。
【図２２Ｂ】図２２Ｂは、第２実施形態の他の例に係るレンダリング処理部及び補正処理決定部の処理動作を説明するフローチャートである。
【図２３Ａ】図２３Ａは、第２実施形態に係るレンダリング処理及び補正処理を行った場合の各副画素の出力信号の一例を示す模式図である。
【図２３Ｂ】図２３Ｂは、第２実施形態に係るレンダリング処理及び補正処理を行った場合の各副画素の出力信号の他の一例を示す模式図である。
【図２４Ａ】図２４Ａは、第２実施形態に係る画像表示パネルの表示モードと補正処理する画素の条件との関係を示す表である。
【図２４Ｂ】図２４Ｂは、第２実施形態における他の一例の画像表示パネルの表示モードと補正処理する画素の条件との関係を示す表である。
【図２５】図２５は、第３実施形態に係る信号処理部の構成を示すブロック図である。
【図２６】図２６は、各副画素の配列及び生成信号値を示す模式図である。
【図２７】図２７は、第３実施形態に係る信号処理部の処理動作を説明するフローチャートである。
【図２８】図２８は、第３実施形態に係るレンダリング処理及び補正処理を行った場合の各副画素の出力信号を示す模式図である。
【図２９】図２９は、変形例におけるポートレートモードでの副画素の配列の一例を示す模式図である。
【図３０】図３０は、変形例におけるランドスケープモードでの副画素の配列の一例を示す模式図である。
【図３１】図３１は、比較例２に係るレンダリング処理を行った場合の各副画素の出力信号を示す模式図である。
【図３２】図３２は、変形例に係るレンダリング処理を行った場合の各副画素の出力信号を示す模式図である。
【図３３】図３３は、比較例３に係るレンダリング処理を行った場合の各副画素の出力信号を示す模式図である。
【図３４】図３４は、変形例に係るレンダリング処理を行った場合の各副画素の出力信号を示す模式図である。
【図３５】図３５は、第１実施形態に係る表示装置を適用する電子機器の一例を示す図である。
【発明を実施するための形態】
【００１１】
以下に、本発明の実施の形態について、図面を参照しつつ説明する。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１２】
（第１実施形態）
（表示装置の全体構成）
最初に、第１実施形態（第１態様）について説明する。図１は、第１実施形態に係る表示装置の構成の一例を示すブロック図である。図１に示すように、第１実施形態の表示装置１０は、信号処理部２０と、画像表示パネル駆動部３０と、画像表示パネル４０と、光源駆動部５０と、光源部６０とを有する。信号処理部２０は、制御装置１１の画像出力部１２からの入力信号（ＲＧＢデータ）が入力され、入力信号に所定のデータ変換処理を加えて生成した信号を表示装置１０の各部に送る。画像表示パネル駆動部３０は、信号処理部２０からの信号に基づいて画像表示パネル４０の駆動を制御する。光源駆動部５０は、信号処理部２０からの信号に基づいて光源部６０の駆動を制御する。光源部６０は、光源駆動部５０の信号に基づいて画像表示パネル４０を背面から照明する。画像表示パネル４０は、画像表示パネル駆動部３０からの信号及び光源部６０からの光により画像を表示させる。なお、制御装置１１は、加速度センサにより表示装置１０の鉛直方向での向きを検出して、画像表示パネル４０の表示モードを決定する表示モード決定部１３を有する。
【００１３】
（画像表示パネルの構成）
最初に、画像表示パネル４０の構成について説明する。図２は、第１実施形態に係る画像表示パネルの概念図である。図３は、第１実施形態に係る副画素の配列を示す模式図である。図１、図２及び図３に示すように、画像表示パネル４０は、画素４８が、Ｘ方向及びＹ方向に、２次元のマトリクス状にＰ０×Ｑ０個配列されている表示領域４３を有する。ここで、Ｘ方向とは、画像表示パネル４０に表示される画像の行方向である。また、Ｙ方向とは、Ｘ方向に直交する方向であり、画像表示パネル４０に表示される画像の列方向である。ただし、これに限られず、Ｘ方向が画像の列方向であってＹ方向が画像の行方向であってもよい。また、図１に示すように、画像表示パネル４０の表示領域４３、第１辺としての短辺４１と、短辺４１と交差する第２辺としての長辺４２とを有する矩形形状となっている。ただし、表示領域４３は、四角形であればよく、例えば短辺４１と長辺４２とが同じ長さである正方形でもよい。
【００１４】
図２及び図３に示すように、画素４８は、第１副画素４９Ｒと、第２副画素４９Ｇと、第３副画素４９Ｂと、第４副画素４９Ｗとを有する。第１副画素４９Ｒは、第１色（第１実施形態では、赤色）を表示する。第２副画素４９Ｇは、第２色（第１実施形態では、緑色）を表示する。第３副画素４９Ｂは、第３色（第１実施形態では、青色）を表示する。第４副画素４９Ｗは、第４色（第１実施形態では、白色）を表示する。第１色、第２色、第３色及び第４色は、赤色、緑色、青色及び白色に限られず、補色などでもよく、互いに色が異なっていればよい。第４色を表示する第４副画素４９Ｗは、同じ光源点灯量で照射された場合、第１色を表示する第１副画素４９Ｒ、第２色を表示する第２副画素４９Ｇ、第３色を表示する第３副画素４９Ｂよりも輝度が高いことが好ましい。以下において、第１副画素４９Ｒと、第２副画素４９Ｇと、第３副画素４９Ｂと、第４副画素４９Ｗとをそれぞれ区別する必要がない場合、副画素４９という。また、副画素の配列する位置を区別して記載する場合、例えば画素４８（ｐ，ｑ）の第４副画素を、第４副画素４９Ｗ（ｐ，ｑ）と記載する。
【００１５】
図３に示すように、画素４８は、４つの副画素４９が、２行２列で配置されている。この４つの副画素４９は、それぞれ、第１副画素４９Ｒと、第２副画素４９Ｇと、第３副画素４９Ｂと、第４副画素４９Ｗとである。
【００１６】
画像表示パネル４０は、制御装置１１の表示モード決定部１３の決定により、ポートレートモード、又はランドスケープモードに対応する画像情報が入力される。ここで、画像情報は、画像を表示するための情報である。より詳しくは、制御装置１１は、表示モード決定部１３の決定により、信号処理部２０に、ポートレートモード、又はランドスケープモードのいずれかの表示モードに対応した入力信号を出力する。そして、信号処理部２０は、この入力信号に基づき出力信号を生成する。画像表示パネル駆動部３０は、この出力信号に基づき、画像を表示するための画像情報（映像信号）を生成し、画像表示パネル４０に出力する。図４Ａ及び図４Ｂは、ポートレートモードとランドスケープモードとを説明する模式図である。図４Ａ及び図４Ｂは、画像表示パネル４０にアルファベットのＡを表示させた場合を示している。
【００１７】
ここで、図４Ａに示すように、ポートレートモードにおいては、画像表示パネル４０の短辺４１は、画像の行方向であるＸ方向に沿っている。また、ポートレートモードにおいては、画像表示パネル４０の長辺４２は、画像の列方向であるＹ方向に沿っている。一方、図４Ｂに示すように、ランドスケープモードにおいては、短辺４１は、画像の列方向であるＹ方向に沿っている。また、ランドスケープモードにおいては、長辺４２は、画像の行方向であるＸ方向に沿っている。すなわち、画像表示パネル４０は、ポートレートモードにおいては、短辺４１に沿った方向を表示画像の所定の一方向（ここではＸ方向）とし、ランドスケープモードにおいては、長辺４２に沿った方向を表示画像の所定の一方向（ここではＸ方向）とする。
【００１８】
ポートレートモード及びランドスケープモードは、図４Ａ及び図４Ｂで説明したものに限られない。ここで、Ｘ方向に沿った方向のうち一方の方向を第１方向Ｆ１とし、他方の方向を第２方向Ｆ２とする。また、Ｙ方向に沿った方向のうち一方の方向を第３方向Ｆ３とし、他方の方向を第４方向Ｆ４とする。ポートレートモードは、画像の第３方向Ｆ３側に短辺４１が位置する第１ポートレートモード（図４Ａ参照）と、画像の第４方向Ｆ４側に短辺４１が位置する第２ポートレートモードとがある。また、ランドスケープモードは、画像の第１方向Ｆ１側に短辺４１が位置する第１ランドスケープモード（図４Ｂ参照）と、画像の第２方向Ｆ２側に短辺４１が位置する第２ランドスケープモードとがある。ただし、画像表示パネル４０は、少なくとも１つのポートレートモードと少なくとも１つのランドスケープモードとを表示可能であればよい。また、第１方向Ｆ１、第２方向Ｆ２、第３方向Ｆ３、及び第４方向Ｆ４は、それぞれがＸ方向又はＹ方向に沿った一方向であり、互いに異なる方向であれば、上述した方向に限られない。
【００１９】
ここで、画素４８及び副画素４９の配列順は、画像表示パネル４０の短辺４１及び長辺４２に対して固定されている。従って、次に説明するように、画素４８及び副画素４９のＸ方向及びＹ方向での配列順は、表示モードによって変化する。
【００２０】
図５は、ポートレートモードでの副画素の配列の一例を示す模式図である。図６は、ランドスケープモードでの副画素の配列の一例を示す模式図である。図５は、短辺４１が画像の第３方向Ｆ３側にある第１ポートレートモードである。図５に示すポートレートモードにおいて、画素４８（１、１）と画素４８（２、１）とは、第１方向Ｆ１に沿ってこの順で配列している。また、図５に示すポートレートモードでは、画素４８（１、１）と画素４８（１、２）とは、第３方向Ｆ３に沿ってこの順で配列している。
【００２１】
図６に示すランドスケープモードでは、画素４８（１、１）と画素４８（２、１）とは、第３方向Ｆ３に沿ってこの順で配列している。そして、図６に示すランドスケープモードでは、画素４８（１、１）と画素４８（１、２）とは、第２方向Ｆ２に沿ってこの順で配列している。このように、画素４８のＸ方向及びＹ方向での配列順は、表示モードによって変化する。
【００２２】
上述のようにＸ方向が画像の行方向であり、Ｙ方向が画像の列方向である場合、図５に示すポートレートモードでは、第２副画素４９Ｇは、画素４８の１列目の１行目に配置されている。第３副画素４９Ｂは、画素４８の１列目の２行目に配置されている。第１副画素４９Ｒは、画素４８の２列目の１行目に配置されている。第４副画素４９Ｗは、画素４８の２列目の２行目に配置されている。すなわち、図５に示すポートレートモードでは、第２副画素４９Ｇと第１副画素４９Ｒとが、第１方向Ｆ１に沿ってこの順で配列している。また、図５に示すポートレートモードでは、第３副画素４９Ｂと第４副画素４９Ｗとが、第１方向Ｆ１に沿ってこの順で配列している。また、図５に示すポートレートモードでは、第２副画素４９Ｇと第３副画素４９Ｂとが、第３方向Ｆ３に沿ってこの順で配列され、第１副画素４９Ｒと第４副画素４９Ｗとが、第３方向Ｆ３に沿ってこの順で配列されている。
【００２３】
また、図６におけるランドスケープモードの副画素配列では、画素４８の１列目の１行目に、第１副画素４９Ｒが配置され、画素４８の１列目の２行目に、第２副画素４９Ｇが配置され、画素４８の２列目の１行目に、第４副画素４９Ｗが配置され、画素４８の２列目の２行目に、第３副画素４９Ｂが配置されている。すなわち、図６に示すランドスケープモードでは、第１副画素４９Ｒと第４副画素４９Ｗとが、第１方向Ｆ１に沿ってこの順で配列しており、第２副画素４９Ｇと第３副画素４９Ｂとが、第１方向Ｆ１に沿ってこの順で配列している。また、図６に示すランドスケープモードでは、第１副画素４９Ｒと第２副画素４９Ｇとが、第３方向Ｆ３に沿ってこの順で配列され、第４副画素４９Ｗと第３副画素４９Ｂとが、第３方向Ｆ３に沿ってこの順で配列されている。このように、Ｘ方向及びＹ方向での副画素の配列は、表示モードによって変化する。なお、副画素４９は、２行２列で画素４８内に配列していれば、その配置は図５及び図６で説明したものに限られない。また、以下、特に言及しない場合は、画素４８及び副画素４９の配列は、図５に示す第１ポートレートモードでの配列として説明する。
【００２４】
（画像表示パネル駆動部の構成）
図１及び図２に示すように、画像表示パネル駆動部３０は、信号出力回路３１及び走査回路３２を有する。画像表示パネル駆動部３０は、信号出力回路３１によって映像信号（画像情報）を保持し、順次、画像表示パネル４０に出力する。より詳しくは、信号出力回路３１は、信号処理部２０からの出力信号に応じた所定の電位を有する画像出力信号を、画像表示パネル４０に出力する。信号出力回路３１は、信号線ＤＴＬによって画像表示パネル４０と電気的に接続されている。走査回路３２は、画像表示パネル４０における副画素４９の動作（光透過率）を制御するためのスイッチング素子（例えば、ＴＦＴ）のＯＮ／ＯＦＦを制御する。走査回路３２は、配線ＳＣＬによって画像表示パネル４０と電気的に接続されている。
【００２５】
（光源駆動部及び光源部の構成）
光源駆動部５０は、光源部６０から出力する光の光量等を制御する。具体的には、光源駆動部５０は、信号処理部２０から出力される光源駆動信号ＳＢＬに基づいて、光源部６０に供給する電圧等をＰＷＭ（Pulse  Width  Modulation）等で調整することで、画像表示パネル４０を照射する光の光量（光の強度）を制御する。
【００２６】
光源部６０は、画像表示パネル４０の背面に配置され、画像表示パネル４０に向けて光を照射することで、画像表示パネル４０を照明する。光源部６０は、画像表示パネル４０に光を照射し、画像表示パネル４０を明るくする。
【００２７】
（信号処理部の構成）
信号処理部２０は、制御装置１１から入力される入力信号を処理して出力信号を生成する。信号処理部２０は、赤色（第１色）、緑色（第２色）、青色（第３色）の色を組み合わせて表示させる入力信号の入力値を、赤色（第１色）、緑色（第２色）、青色（第３色）及び白色（第４色）で再現される拡大色空間（第１実施形態ではＨＳＶ色空間）の再現値（出力信号）に変換して生成する。そして、信号処理部２０は、生成した出力信号を画像表示パネル駆動部３０に出力する。拡大色空間については後述する。なお、第１実施形態において、拡大色空間はＨＳＶ色空間であるが、これに限られずＸＹＺ色空間、ＹＵＶ空間その他の座標系でもよい。また、信号処理部２０は、光源駆動部５０に出力する光源駆動信号ＳＢＬも生成する。
【００２８】
図７は、第１実施形態に係る信号処理部の構成の概要を示すブロック図である。図７に示すように、信号処理部２０は、レンダリング箇所決定部２１と、パターン情報取得部２２と、レンダリング部２４と、出力処理部２６とを有する。信号処理部２０のこれらの各部は、互いに独立したもの（回路等）でもよく、互いに共通するものであってもよい。
【００２９】
レンダリング箇所決定部２１は、各画素に所定の色を表示させるための入力信号を、制御装置１１から取得する。レンダリング箇所決定部２１は、各画素の入力信号に基づき、サブピクセルレンダリング処理を行う画素４８を決定する。レンダリング箇所決定部２１は、サブピクセルレンダリング処理を行うと決定した画素４８の情報であるレンダリング箇所情報と、各画素の入力信号とを、レンダリング部２４に出力する。なお、サブピクセルレンダリング処理は、サブピクセル（副画素）単位で表示駆動を行い、同一の画素４８に属する各副画素４９の入力信号を変化させる処理である。サブピクセルレンダリング処理を行う画素４８の決定方法については、後述する。また、以下、サブピクセルレンダリング処理を、適宜、レンダリング処理と記載する。
【００３０】
パターン情報取得部２２は、制御装置１１の表示モード決定部１３からパターン情報を取得する。パターン情報は、画像表示パネル４０の表示モードにおける副画素４９の配列順が、第１配列パターンであるか第２配列パターンであるかを示す情報である。第１配列パターンは、上述の第１ポートレートモード、第２ポートレートモード、第１ランドスケープモード及び第２ランドスケープモードのうちの２つであり、第２配列パターンは、それらのうちの他の２つである。第１配列パターン及び第２配列パターンの詳細については、後述する。
【００３１】
レンダリング部２４は、レンダリング選択部７２と、レンダリング処理部７４とを有する。レンダリング選択部７２は、パターン情報取得部２２からパターン情報を取得する。レンダリング選択部７２は、パターン情報に基づき、ＲＧＢレンダリング処理（第１サブピクセルレンダリング処理）と、ＢＧＲレンダリング処理（第２サブピクセルレンダリング処理）とのいずれを行うかを選択する。レンダリング選択部７２は、選択したレンダリング処理の情報であるレンダリング情報を、レンダリング処理部７４に出力する。ＲＧＢレンダリング処理及びＢＧＲレンダリング処理については、後述する。
【００３２】
レンダリング処理部７４は、レンダリング箇所決定部２１から、レンダリング箇所情報と入力信号とを取得する。また、レンダリング処理部７４は、レンダリング選択部７２から、レンダリング情報を取得する。レンダリング処理部７４は、各画素４８の入力信号と、レンダリング箇所情報と、レンダリング情報とに基づき、所定の画素４８の入力信号に対し、選択したレンダリング処理を実行する。レンダリング処理部７４は、レンダリング処理を行うと決定した画素４８の入力信号にレンダリング処理を行うことにより、その画素４８のレンダリング入力信号を生成する。
【００３３】
出力処理部２６は、α算出部８２と、出力信号生成部８８とを有する。α算出部８２は、レンダリング処理部７４から、レンダリング処理を実行した画素４８のレンダリング入力信号と、他の画素４８の入力信号とを取得する。α算出部８２は、レンダリング入力信号と入力信号とに基づき、画像表示パネル４０に関する伸長係数αを算出する。伸長係数αは、レンダリング入力信号値と入力信号値とを伸長するためのものである。伸長係数αの算出処理については、後述する。
【００３４】
出力信号生成部８８は、α算出部８２から、伸長係数αと、レンダリング処理を実行した画素４８のレンダリング入力信号と、他の画素４８の入力信号とを取得する。出力信号生成部８８は、伸長係数αと、所定の画素４８のレンダリング入力信号と、他の画素４８の入力信号とに基づき、各画素４８における各副画素４９の出力信号を生成する。出力信号生成部８８は、生成した出力信号を、画像表示パネル駆動部３０に出力する。出力信号の生成処理は、後述する。
【００３５】
（レンダリング処理の概要）
次に、レンダリング処理の概要について説明する。表示装置は、通常、１つの画素（ピクセル）が有する複数の副画素（サブピクセル）を１つの組として、表示駆動を行う。言い換えれば、表示装置は、通常、画素単位で表示駆動を行っている。一方、レンダリング処理は、副画素毎に独立して出力を制御することで、副画素単位で表示駆動を行うものである。以下、レンダリング処理の一例である所定レンダリング処理を行った場合の表示の一例について説明する。図８は、所定レンダリング処理を行わない場合の表示の一例を示す模式図である。図９は、所定レンダリング処理を行う場合の表示の一例を示す模式図である。図８及び図９に示すように、この説明での画像表示パネル４０Ｘは、第１実施形態に係る画像表示パネル４０と、副画素の配列が異なる。画像表示パネル４０Ｘの有する画素４８Ｘは、第１副画素４９ＸＲと、第２副画素４９ＸＧと、第３副画素４９ＸＢとが、Ｘ方向に沿ってストライプ状に配列している。
【００３６】
図８は、矩形を対角線で分割した２つの異なる色の領域を表示する場合を示している。図８の左側の領域が、黒色を表示し、図８の右側の領域が、白色を表示するものとする。図８では、レンダリング処理を行わないため、１つの画素４８Ｘが表示する色に基づき、その画素に属する副画素４９Ｘの表示が決定される。例えば、図８に示す画素４８Ｘ１は、２つの領域の対角線上に位置している。レンダリング処理を行わない場合、画素４８Ｘ１は、白色を表示する。画素４８Ｘ１の全ての副画素４９Ｘが最大点灯し、画素４８Ｘ１に白色を表示させている。また、例えば、図８に示す画素４８Ｘ２は、２つの領域の対角線上に位置しており、黒色を表示する。画素４８Ｘ２の全ての副画素４９Ｘは、点灯せずに、画素４８Ｘ２に黒色を表示させている。
【００３７】
図９も、画像表示パネル４０Ｘで図８と同様の表示を行う場合を示している。ただし、図９は、所定レンダリング処理を行うものであるため、副画素４９Ｘ毎に表示駆動される。所定レンダリング処理を行った場合、画素４８Ｘ１の第１副画素４９ＸＲは、図８と異なり、点灯しない。また、所定レンダリング処理を行った場合、画素４８Ｘ２の第３副画素４９ＸＲは、図８と異なり、点灯する。このような所定レンダリング処理により、図９に示す２つの領域の対角線は、図８に示す対角線よりも、滑らかな表示となっている。このように、所定レンダリング処理等のレンダリング処理を行うと、解像度を疑似的に向上させることができるため、例えば線の表示を滑らかにすることができる。
【００３８】
（信号処理部の処理動作）
（レンダリング処理を行う画素の決定処理）
次に、信号処理部２０の処理動作について説明する。最初に、レンダリング処理を行う画素４８を決定する処理について説明する。レンダリング箇所決定部２１は、制御装置１１から、各画素の入力信号が入力される。具体的には、第（ｐ、ｑ）番目の画素４８（ｐ，ｑ）（但し、１≦ｐ≦Ｐ０，１≦ｑ≦Ｑ０）に対して、信号値がｘ１−（ｐ、ｑ）の第１副画素４９Ｒ（ｐ，ｑ）の入力信号、信号値がｘ２−（ｐ、ｑ）の第２副画素４９Ｇ（ｐ，ｑ）の入力信号、及び、信号値がｘ３−（ｐ、ｑ）の第３副画素４９Ｂ（ｐ，ｑ）の入力信号が含まれる信号が、レンダリング箇所決定部２１に入力される。なお、第１副画素４９Ｒ（ｐ，ｑ）の入力信号は、第１色を表示する第１副画素４９Ｒ（ｐ，ｑ）に色を表示させるための入力信号であり、実際に第１副画素４９Ｒ（ｐ，ｑ）に入力されるわけではない。言い換えれば、第１副画素４９Ｒ（ｐ，ｑ）の入力信号は、第１副画素４９Ｒ（ｐ，ｑ）に第１色を表示させるための信号である。第２副画素４９Ｇ（ｐ，ｑ）の入力信号、第３副画素４９Ｂ（ｐ，ｑ）の入力信号も、同様である。
【００３９】
第１実施形態に係るレンダリング処理は、レンダリング処理を行う処理方向に隣接する複数の画素４８の一部について、副画素の入力信号値を段階的に変化させる処理である。第１実施形態において、処理方向は、第１方向Ｆ１である。ただし、処理方向は、第２方向Ｆ２、第３方向Ｆ３、又は第４方向Ｆ４のいずれかであってもよい。第１実施形態に係るレンダリング処理は、レンダリング処理を行う画素４８の各副画素の入力信号値を変化させるものである。
【００４０】
レンダリング箇所決定部２１は、各画素の入力信号に基づき、どの画素４８にレンダリング処理を行うかを決定する。レンダリング処理部７４は、ある画素４８に処理方向としての第１方向Ｆ１で隣接する画素の各副画素の入力信号値と、その画素４８に処理方向と反対方向の第２方向Ｆ２で隣接する画素の各副画素の入力信号値との差が、所定の値以上である場合に、レンダリング処理を行う。ここで、第（ａ、ｂ）番目の画素４８（ａ，ｂ）（第１画素）と、画素４８（ａ，ｂ）に処理方向（ここでは第１方向Ｆ１）に隣接する画素４８（ａ＋１，ｂ）（第２画素）と、画素４８（ａ＋１，ｂ）に処理方向（ここでは第１方向Ｆ１）に隣接する画素４８（ａ＋２，ｂ）（第３画素）と、について考える。レンダリング処理部７４は、画素４８（ａ，ｂ）の各副画素４９（ａ，ｂ）の入力信号値と、画素４８（ａ＋２，ｂ）の各副画素４９（ａ＋２，ｂ）の入力信号値との差が、所定の閾値以上である場合に、画素４８（ａ＋１，ｂ）に対してレンダリング処理を行うことを決定する。レンダリング処理部７４は、画素４８（ａ，ｂ）の各副画素４９（ａ，ｂ）の入力信号値と、画素４８（ａ＋２，ｂ）の各副画素４９（ａ＋２，ｂ）の入力信号値との差が、所定の閾値より小さい場合には、画素４８（ａ＋１，ｂ）に対してレンダリング処理を行わないと決定する。ここで、所定の閾値は、任意に設定することができる。
【００４１】
より具体的には、レンダリング箇所決定部２１は、画素４８（ａ，ｂ）の第１副画素入力信号値ｘ１−（ａ、ｂ）と、第２副画素入力信号値ｘ２−（ａ、ｂ）と、第３副画素入力信号値ｘ３−（ａ、ｂ）と、が同じ値であり、画素４８（ａ＋２，ｂ）の第１副画素入力信号値ｘ１−（ａ＋２、ｂ）と、第２副画素入力信号値ｘ２−（ａ＋２、ｂ）と、第３副画素入力信号値ｘ３−（ａ＋２、ｂ）と、が同じ値である場合であって、かつ、画素４８（ａ，ｂ）の各副画素４９（ａ，ｂ）の入力信号値と、画素４８（ａ＋２，ｂ）の各副画素４９（ａ＋２，ｂ）の入力信号値との差が、所定の閾値以上である場合に、画素４８（ａ＋１，ｂ）に対してレンダリング処理を行うことを決定する。ただし、レンダリング処理を行うことを決定する場合の条件は、画素４８（ａ，ｂ）の各副画素の入力信号値同士が同じでなくてもよい。レンダリング処理部７４は、例えば、画素４８（ａ，ｂ）の各副画素の入力信号値の平均値と、画素４８（ａ＋２，ｂ）の各副画素の入力信号値の平均値との差が所定の値以上である場合に、レンダリング処理を行うことを決定してもよい。
【００４２】
図１０は、レンダリング処理を行う場合の入力信号を説明した模式図である。図１０は、Ｘ方向に配列している画素４８（ａ，ｂ）と、画素４８（ａ＋１，ｂ）と、画素４８（ａ＋２，ｂ）と、画素４８（ａ＋３，ｂ）と、画素４８（ａ＋４，ｂ）との、それぞれの副画素の入力信号値を示している。例えば、図１０の画素４８（ａ，ｂ）内に記載されているＲ及び２５５は、第１副画素４９Ｒ（ａ，ｂ）の入力信号値ｘ１−（ａ、ｂ）が、２５５であることを示している。同様に、図１０の画素４８（ａ，ｂ）内に記載されているＧ及び２５５は、第２副画素４９Ｇ（ａ，ｂ）の入力信号値ｘ２−（ａ、ｂ）が、２５５であることを示している。同様に、図１０の画素４８（ａ，ｂ）内に記載されているＢ及び２５５は、第３副画素４９Ｂ（ａ，ｂ）の入力信号値ｘ３−（ａ、ｂ）が、２５５であることを示している。なお、第１実施形態では、入力信号値は、０から２５５までの整数値をとる。また、画素４８（ａ，ｂ）から画素４８（ａ＋１，ｂ）へ向かう方向は、第１方向Ｆ１である。画素４８（ａ＋１，ｂ）から画素４８（ａ，ｂ）へ向かう方向は、第２方向Ｆ２である。
【００４３】
図１０に示すように、画素４８（ａ，ｂ）における各副画素４９（ａ，ｂ）の入力信号値は、２５５である。画素４８（ａ＋１，ｂ）における各副画素４９（ａ＋１，ｂ）の入力信号値は、２５５である。画素４８（ａ＋２，ｂ）における各副画素４９（ａ＋２，ｂ）の入力信号値は、１００である。画素４８（ａ＋３，ｂ）における各副画素４９（ａ＋３，ｂ）の入力信号値は、２５５である。画素４８（ａ＋４，ｂ）における各副画素４９（ａ＋４，ｂ）の入力信号値は、２５５である。画素４８（ａ＋４，ｂ）における各副画素４９（ａ＋４，ｂ）の入力信号値は、２５５である。この場合、画素４８（ａ＋２，ｂ）は、灰色を表示し、他の画素は、白色を表示する。
【００４４】
ここで、例えば、所定の閾値を１００とする。画素４８（ａ，ｂ）の各副画素の入力信号値と、画素４８（ａ＋２，ｂ）の各副画素の入力信号値との差は、１５５であり、所定の閾値より大きい。従って、レンダリング箇所決定部２１は、画素４８（ａ＋１，ｂ）について、レンダリング処理を行うことを決定する。同様に、画素４８（ａ＋２，ｂ）の各副画素の入力信号値と、画素４８（ａ＋４，ｂ）の各副画素の入力信号値との差は、１５５であり、所定の閾値より大きい。従って、レンダリング箇所決定部２１は、画素４８（ａ＋３，ｂ）についても、レンダリング処理を行うことを決定する。
【００４５】
なお、上述のように、ポートレートモードである場合、画像表示パネル４０の短辺４１がＸ方向（第１方向Ｆ１）に沿う。また、ランドスケープモードである場合、画像表示パネル４０の長辺４２がＸ方向（第１方向Ｆ１）に沿う。従って、処理方向は、ポートレートモードである場合に画像表示パネル４０の短辺４１に沿った方向であり、ランドスケープモードである場合に画像表示パネル４０の長辺４２に沿った方向である。処理方向は、レンダリング処理を行う画素４８の選択に用いられる。従って、レンダリング箇所決定部２１は、レンダリング処理を行うために選択する画素４８が、表示モードによって変化する場合がある。
【００４６】
（パターン情報の取得処理）
次に、パターン情報取得部２２によるパターン情報の取得処理について説明する。制御装置１１の表示モード決定部１３は、例えば加速度センサにより、鉛直方向に対する表示装置１０の向きを検出する。表示モード決定部１３は、表示装置１０の向きに基づき、画像表示パネル４０を、第１ポートレートモード、第２ポートレートモード、第１ランドスケープモード及び第２ランドスケープモードのうちいずれの表示モードにするかを決定する。制御装置１１は、表示モードに対応した入力信号を信号処理部２０に出力する。また、表示モード決定部１３は、決定した表示モードが、第１配列パターンであるか第２配列パターンであるかを判断し、第１配列パターンであるか第２配列パターンであるかのパターン情報を生成する。パターン情報取得部２２は、このパターン情報を取得する。なお、表示モード決定部１３は、表示装置１０の向き以外にも、例えば操作者の入力、又はアプリケーションの起動により、表示モードを決定してもよい。
【００４７】
なお、表示モード部１３が、表示モード（第１ポートレートモード、第２ポートレートモード、第１ランドスケープモード又は第２ランドスケープモード）の情報のみをパターン情報取得部２２に出力し、パターン情報取得部２２が、その表示モードが第１配列パターンであるか第２配列パターンであるかを判断するものであってもよい。また、表示モード決定部１３は、表示装置１０が有していてもよい。
【００４８】
次に、第１配列パターン及び第２配列パターンについて説明する。画像表示パネル４０は、表示モードが切り替えられることにより、表示画像の行方向である第１方向Ｆ１と短辺４１及び長辺４２との位置関係が変化する。また、上述のように、副画素４９の第１方向Ｆ１での配列順は、表示モードに応じて変化する。レンダリング処理を行う上での処理方向は、第１方向Ｆ１に対応するため、副画素４９の処理方向における配列順は、表示モードに応じて変化するということができる。第１配列パターンと第２配列パターンとは、処理方向における副画素４９の配列順が互いに異なるものである。具体的には、第１配列パターンにおける副画素４９の配列は、第１副画素４９Ｒの処理方向（ここでは第１方向Ｆ１）側に、同一画素４８に属する第２副画素４９Ｇが隣接する配列、又は、第２副画素４９Ｇの処理方向（ここでは第１方向Ｆ１）側に、同一画素４８に属する第３副画素４９Ｂが隣接する配列である。また、第２配列パターンにおける副画素４９の配列は、第２副画素４９Ｇの処理方向（ここでは第１方向Ｆ１）側に、同一画素４８に属する第１副画素４９Ｒが隣接する配列、又は、第３副画素４９Ｂの処理方向（ここでは第１方向Ｆ１）側に、同一画素４８に属する第２副画素４９Ｇが隣接する配列である。
【００４９】
図１１は、第１配列パターンでの副画素配列の一例を示す模式図である。図１２は、第２配列パターンでの副画素配列の一例を示す模式図である。図１１に示す第１配列パターンの副画素配列の一例では、第２副画素４９Ｇの処理方向（第１方向Ｆ１）側に、同一画素４８に属する第３副画素４９Ｂが隣接している。図１２に示す第２配列パターンの副画素配列は、第２副画素４９Ｇの処理方向（第１方向Ｆ１）側に、同一画素４８に属する第１副画素４９Ｒが隣接している。なお、図１１は、図６の第１ランドスケープモードに対応し、図１２は、図５の第１ポートレートモードに対応する。
【００５０】
第１実施形態において、表示モード決定部１３は、画像表示パネル４０の表示モードが第１ランドスケープモード又は第２ポートレートモードである場合、第１配列パターンであると判定する。また、表示モード決定部１３は、画像表示パネル４０の表示モードが第１ポートレートモード又は第２ランドスケープモードである場合、第２配列パターンであると判定する。画像表示パネル４０は、表示モード（第１ポートレートモード、第２ポートレートモード、第１ランドスケープモード又は第２ランドスケープモード）が固定された場合における副画素４９の配列は、設計時に決まっている。表示モード決定部１３は、表示モードと、第１配列パターン及び第２配列パターンとの関係を記憶している。表示モードと、第１配列パターン及び第２配列パターンとの関係は、副画素配列の設計に応じて異なり、上述の第１実施形態での関係に限られない。
【００５１】
（レンダリング処理の選択及び実行）
次に、レンダリング部によるレンダリング処理の選択及び実行について説明する。レンダリング選択部７２は、パターン情報に基づき、ＲＧＢレンダリング処理（第１サブピクセルレンダリング処理）と、ＢＧＲレンダリング処理（第２サブピクセルレンダリング処理）とのいずれを行うかを選択する。詳しくは後述するが、レンダリング処理部７４は、レンダリング処理を行うと決定した画素４８の入力信号に、選択したレンダリング処理を行うことにより、その画素４８のレンダリング入力信号を生成する。
【００５２】
最初に、ＲＧＢレンダリング処理及びＢＧＲレンダリング処理について説明する。以下、第（ｐ、ｑ）番目の画素４８（ｐ，ｑ）（但し、１≦ｐ≦Ｐ０，１≦ｑ≦Ｑ０）における第１副画素のレンダリング入力信号の信号値を、ｘＡ１−（ｐ、ｑ）とし、第２副画素のレンダリング入力信号の信号値を、ｘＡ２−（ｐ、ｑ）とし、第３副画素のレンダリング入力信号の信号値を、ｘＡ３−（ｐ、ｑ）とする。
【００５３】
図１３は、ＲＧＢレンダリング処理により生成されたレンダリング入力信号を説明する模式図である。図１３は、図１０に示す各画素の入力信号に対して、ＲＧＢレンダリング処理を行った場合のレンダリング入力信号値を示している。ＲＧＢレンダリングは、第１副画素４９Ｒの入力信号、第２副画素４９Ｇの入力信号、第３副画素４９Ｂの入力信号の順で、入力信号を段階的に変化させる処理である。図１３に示すように、画素４８（ａ＋１，ｂ）と画素４８（ａ＋３，ｂ）とは、ＲＧＢレンダリング処理が行われ、レンダリング入力信号が生成される。画素４８（ａ＋１，ｂ）の各副画素の入力信号値は、２５５である。画素４８（ａ＋１，ｂ）は、ＲＧＢレンダリング処理により、第１副画素レンダリング入力信号値ｘＡ１−（ａ＋１、ｂ）が２５０となり、第２副画素レンダリング入力信号値ｘＡ２−（ａ＋１、ｂ）が２００となり、第３副画素レンダリング入力信号値ｘＡ３−（ａ＋１、ｂ）が１５０となる。同様に、画素４８（ａ＋３，ｂ）は、ＲＧＢレンダリング処理により、第１副画素レンダリング入力信号値ｘ１−（ａ＋３、ｂ）が１５０となり、第２副画素レンダリング入力信号値ｘ２−（ａ＋３、ｂ）が２００となり、第３副画素レンダリング入力信号値ｘ３−（ａ＋３、ｂ）が２５０となる。他の画素は、レンダリング処理を行わない。
【００５４】
ＲＧＢレンダリング処理を行った場合、画素４８（ａ＋１，ｂ）のレンダリング入力信号値は、入力信号値が２５５である画素４８（ａ，ｂ）から、入力信号値が１００である画素４８（ａ＋２，ｂ）に向かって、第１副画素レンダリング入力信号値ｘＡ１−（ａ＋１、ｂ）、第２副画素レンダリング入力信号値ｘＡ２−（ａ＋１、ｂ）、第３副画素レンダリング入力信号値ｘＡ３−（ａ＋１、ｂ）の順で、段階的に減少する。また、ＲＧＢレンダリング処理を行った場合、画素４８（ａ＋３，ｂ）のレンダリング入力信号値は、入力信号値が１００である画素４８（ａ＋２，ｂ）から、入力信号値が２５５である画素４８（ａ＋４，ｂ）に向かって、第１副画素レンダリング入力信号値ｘＡ１−（ａ＋３、ｂ）、第２副画素レンダリング入力信号値ｘＡ２−（ａ＋３、ｂ）、第３副画素レンダリング入力信号値ｘＡ３−（ａ＋３、ｂ）の順で、段階的に増加する。
【００５５】
このように、ＲＧＢレンダリング処理は、画素４８（ａ＋１，ｂ）における第１副画素レンダリング入力信号値ｘＡ１−（ａ＋１、ｂ）を、画素４８（ａ，ｂ）の副画素の入力信号値と、画素４８（ａ＋２，ｂ）の副画素の入力信号値との間にする。そして、ＲＧＢレンダリング処理は、画素４８（ａ＋１，ｂ）における第２副画素レンダリング入力信号値ｘＡ２−（ａ＋１、ｂ）を、第１副画素レンダリング入力信号値ｘＡ１−（ａ＋１、ｂ）と、画素４８（ａ＋２，ｂ）の副画素の入力信号値との間にする。そして、ＲＧＢレンダリング処理は、画素４８（ａ＋１，ｂ）における第３副画素レンダリング入力信号値ｘＡ３−（ａ＋１、ｂ）を、第２副画素レンダリング入力信号値ｘＡ２−（ａ＋１、ｂ）と、画素４８（ａ＋２，ｂ）の副画素の入力信号値との間にする。さらに詳しくは、画素４８（ａ，ｂ）の副画素の入力信号値が、画素４８（ａ＋２，ｂ）の副画素の入力信号値よりも大きい場合、ＲＧＢレンダリング処理は、第１副画素レンダリング入力信号値ｘＡ１−（ａ＋１、ｂ）、第２副画素レンダリング入力信号値ｘＡ２−（ａ＋１、ｂ）及び第３副画素レンダリング入力信号値ｘＡ３−（ａ＋１、ｂ）のうち、第１副画素レンダリング入力信号値ｘＡ１−（ａ＋１、ｂ）を最大とし、第３副画素レンダリング入力信号値ｘＡ３−（ａ＋１、ｂ）を最小とする処理である。
【００５６】
図１４は、ＢＧＲレンダリング処理により生成されたレンダリング入力信号を説明する模式図である。図１４は、図１０に示す各画素の入力信号に対して、ＢＧＲレンダリング処理を行った場合のレンダリング入力信号値を示している。ＢＧＲレンダリング処理は、ＲＧＢレンダリング処理とは、副画素４９の入力信号値の変化が異なる処理である。ＢＧＲレンダリング処理は、ＲＧＢレンダリングと逆の順、すなわち第３副画素４９Ｂの入力信号、第２副画素４９Ｇの入力信号、第１副画素４９Ｒの入力信号の順で、段階的に入力信号を変化させる。画素４８（ａ＋１，ｂ）は、ＢＧＲレンダリング処理により、第１副画素レンダリング入力信号値ｘＡ１−（ａ＋１、ｂ）が１５０となり、第２副画素レンダリング入力信号値ｘＡ２−（ａ＋１、ｂ）が２００となり、第３副画素レンダリング入力信号値ｘＡ３−（ａ＋１、ｂ）が２５０となる。同様に、画素４８（ａ＋３，ｂ）は、ＢＧＲレンダリング処理により、第１副画素レンダリング入力信号値ｘ１−（ａ＋３、ｂ）が２５０となり、第２副画素レンダリング入力信号値ｘ２−（ａ＋３、ｂ）が２００となり、第３副画素レンダリング入力信号値ｘ３−（ａ＋３、ｂ）が１５０となる。
【００５７】
このように、ＢＧＲレンダリング処理は、画素４８（ａ＋１，ｂ）における第１副画素レンダリング入力信号値ｘＡ１−（ａ＋１、ｂ）を、画素４８（ａ，ｂ）の副画素の入力信号値と、画素４８（ａ＋２，ｂ）の副画素の入力信号値との間にする。そして、ＢＧＲレンダリング処理は、画素４８（ａ＋１，ｂ）における第２副画素レンダリング入力信号値ｘＡ２−（ａ＋１、ｂ）を、第１副画素レンダリング入力信号値ｘＡ１−（ａ＋１、ｂ）と、画素４８（ａ，ｂ）の副画素の入力信号値との間にする。そして、ＢＧＲレンダリング処理は、画素４８（ａ＋１，ｂ）における第３副画素レンダリング入力信号値ｘＡ３−（ａ＋１、ｂ）を、第２副画素レンダリング入力信号値ｘＡ２−（ａ＋１、ｂ）と、画素４８（ａ，ｂ）の副画素の入力信号値との間にする。さらに詳しくは、画素４８（ａ，ｂ）の副画素の入力信号値が、画素４８（ａ＋２，ｂ）の副画素の入力信号値よりも大きい場合、ＢＧＲレンダリング処理は、第１副画素レンダリング入力信号値ｘＡ１−（ａ＋１、ｂ）、第２副画素レンダリング入力信号値ｘＡ２−（ａ＋１、ｂ）及び第３副画素レンダリング入力信号値ｘＡ３−（ａ＋１、ｂ）のうち、第１副画素レンダリング入力信号値ｘＡ１−（ａ＋１、ｂ）を最大とし、第３副画素レンダリング入力信号値ｘＡ３−（ａ＋１、ｂ）を最小とする処理である。
【００５８】
レンダリング選択部７２は、第１配列パターンである場合は、ＲＧＢレンダリング処理を選択する。また、レンダリング選択部７２は、第２配列パターンである場合は、ＢＧＲレンダリング処理を選択する。そして、レンダリング処理部７４は、各画素４８の入力信号と、レンダリング箇所情報と、レンダリング情報とに基づき、レンダリング処理を行うと決定した画素４８の入力信号に対し、選択したレンダリング処理を実行する。レンダリング処理部７４は、レンダリング処理を行うと決定した画素４８の入力信号に、選択したレンダリング処理を行うことにより、レンダリング処理を行うと決定した画素４８のレンダリング入力信号を生成する。
【００５９】
（出力信号生成処理）
次に、出力処理部２６による出力信号生成処理について説明する。出力処理部２６は、入力信号及びレンダリング入力信号を処理することで、第１副画素４９Ｒ（ｐ，ｑ）の表示階調を決定するための第１副画素の出力信号（信号値Ｘ１−（ｐ、ｑ））、第２副画素４９Ｇ（ｐ，ｑ）の表示階調を決定するための第２副画素の出力信号（信号値Ｘ２−（ｐ、ｑ））、第３副画素４９Ｂ（ｐ，ｑ）の表示階調を決定するための第３副画素４９Ｂ（ｐ，ｑ）の出力信号（信号値Ｘ３−（ｐ、ｑ））、及び、第４副画素４９Ｗ（ｐ，ｑ）の表示階調を決定するための第４副画素の出力信号（信号値Ｘ４−（ｐ、ｑ））を生成し、出力信号として、画像表示パネル駆動部３０に出力する。以下、出力処理部２６による出力信号の生成処理について、具体的に説明する。
【００６０】
図１５は、第１実施形態の表示装置で再現可能な再現ＨＳＶ色空間の概念図である。図１６は、再現ＨＳＶ色空間の色相と彩度との関係を示す概念図である。表示装置１０は、画素４８に第４色（白色）を出力する第４副画素４９Ｗを備えることで、図１５に示すように、再現される色空間（実施形態１では、ＨＳＶ色空間）における明度のダイナミックレンジが広げられている。つまり、図１５に示すように、表示装置１０が再現する拡大色空間は、第１副画素４９Ｒ、第２副画素４９Ｇ及び第３副画素４９Ｂで表示できる円柱形状の色空間の上に、彩度が高くなるほど明度の最大値が低くなる、彩度軸と明度軸とを含む断面における形状が、斜辺が曲線となる略台形形状となる立体が載っている形状となる。第４色（白色）を加えることで拡大された拡大色空間（実施形態１では、ＨＳＶ色空間）における彩度Ｓを変数とした明度の最大値Ｖmax（Ｓ）が、信号処理部２０に記憶されている。つまり、出力処理部２６は、図１５に示す拡大色空間の立体形状について、彩度と色相の座標（値）毎に明度の最大値Ｖｍａｘ（Ｓ）の値を記憶している。ここで、入力信号は、第１副画素４９Ｒ、第２副画素４９Ｇ及び第３副画素４９Ｂの入力信号で構成されているため、入力信号の色空間は、円柱形状、つまり、拡大色空間の円柱形状部分と同じ形状となる。
【００６１】
最初に、出力処理部２６は、α算出部８２により、１フレーム中の各画素４８の入力信号値及びレンダリング入力信号値に基づき、複数の画素４８における彩度Ｓ及び明度Ｖ（Ｓ）を求め、１フレーム中の全画素４８に共通する伸長係数αを算出する。
【００６２】
α算出部８２は、１フレーム中のそれぞれの画素４８に対して、彩度Ｓ及び明度Ｖ（Ｓ）を求める。一般に、第（ｐ，ｑ）番目の画素において、円柱のＨＳＶ色空間における入力色の彩度（Saturation）Ｓ（ｐ，ｑ）、明度（Value）Ｖ（Ｓ）（ｐ，ｑ）は、第１副画素の入力信号（信号値ｘ１−（ｐ，ｑ））、第２副画素の入力信号（信号値ｘ２−（ｐ，ｑ））及び第３副画素の入力信号（信号値ｘ３−（ｐ，ｑ））に基づき、次の式（１）及び式（２）より求めることができる。
【００６３】
Ｓ（ｐ，ｑ）＝（Ｍａｘ（ｐ，ｑ）−Ｍｉｎ（ｐ，ｑ））／Ｍａｘ（ｐ，ｑ）・・・（１）
Ｖ（Ｓ）（ｐ，ｑ）＝Ｍａｘ（ｐ，ｑ）・・・（２）
【００６４】
ここで、Ｍａｘ（ｐ，ｑ）は、（ｘ１−（ｐ，ｑ）、ｘ２−（ｐ，ｑ）、ｘ３−（ｐ，ｑ））の３個の副画素４９の入力信号値の最大値であり、Ｍｉｎ（ｐ，ｑ）は、（ｘ１−（ｐ，ｑ）、ｘ２−（ｐ，ｑ）、ｘ３−（ｐ，ｑ））の３個の副画素４９の入力信号値の最小値である。
【００６５】
画素４８（ｐ，ｑ）にレンダリング処理が行われている場合、彩度Ｓ（ｐ，ｑ）及び明度Ｖ（Ｓ）（ｐ，ｑ）は、入力信号値（ｘ１−（ｐ，ｑ）、ｘ２−（ｐ，ｑ）、ｘ３−（ｐ，ｑ））の代わりに、レンダリング入力信号値（ｘＡ１−（ｐ，ｑ）、ｘＡ２−（ｐ，ｑ）、ｘＡ３−（ｐ，ｑ））を用いて算出される。
【００６６】
α算出部８２は、各画素４８の明度Ｖ（Ｓ）、及び拡大色空間のＶｍａｘ（Ｓ）に基づき、次の式（３）により各画素４８の伸長係数α（Ｓ）を算出する。
【００６７】
α（Ｓ）＝Ｖｍａｘ（Ｓ）／Ｖ（Ｓ）・・・（３）
【００６８】
α算出部８２は、１フレーム中の全画素４８のそれぞれの伸長係数α（Ｓ）に基づき、１フレーム中の全画素４８に共通する伸長係数αを算出する。第１実施形態では、１フレーム中の全画素４８のそれぞれの伸長係数α（Ｓ）の最小値を、伸長係数αとする。また、α算出部８２は、明度Ｖ（Ｓ）と伸長係数αの積から求められた伸長された明度の値が最大値Ｖｍａｘ（Ｓ）を超える画素の全画素に対する割合が限界値β（Ｌｉｍｉｔ値）以下となるように伸長係数αを決定してもよい。ここで、限界値βは、色相及び彩度の値の組み合わせにおいて再現ＨＳＶ色空間の明度の最大値に対して当該最大値を超える幅の割合の上限の値（割合）となる。
【００６９】
ここで、Ｖｍａｘ（Ｓ）は、図１５に示す拡大色空間において再現可能な明度の最大値である。Ｖｍａｘ（Ｓ）は、次の式（４）、式（５）で表すことができる。
【００７０】
Ｓ≦Ｓ０の場合：
Ｖｍａｘ（Ｓ）＝（χ＋１）・（２ｎ−１）・・・（４）
【００７１】
Ｓ０＜Ｓ≦１の場合：
Ｖｍａｘ（Ｓ）＝（２ｎ−１）・（１／Ｓ）・・・（５）
【００７２】
ここで、Ｓ０＝１／（χ＋１）である。χについては、後述する。実施形態１ではｎ＝８とした。すなわち、表示階調ビット数を８ビット（表示階調の値を０から２５５の２５６階調）とした。
【００７３】
出力信号生成部８８は、α算出部８２から、伸長係数αの値、レンダリング処理を行った画素のレンダリング入力信号、及び他の画素の入力信号を取得する。出力信号生成部８８は、第４副画素の出力信号値Ｘ４−（ｐ，ｑ）を、少なくとも第１副画素の入力信号（信号値ｘ１−（ｐ，ｑ））、第２副画素の入力信号（信号値ｘ２−（ｐ，ｑ））及び第３副画素の入力信号（信号値ｘ３−（ｐ，ｑ））に基づいて算出する。より詳しくは、出力信号生成部８８は、Ｍｉｎ（ｐ，ｑ）と伸長係数αとの積に基づき第４副画素の出力信号値Ｘ４−（ｐ，ｑ）を求める。具体的には、信号処理部２０は、下記の式（６）に基づいて信号値Ｘ４−（ｐ，ｑ）を求めることができる。式（６）では、Ｍｉｎ（ｐ，ｑ）と伸長係数αとの積をχで除しているが、これに限定するものではない。
【００７４】
Ｘ４−（ｐ，ｑ）＝Ｍｉｎ（ｐ，ｑ）・α／χ・・・（６）
【００７５】
画素４８（ｐ，ｑ）にレンダリング処理が行われている場合、第４副画素の出力信号値Ｘ４−（ｐ，ｑ）は、第１副画素入力信号値ｘ１−（ｐ，ｑ）、第２副画素入力信号値ｘ２−（ｐ，ｑ）、第３副画素入力信号値ｘ３−（ｐ，ｑ）の代わりに、第１副画素レンダリング入力信号値ｘＡ１−（ｐ，ｑ）、第２副画素レンダリング入力信号値ｘＡ２−（ｐ，ｑ）、第３副画素入力信号値ｘＡ３−（ｐ，ｑ）を用いて算出される。
【００７６】
ここで、χは表示装置１０に依存した定数である。白色を表示する第４副画素４９Ｗには、カラーフィルタが配置されていない。第４色を表示する第４副画素４９Ｗは、同じ光源点灯量で照射された場合、第１色を表示する第１副画素４９Ｒ、第２色を表示する第２副画素４９Ｇ、第３色を表示する第３副画素４９Ｂよりも明るい。第１副画素４９Ｒに第１副画素４９Ｒの出力信号の最大信号値に相当する値を有する信号が入力され、第２副画素４９Ｇに第２副画素４９Ｇの出力信号の最大信号値に相当する値を有する信号が入力され、第３副画素４９Ｂに第３副画素４９Ｂの出力信号の最大信号値に相当する値を有する信号が入力されたときの、画素４８又は画素４８の群が備える第１副画素４９Ｒ、第２副画素４９Ｇ及び第３副画素４９Ｂの集合体の輝度をＢＮ１−３とする。また、画素４８又は画素４８の群が備える第４副画素４９Ｗに、第４副画素４９Ｗの出力信号の最大信号値に相当する値を有する信号が入力されたときの第４副画素４９Ｗの輝度をＢＮ４としたときを想定する。すなわち、第１副画素４９Ｒ、第２副画素４９Ｇ及び第３副画素４９Ｂの集合体によって最大輝度の白色が表示され、この白色の輝度がＢＮ１−３で表される。すると、χを表示装置１０に依存した定数としたとき、定数χは、χ＝ＢＮ４／ＢＮ１−３で表される。
【００７７】
具体的には、第１副画素４９Ｒ、第２副画素４９Ｇ及び第３副画素４９Ｂの集合体に、次の表示階調の値を有する入力信号として、信号値ｘ１−（ｐ，ｑ）＝２５５、信号値ｘ２−（ｐ，ｑ）＝２５５、信号値ｘ３−（ｐ，ｑ）＝２５５が入力されたときにおける白色の輝度ＢＮ１−３に対して、第４副画素４９Ｗに表示階調の値２５５を有する入力信号が入力されたと仮定したときの輝度ＢＮ４は、例えば、１．５倍である。すなわち、実施形態１にあっては、χ＝１．５である。
【００７８】
次に、出力信号生成部８８は、少なくとも第１副画素の入力信号（信号値ｘ１−（ｐ，ｑ））及び伸長係数αに基づいて、第１副画素の出力信号（信号値Ｘ１−（ｐ，ｑ））を算出し、少なくとも第２副画素の入力信号（信号値ｘ２−（ｐ，ｑ））及び伸長係数αに基づいて第２副画素の出力信号（信号値Ｘ２−（ｐ，ｑ））を算出し、少なくとも第３副画素の入力信号（信号値ｘ３−（ｐ，ｑ））及び伸長係数αに基づいて第３副画素の出力信号（信号値Ｘ３−（ｐ，ｑ））を算出する。
【００７９】
具体的には、出力信号生成部８８は、第１副画素の入力信号、伸長係数α及び第４副画素の出力信号に基づいて第１副画素の出力信号を算出し、第２副画素の入力信号、伸長係数α及び第４副画素の出力信号に基づいて第２副画素の出力信号を算出し、第３副画素の入力信号、伸長係数α及び第４副画素の出力信号に基づいて第３副画素の出力信号を算出する。
【００８０】
つまり、出力信号生成部８８は、χを表示装置に依存した定数としたとき、第（ｐ，ｑ）番目の画素（あるいは、第１副画素４９Ｒ、第２副画素４９Ｇ及び第３副画素４９Ｂの組）への第１副画素の出力信号値Ｘ１−（ｐ，ｑ）、第２副画素の出力信号値Ｘ２−（ｐ，ｑ）及び第３副画素の出力信号値Ｘ３−（ｐ，ｑ）を、以下の式（７），（８），（９）から求める。
【００８１】
Ｘ１−（ｐ，ｑ）＝α・ｘ１−（ｐ，ｑ）−χ・Ｘ４−（ｐ，ｑ）・・・（７）
Ｘ２−（ｐ，ｑ）＝α・ｘ２−（ｐ，ｑ）−χ・Ｘ４−（ｐ，ｑ）・・・（８）
Ｘ３−（ｐ，ｑ）＝α・ｘ３−（ｐ，ｑ）−χ・Ｘ４−（ｐ，ｑ）・・・（９）
【００８２】
画素４８（ｐ，ｑ）にレンダリング処理が行われている場合、第１副画素の出力信号値Ｘ１−（ｐ，ｑ）は、第１副画素入力信号値ｘ１−（ｐ，ｑ）の代わりに、第１副画素レンダリング入力信号値ｘＡ１−（ｐ，ｑ）を用いて算出される。同様に、画素４８（ｐ，ｑ）にレンダリング処理が行われている場合、第２副画素の出力信号値Ｘ２−（ｐ，ｑ）は、第２副画素入力信号値ｘ２−（ｐ，ｑ）の代わりに、第２副画素レンダリング入力信号値ｘＡ２−（ｐ，ｑ）を用いて算出される。同様に、画素４８（ｐ，ｑ）にレンダリング処理が行われている場合、第３副画素の出力信号値Ｘ３−（ｐ，ｑ）は、第３副画素入力信号値ｘ３−（ｐ，ｑ）の代わりに、第３副画素レンダリング入力信号値ｘＡ３−（ｐ，ｑ）を用いて算出される。
【００８３】
出力信号生成部８８は、以上のように算出した各副画素の出力信号を、画像表示パネル駆動部３０に出力する。
【００８４】
次に、以上説明した信号処理部２０の処理動作の工程を、フローチャートに基づき説明する。図１７は、第１実施形態に係る信号処理部の処理動作を説明するフローチャートである。図１７に示すように、最初に、信号処理部２０のレンダリング箇所決定部２１は、各画素４８の入力信号に基づき、レンダリング処理を行う画素４８を選択する（ステップＳ１１）。レンダリング箇所決定部２１は、画素４８（ａ，ｂ）の各副画素４９（ａ，ｂ）の入力信号値と、画素４８（ａ＋２，ｂ）の各副画素４９（ａ＋２，ｂ）の入力信号値との差が、所定の閾値以上である場合に、画素４８（ａ＋１，ｂ）に対してレンダリング処理を行うことを決定する。
【００８５】
また、信号処理部２０のパターン情報取得部２２は、画像表示パネル４０が第１配列パターンであるか第２配列パターンであるかのパターン情報を取得する（ステップＳ１２）。第１実施形態において、第１配列パターンであるか第２配列パターンであるかは、制御装置１１の表示モード決定部１３が判断する。表示モード決定部１３は、例えば第１ランドスケープモード、又は第２ポートレートモードである場合、第１配列パターンであると判断する。また、表示モード決定部１３は、例えば第２ランドスケープモード、又は第１ポートレートモードである場合、第２配列パターンであると判断する。
【００８６】
パターン情報取得部２２がパターン情報を取得した後、信号処理部２０のレンダリング選択部７２は、パターン情報取得部２２からのパターン情報を取得し、画像表示パネル４０が第１配列パターンである場合（ステップＳ１４；Ｙｅｓ）、ＲＧＢレンダリング処理を行うことを選択する（ステップＳ１６）。また、信号処理部２０のレンダリング選択部７２は、画像表示パネル４０が第１配列パターンでない場合（ステップＳ１４；Ｎｏ）、すなわち第２配列パターンである場合、ＢＧＲレンダリング処理を行うことを選択する（ステップＳ１８）。なお、上述のステップＳ１１は、後述のステップＳ２０より前に行われるものであれば、ステップＳ１２、Ｓ１４、Ｓ１６及びステップＳ１８より前後いずれに行われてもよいし、同時に行われてもよい。
【００８７】
ステップＳ１１によりレンダリング処理を行う画素４８を選択し、ステップＳ１６及びステップＳ１８によりＲＧＢレンダリングを行うかＢＧＲレンダリングを行うか選択した後、信号処理部２０のレンダリング処理部７４は、選択した画素４８の入力信号に対し、選択したレンダリング処理（ＲＧＢレンダリング又はＢＧＲレンダリング）を実行し、選択した画素４８のレンダリング入力信号を生成する（ステップＳ２０）。
【００８８】
レンダリング入力信号が生成された後、信号処理部２０のα算出部８２は、レンダリング入力信号及び入力信号に基づき、１フレーム中の全画素４８に共通する伸長係数αを算出する（ステップＳ２２）。α算出部８２は、上述の式（３）に基づき各画素の伸長係数α（Ｓ）を算出し、１フレーム中の全画素４８の伸長係数α（Ｓ）の最小値を、１フレーム中の全画素４８に共通する伸長係数αとする。
【００８９】
伸長係数αが算出された後、信号処理部２０の出力信号生成部８８は、レンダリング入力信号、入力信号及び伸長係数αに基づき、各画素４８の出力信号を生成する（ステップＳ２４）。出力信号生成部８８は、上述の式（６）により第４副画素の出力信号値Ｘ４−（ｐ，ｑ）を算出する。また、出力信号生成部８８は、上述の式（７）から式（９）により、第１副画素の出力信号値Ｘ１−（ｐ，ｑ）、第２副画素の出力信号値Ｘ２−（ｐ，ｑ）及び第３副画素の出力信号値Ｘ３−（ｐ，ｑ）を算出する。なお、画素４８（ｐ，ｑ）にレンダリング処理が行われている場合、第１副画素入力信号値ｘ１−（ｐ，ｑ）、第２副画素入力信号値ｘ２−（ｐ，ｑ）、第３副画素入力信号値ｘ３−（ｐ，ｑ）の代わりに、第１副画素レンダリング入力信号値ｘＡ１−（ｐ，ｑ）、第２副画素レンダリング入力信号値ｘＡ２−（ｐ，ｑ）、第３副画素レンダリング入力信号値ｘＡ３−（ｐ，ｑ）が用いられる。ステップＳ２４により、信号処理部２０の本処理は終了する。
【００９０】
（表示例）
次に、第１実施形態に係るレンダリング処理を行った場合の副画素の表示例について説明する。最初に、比較例１に係るレンダリング処理について説明する。図１８は、比較例１に係るレンダリング処理を行った場合の各副画素の出力信号を示す模式図である。比較例１に係る表示装置１０Ｙは、第１実施形態と同様に、表示モード（ランドスケープモード、ポートレートモード）が切り替えられる。図１８に示すように、比較例１に係る画像表示パネル４０Ｙは、第１方向Ｆ１に沿って配列している画素４８Ｙ（ａ，ｂ）と、画素４８Ｙ（ａ＋１，ｂ）と、画素４８Ｙ（ａ＋２，ｂ）と、画素４８Ｙ（ａ＋３，ｂ）と、画素４８Ｙ（ａ＋４，ｂ）とを有する。また、比較例１に係る画像表示パネル４０Ｙの副画素配列は、第１実施形態と同じである。図１８は、第１ポートレートモードでの副画素配列を示している。
【００９１】
比較例１に係る表示装置１０Ｙは、表示モードによってレンダリング処理を変更しない。比較例１に係る表示装置１０Ｙは、どの表示モードにおいても、ＲＧＢレンダリングを実行する。図１８に示すように、比較例１ではＲＧＢレンダリングを実行するため、比較例１に係る各画素４８Ｙのレンダリング入力信号値は、図１３と同じになる。
【００９２】
比較例１に係る表示装置１０Ｙは、実施形態１と同様の方法で、入力信号及びレンダリング入力信号に基づき、出力信号を生成する。図１８に示すように、比較例１に係る画素４８Ｙ（ａ，ｂ）の各副画素の出力信号は、１８０となる。また、画素４８Ｙ（ａ＋１，ｂ）は、第１副画素の出力信号値ＸＹ１−（a＋１，ｂ）が２３０であり、第２副画素の出力信号値ＸＹ２−（a＋１，ｂ）が１８０であり、第３副画素の出力信号値ＸＹ３−（a＋１，ｂ）は、１１０であり、第４副画素の出力信号値ＸＹ４−（a＋１，ｂ）は、１００である。画素４８Ｙ（ａ＋２，ｂ）の各副画素の出力信号は、７０となる。また、画素４８Ｙ（ａ＋３，ｂ）は、第１副画素の出力信号値ＸＹ１−（a＋３，ｂ）が１１０であり、第２副画素の出力信号値ＸＹ２−（a＋３，ｂ）が１８０であり、第３副画素の出力信号値ＸＹ３−（a＋３，ｂ）は、２３０であり、第４副画素の出力信号値ＸＹ４−（a＋３，ｂ）は、１００である。画素４８Ｙ（ａ＋４，ｂ）の各副画素の出力信号は、１８０となる。
【００９３】
ここで、画素４８Ｙ（ａ＋３，ｂ）は、副画素４９ＹＲと副画素４９ＹＷがＹ方向に沿って配列しており、出力信号値がそれぞれ１１０、１００である。そして、画素４８Ｙ（ａ＋３，ｂ）の副画素４９ＹＲ及び副画素４９ＹＷとＸ方向に沿って隣接する副画素は、画素４８Ｙ（ａ＋３，ｂ）の副画素４９ＹＧ及び副画素４９ＹＢと、画素４８Ｙ（ａ＋４，ｂ）の副画素４９ＹＧ及び副画素４９ＹＢとである。画素４８Ｙ（ａ＋３，ｂ）の副画素４９ＹＧ及び副画素４９ＹＢの出力信号値は、それぞれ１８０、２３０である。また、画素４８Ｙ（ａ＋４，ｂ）の副画素４９ＹＧ及び副画素４９ＹＢの出力信号値は、１８０である。このように、画素４８Ｙ（ａ＋３，ｂ）の副画素４９ＹＲ及び副画素４９ＹＷは、Ｘ方向に沿って両側に隣接する副画素よりも、出力信号値が小さい。そのため、比較例１に係る画像表示パネル４０Ｙは、画素４８Ｙ（ａ＋４，ｂ）の副画素４９ＹＧ及び副画素４９ＹＢが配列するＹ方向に沿ったラインＬ１が、周りよりも暗くなり、暗い線として観察者に認識されるおそれがある。このように、比較例１に係る表示装置１０Ｙは、表示モードによってレンダリング処理を変更しないため、レンダリング処理を行った場合に、暗い線が観察者に視認されるなど、画像の劣化が認識されるおそれがある。
【００９４】
図１９は、第１実施形態に係るレンダリング処理を行った場合の各副画素の出力信号を示す模式図である。第１実施形態に係る表示装置１０は、表示モードに基づき、レンダリング処理を変更する。すなわち、第１実施形態に係る表示装置１０は、第１配列パターンである場合にＲＧＢレンダリング処理を実行し、第２配列パターンである場合にＢＧＲレンダリング処理を実行する。図１９は、図１８と同様の第１ポートレートモードである場合に、第１実施形態に係るレンダリング処理を行って、出力信号を表示した例を示している。上述のように、第１ポートレートモードである場合、第１実施形態に係る信号処理部２０は、ＢＧＲレンダリングを実行する。図１９に示すように、画素４８（ａ，ｂ）、画素４８（ａ＋２，ｂ）、画素４８（ａ＋４，ｂ）の各副画素の出力信号は、図１８に示す比較例１と同じ値となる。一方、画素４８（ａ＋１，ｂ）は、第１副画素の出力信号値Ｘ１−（a＋１，ｂ）が１１０であり、第２副画素の出力信号値Ｘ２−（a＋１，ｂ）が１８０であり、第３副画素の出力信号値Ｘ３−（a＋１，ｂ）は、２３０であり、第４副画素の出力信号値Ｘ４−（a＋１，ｂ）が１００である。そして、画素４８（ａ＋３，ｂ）は、第１副画素の出力信号値Ｘ１−（a＋３，ｂ）が２３０であり、第２副画素の出力信号値Ｘ２−（a＋３，ｂ）が１８０であり、第３副画素の出力信号値Ｘ３−（a＋３，ｂ）が１１０であり、第４副画素の出力信号値Ｘ４−（a＋３，ｂ）が１００である。
【００９５】
画素４８（ａ＋３，ｂ）の副画素４９Ｒと副画素４９Ｗとは、出力信号値がそれぞれ２３０、１００である。そして、画素４８（ａ＋３，ｂ）の副画素４９Ｇ及び副画素４９Ｂの出力信号値は、それぞれ１８０、１１０である。また、画素４８（ａ＋４，ｂ）の副画素４９Ｇ及び副画素４９Ｂの出力信号値は、１８０である。このように、画素４８（ａ＋３，ｂ）の副画素４９Ｒと副画素４９Ｗとは、Ｘ方向に沿って両側に隣接する副画素よりも出力信号値が小さくなることが抑制されている。従って、第１実施形態に係る画像表示パネル４０は、画素４８（ａ＋３，ｂ）の副画素４９Ｒと副画素４９Ｗとが配列するＹ方向に沿ったラインＬ２が、暗い線と認識されることを抑制することができる。このように、第１実施形態に係る表示装置１０は、表示モードが切り替えられた場合であっても、レンダリング処理を行った際の画像の劣化を抑制することができる。
【００９６】
以上説明したように、第１実施形態に係る表示装置１０は、第１副画素４９Ｒ、第２副画素４９Ｇ、第３副画素４９Ｂ、及び第４副画素４９Ｗが２行２列に配置される画素４８が、第１辺（短辺４１）及び第２辺（長辺４２）を有する四角形状の表示領域４３に行列状に複数配列される画像表示パネル４０を有する。この画像表示パネル４０は、第１辺に沿った方向を表示画像の所定の一方向（ここではＸ方向）とするポートレートモード、又は第２辺に沿った方向を表示画像の所定の一方向（ここではＸ方向）とするランドスケープモードに対応する画像情報が入力される。また、表示装置１０は、第１副画素４９Ｒ、第２副画素４９Ｇ及び第３副画素４９Ｂへの入力信号の入力値から出力信号を生成し、生成した出力信号を画像表示パネル４０に出力する信号処理部２０を有する。信号処理部２０は、画素４８のうち、処理方向（ここでは第１方向Ｆ１）に沿って配列する画素４８（ａ，ｂ）、画素４８（ａ＋１，ｂ）、画素４８（ａ＋２，ｂ）において、画素４８（ａ，ｂ）の各副画素４９（ａ，ｂ）の入力信号値と、画素４８（ａ＋２，ｂ）の各副画素４９（ａ＋２，ｂ）の入力信号値との差が、所定の閾値以上である場合に、画素４８（ａ＋１，ｂ）に対してレンダリング処理を行うことを決定するレンダリング箇所決定部２１を有する。また、信号処理部２０は、ポートレートモード、又はランドスケープモードのいずれかの表示モードの処理方向（ここでは第１方向Ｆ１）における副画素４９の配列を、副画素４９の配列が異なる第１配列パターン又は第２配列パターンとしてパターン情報を取得するパターン情報取得部２２を有する。また、信号処理部２０は、レンダリング箇所決定部２１の決定、パターン情報に基づき、画素４８（ａ＋１，ｂ）の各副画素の入力信号に対し、第１サブピクセルレンダリング処理（ＲＧＢレンダリング処理）、又は第２サブピクセルレンダリング処理（ＢＧＲレンダリング処理）を行って、画素４８（ａ＋１，ｂ）の各副画素のレンダリング入力信号を生成するレンダリング部２４を有する。ここで、処理方向（ここでは第１方向Ｆ１）は、表示モードがポートレートモードである場合に、表示領域４３の第１辺（短辺４１）に沿う方向であり、表示モードがランドスケープモードである場合に、表示領域４３の第２辺（長辺４２）に沿う方向である。
【００９７】
表示装置１０は、副画素４９が、２行２列のダイアゴナル状に配列し、かつ、画像表示パネル４０が第１配列パターンであるか第２配列パターンであるかに応じて、ＲＧＢレンダリングにするかＢＧＲレンダリングにするかを選択する。表示装置１０は、表示モードに応じたレンダリング処理を実行することができるため、表示モードが切り替わった場合においても、例えば黒い線が視認されることを抑制し、画像の劣化を抑制することができる。
【００９８】
ここで、第１配列パターンである場合、第１副画素４９Ｒの処理方向（第１方向Ｆ１）側に、同一画素４８に属する第２副画素４９Ｇが隣接し、又は、第２副画素４９Ｇの処理方向（第１方向Ｆ１）側に、同一画素４８に属する第３副画素４９Ｂが隣接する。また、第２配列パターンである場合、第２副画素４９Ｇの処理方向（第１方向Ｆ１）側に、同一画素４８に属する第１副画素４９Ｒが隣接し、又は、第３副画素４９Ｂの処理方向（第１方向Ｆ１）側に、同一画素４８に属する第２副画素４９Ｇが隣接する。レンダリング部７２は、この第１配列パターンである場合に、ＲＧＢレンダリングを実行し、第２配列パターンである場合に、ＢＧＲレンダリング処理を実行する。第１配列パターンである場合にＲＧＢレンダリングを行い、第２配列パターンである場合にＢＧＲレンダリングを行うと、例えば黒い線が視認されることを抑制することができる。従って、表示装置１０は、画像の劣化を適切に抑制することができる。
【００９９】
ここで、画素４８（ａ，ｂ）の各副画素の入力信号値が、画素４８（ａ＋２，ｂ）の各副画素の入力信号値よりも大きい場合、ＲＧＢレンダリング処理は、画素４８（ａ＋１，ｂ）の第１副画素レンダリング入力信号値ｘＡ１−（ａ＋１、ｂ）と第２副画素レンダリング入力信号値ｘＡ２−（ａ＋１、ｂ）と第３副画素レンダリング入力信号値ｘＡ３−（ａ＋１、ｂ）とのうち、第１副画素レンダリング入力信号値ｘＡ１−（ａ＋１、ｂ）を最大とし、第３副画素レンダリング入力信号値ｘＡ３−（ａ＋１、ｂ）を最小とする。また、ＢＧＲレンダリング処理は、画素４８（ａ＋１，ｂ）の第１副画素レンダリング入力信号値ｘＡ１−（ａ＋１、ｂ）と第２副画素レンダリング入力信号値ｘＡ２−（ａ＋１、ｂ）と第３副画素レンダリング入力信号値ｘＡ３−（ａ＋１、ｂ）とのうち、第１副画素レンダリング入力信号値ｘＡ１−（ａ＋１、ｂ）を最小とし、第３副画素レンダリング入力信号値ｘＡ３−（ａ＋１、ｂ）を最大とする。表示装置１０は、隣接する副画素の出力信号に合わせて、副画素の出力信号を徐々に変化させるため、表示画像を滑らかにすることができる。
【０１００】
以下に、第１実施形態に係る画像表示パネルの表示モードと配列パターンとレンダリング処理との関係を例示する。図２０Ａは、第１実施形態に係る画像表示パネルの表示モードと配列パターンとレンダリング処理との関係を示す表である。図２０Ａに示すように、画像表示パネル４０が第１ポートレートモードで画像を表示する場合は、副画素の配列が第２配列パターンとなり、ＢＧＲレンダリングが選択される。また、画像表示パネル４０が第１ランドスケープモードで画像を表示する場合は、副画素の配列が第１配列パターンとなり、ＲＧＢレンダリングが選択される。また、画像表示パネル４０が第２ポートレートモードで画像を表示する場合は、副画素の配列が第１配列パターンとなり、ＲＧＢレンダリングが選択される。また、画像表示パネル４０が第２ランドスケープモードで画像を表示する場合は、副画素の配列が第２配列パターンとなり、ＢＧＲレンダリングが選択される。
【０１０１】
また、表示装置１０が有する画像表示パネルは、図２０Ａに示した副画素配列を有する画像表示パネル４０に限られない。表示装置１０が有する画像表示パネルは、画素４８内で第１副画素４９Ｒ、第２副画素４９Ｇ、第３副画素４９Ｂ、第４副画素４９Ｗが２行２列で配列している画像表示パネルであれば、表示モードを固定した場合における副画素配列が画像表示パネル４０と異なるものであってもよい。図２０Ｂは、第１実施形態における他の一例の画像表示パネルの表示モードと配列パターンとレンダリング処理との関係を示す表である。図２０Ｂは、画像表示パネル４０と副画素配列が異なる画像表示パネル４０Ｓにおける表示モードと配列パターンとレンダリング処理との関係を示している。ここで、処理方向を行方向とし、処理方向と直交する方向を直交方向とする。図２０Ｂに示すように、画像表示パネル４０Ｓが有する画素４８Ｓは、第１ポートレートモードにおいて、１列目の１行目に第２副画素４９Ｇを有し、１列目の２行目に第１副画素４９Ｒを有し、２列目の１行目に第３副画素４９Ｂを有し、２列目の２行目に第４副画素４９Ｗを有する。画像表示パネル４０Ｓが第１ポートレートモードで画像を表示する場合は、副画素の配列が第１配列パターンとなり、ＲＧＢレンダリングが選択される。また、画像表示パネル４０Ｓが第１ランドスケープモードで画像を表示する場合は、副画素の配列が第２配列パターンとなり、ＢＧＲレンダリングが選択される。また、画像表示パネル４０Ｓが第２ポートレートモードで画像を表示する場合は、副画素の配列が第２配列パターンとなり、ＢＧＲレンダリングが選択される。また、画像表示パネル４０Ｓが第２ランドスケープモードで画像を表示する場合は、副画素の配列が第１配列パターンとなり、ＲＧＢレンダリングが選択される。
【０１０２】
表示装置１０は、以上説明した画像表示パネル４０Ｓを有していてもよい。さらに言えば、表示装置１０は、画素４８内で第１副画素４９Ｒ、第２副画素４９Ｇ、第３副画素４９Ｂ、第４副画素４９Ｗが２行２列で配列している画像表示パネルであれば、画像表示パネル４０、４０Ｓとは異なる副画素配列を有する画像表示パネルを有していてもよい。表示装置１０がどのような副画素配列を持つ画像表示パネル４０を有していても、第１配列モードは、第１副画素４９Ｒの処理方向側に、同一画素４８に属する第２副画素４９Ｇが隣接し、又は、第２副画素４９Ｇの処理方向側に、同一画素４８に属する第３副画素４９Ｂが隣接するものであればよい。また、第２配列モードは、第２副画素４９Ｇの処理方向側に、同一画素４８に属する第１副画素４９Ｒが隣接し、又は、第３副画素４９Ｂの処理方向側に、同一画素４８に属する第２副画素４９Ｇが隣接するものであればよい。ここで、第１副画素４９Ｒと第２副画素４９Ｇとが処理方向にこの順で配列した場合を、ＲＧ配列とし、第２副画素４９Ｇと第３副画素４９Ｂとが処理方向にこの順で配列した場合を、ＧＢ配列とする。また、第２副画素４９Ｇと第１副画素４９Ｒとが処理方向にこの順で配列した場合を、ＧＲ配列とし、第３副画素４９Ｂと第２副画素４９Ｇとが処理方向にこの順で配列した場合を、ＢＧ配列とする。表示装置１０は、ＲＧ配列又はＧＢ配列の場合に、ＲＧＢレンダリングを選択し、ＧＲ配列又はＢＧ配列の場合に、ＢＧＲレンダリングを選択するということができる。
【０１０３】
（第２実施形態）
次に、第２実施形態について説明する。第２実施形態（第２態様）に係る表示装置１０Ａは、予め決められたレンダリング処理を行いつつ、パターン情報に応じて、第４副画素のレンダリング入力信号に補正処理を行う点で、第１実施形態とは異なる。第２実施形態に係る表示装置１０Ａの構成で、第１実施形態と共通する箇所は、説明を省略する。
【０１０４】
（信号処理部の構成）
図２１は、第２実施形態に係る信号処理部の構成を示すブロック図である。図２１に示すように、第２実施形態に係る信号処理部２０Ａは、パターン情報取得部２２Ａと、レンダリング部２４Ａと、補正処理決定部７６Ａと、α算出部８２Ａと、Ｗ生成信号部８３Ａ（第４副画素生成信号部）と、Ｗ出力信号生成部８４Ａ（第４副画素出力信号生成部）と、出力信号生成部８８Ａと、を有する。
【０１０５】
上述のように、制御装置１１の表示モード決定部１３は、画像表示パネル４０を、第１ポートレートモード、第２ポートレートモード、第１ランドスケープモード及び第２ランドスケープモードのうちいずれの表示モードにするかを決定する。パターン情報取得部２２Ａは、表示モード決定部１３からパターン情報を取得する。第２実施形態におけるパターン情報は、第１配列パターンであるか第２配列パターンであるかの情報に加え、その表示モードにおいて、同一の画素４８における第３副画素４９Ｂと第４副画素４９Ｗとが第１方向Ｆ１に沿って配列しているかの情報も含む。第２実施形態では、同一の画素４８における第３副画素４９Ｂと第４副画素４９Ｗとが第１方向Ｆ１に沿って配列しているかの情報は、第１ＢＷ配列であるか第２ＢＷ配列であるかの情報である。第１ＢＷ配列は、画像表示パネル４０において、同一の画素４８における第３副画素４９Ｂと第４副画素４９Ｗとが第１方向Ｆ１（処理方向）に沿って配列している（第１方向Ｆ１に沿って隣接している）副画素の配列である。また、第２ＢＷ配列は、画像表示パネル４０において、同一の画素４８における第３副画素４９Ｂと第４副画素４９Ｗとが第１方向Ｆ１（処理方向）に沿って配列していない（第１方向Ｆ１に沿って隣接していない）副画素の配列である。なお、第２ＢＷ配列情報は、同一の画素４８における第３副画素４９Ｂと第４副画素４９Ｗとが第１方向Ｆ１と直交する方向に配列している（第１方向Ｆ１と直交する方向に隣接している）ということもできる。
【０１０６】
このように、第２実施形態におけるパターン情報は、第１配列パターンであるか第２配列パターンであるかの情報と、第１ＢＷ配列であるか第２ＢＷ配列であるかの情報を有する。第２実施形態におけるパターン情報は、表示モードの情報によって一義的に決定する。すなわち、画像表示パネル４０が第１ポートレートモードである場合、画像表示パネル４０は、第２配列パターンであり、第１ＢＷ配列である（図２０Ａ参照）。また、画像表示パネル４０が第２ポートレートモードである場合、画像表示パネル４０は、第１配列パターンであり、第１ＢＷ配列である（図２０Ａ参照）。また、画像表示パネル４０が第１ランドスケープモードである場合、画像表示パネル４０は、第１配列パターンであり、第２ＢＷ配列である。また、画像表示パネル４０が第２ランドスケープモードである場合、画像表示パネル４０は、第２配列パターンであり、第２ＢＷ配列である。（図２０Ａ参照）。すなわち、第２実施形態におけるパターン情報は、言い換えれば表示モードの情報（第１ポートレートモード、第２ポートレートモード、第１ランドスケープモード又は第２ランドスケープモード）であるということができる。パターン情報取得部２２Ａは、パターン情報の代わりに、表示モード決定部１３から表示モードの情報（第１ポートレートモード、第２ポートレートモード、第１ランドスケープモード又は第２ランドスケープモード）を取得するものであってもよい。
【０１０７】
レンダリング部２４Ａは、レンダリング箇所決定部２１と、レンダリング処理部７４Ａとを有する。レンダリング処理部７４Ａは、レンダリング箇所決定部２１がレンダリング処理を行うと決定した画素４８に対し、予め定められたレンダリング処理を実行し、レンダリング入力信号を生成する。第２実施形態においては、レンダリング処理部７４Ａは、ＲＧＢレンダリング処理を行う。レンダリング処理部７４Ａは、ＢＧＲレンダリング処理を行うものであってもよいが、ＲＧＢレンダリング又はＢＧＲレンダリングのいずれか１方のみを行うものである。
【０１０８】
補正処理決定部７６Ａは、パターン情報取得部２２Ａから、パターン情報を取得する。また、補正処理決定部７６Ａは、レンダリング処理部７４Ａから、レンダリング入力信号を取得する。補正処理決定部７６Ａは、パターン情報と、レンダリング入力信号とに基づき、レンダリング処理を行った画素４８の第４副画素出力信号を、補正処理により生成するかを決定する。補正処理決定部７６Ａは、補正処理を行うかの情報を有する補正決定情報を、Ｗ生成信号部８３Ａに出力する。補正処理を行うかの決定方法については、後述する。
【０１０９】
α算出部８２Ａは、レンダリング処理を行った画素４８のレンダリング入力信号及び他の画素の入力信号に基づき、第１実施形態と同様の方法で、伸長係数αを算出する。α算出部８２Ａは、レンダリング入力信号、及び伸長係数αの情報を、Ｗ生成信号部８３Ａに出力する。
【０１１０】
Ｗ生成信号部８３Ａは、補正決定情報と、レンダリング入力信号と、伸長係数αとに基づき、補正処理を行うと決定された場合に、レンダリング処理を行った画素４８の第４副画素生成信号を生成する。第４副画素生成信号の生成処理については、後述する。
【０１１１】
Ｗ出力信号生成部８４Ａは、レンダリング処理を行った画素４８のレンダリング入力信号と第４副画素生成信号とに基づき、レンダリング処理を行った画素４８の第４副画素出力信号を生成する。第４副画素出力信号の生成処理については、後述する。
【０１１２】
出力信号生成部８８Ａは、レンダリング処理を行った画素４８について、第４副画素出力信号とレンダリング入力信号とに基づき、第１副画素、第２副画素、第３副画素の出力信号を生成する。出力信号生成部８８Ａは、他の画素４８について、入力信号に基づき、各副画素の出力信号を生成する。出力信号の生成処理については、後述する。
【０１１３】
（信号処理部の処理動作）
以下、信号処理部２０Ａの各部の処理動作の詳細を説明する。レンダリング箇所決定部２１の処理動作は、実施形態１と同様である。レンダリング処理部７４Ａのレンダリング処理は、第１実施形態でのＲＧＢレンダリングと同様である。パターン情報取得部２２の処理も、第１実施形態と同様である。
【０１１４】
補正処理決定部７６Ａは、パターン情報取得部２２から、パターン情報を取得する。また、補正処理決定部７６Ａは、レンダリング入力信号を取得する。補正処理決定部７６Ａは、パターン情報とレンダリング入力信号とに基づき、補正処理を行う画素を決定する。より詳しくは、補正処理決定部７６Ａは、パターン情報と、同一の画素４８における各副画素４９（第１副画素４９Ｒ、第２副画素４９Ｇ、第３副画素４９Ｂ）のレンダリング入力信号値の大小関係に基づき、補正処理を行う画素を決定する。
【０１１５】
具体的には、補正処理決定部７６Ａは、画像表示パネル４０が第２配列パターンであって第１ＢＷ配列である場合（本実施形態における第１ポートレートモード）、画素４８（ａ＋１，ｂ）の第１副画素レンダリング入力信号値ｘＡ１−（ａ＋１、ｂ）、第２副画素レンダリング入力信号値ｘＡ２−（ａ＋１、ｂ）、第３副画素レンダリング入力信号値ｘＡ３−（ａ＋１、ｂ）のうち、第１副画素レンダリング入力信号値ｘＡ１−（ａ＋１、ｂ）が最小であり、第３副画素レンダリング入力信号値ｘＡ３−（ａ＋１、ｂ）が最大である場合に、画素４８（ａ＋１，ｂ）について補正処理を行うことを決定する。
【０１１６】
また、補正処理決定部７６Ａは、画像表示パネル４０が第２配列パターンであって第２ＢＷ配列である場合（本実施形態における第２ランドスケープモード）、画素４８（ａ＋１，ｂ）の第１副画素レンダリング入力信号値ｘＡ１−（ａ＋１、ｂ）、第２副画素レンダリング入力信号値ｘＡ２−（ａ＋１、ｂ）、第３副画素レンダリング入力信号値ｘＡ３−（ａ＋１、ｂ）のうち、第１副画素レンダリング入力信号値ｘＡ１−（ａ＋１、ｂ）が最大であり、第３副画素レンダリング入力信号値ｘＡ３−（ａ＋１、ｂ）が最小である場合に、画素４８（ａ＋１，ｂ）について補正処理を行うことを決定する。
【０１１７】
なお、ＢＧＲレンダリングを行う場合には、補正処理決定部７６Ａは、次の場合に補正処理を行うことを決定する。すなわち、補正処理決定部７６Ａは、画像表示パネル４０が第１配列パターンであって第１ＢＷ配列である場合（本実施形態における第２ポートレートモード）、画素４８（ａ＋１，ｂ）の第１副画素レンダリング入力信号値ｘＡ１−（ａ＋１、ｂ）、第２副画素レンダリング入力信号値ｘＡ２−（ａ＋１、ｂ）、第３副画素レンダリング入力信号値ｘＡ３−（ａ＋１、ｂ）のうち、第１副画素レンダリング入力信号値ｘＡ１−（ａ＋１、ｂ）が最小であり、第３副画素レンダリング入力信号値ｘＡ３−（ａ＋１、ｂ）が最大である場合に、画素４８（ａ＋１，ｂ）について補正処理を行うことを決定する。
【０１１８】
また、補正処理決定部７６Ａは、ＢＧＲレンダリングを行い、画像表示パネル４０が第１配列パターンであって第２ＢＷ配列である場合（本実施形態における第１ランドスケープモード）、画素４８（ａ＋１，ｂ）の第１副画素レンダリング入力信号値ｘＡ１−（ａ＋１、ｂ）、第２副画素レンダリング入力信号値ｘＡ２−（ａ＋１、ｂ）、第３副画素レンダリング入力信号値ｘＡ３−（ａ＋１、ｂ）のうち、第１副画素レンダリング入力信号値ｘＡ１−（ａ＋１、ｂ）が最大であり、第３副画素レンダリング入力信号値ｘＡ３−（ａ＋１、ｂ）が最小である場合に、画素４８（ａ＋１，ｂ）について補正処理を行うことを決定する。
【０１１９】
Ｗ生成信号部８３Ａは、補正処理を行うと決定された場合に、レンダリング処理を行った画素４８の第４副画素生成信号を生成する。ここで、画素４８（ａ＋１，ｂ）についてレンダリング処理が実行され、補正処理を行うと決定された場合について説明する。Ｗ生成信号部８３Ａは、画素４８（ａ＋１，ｂ）の第４副画素生成信号値ＸＡ４−（ａ＋１，ｂ）を、次の式（１０）により算出する。
【０１２０】
ＸＡ４−（ａ＋１，ｂ）＝Ｍｉｎ（ａ＋１，ｂ）・α／χ・・・（１０）
【０１２１】
ここで、Ｍｉｎ（ａ＋１，ｂ）は、第１副画素レンダリング入力信号値ｘＡ１−（ａ＋１，ｂ）、第２副画素レンダリング入力信号値ｘＡ２−（ａ＋１，ｂ）、第３副画素入力信号値ｘＡ３−（ａ＋１，ｂ）の最小値である。すなわち、第４副画素生成信号値ＸＡ４−（ａ＋１，ｂ）は、第１実施形態に係る第４副画素出力信号と同様の方法で算出されるといえる。
【０１２２】
Ｗ出力信号生成部８４Ａは、第４副画素生成信号を生成した画素４８（ａ＋１，ｂ）について、第４副画素の出力信号を生成する。Ｗ出力信号生成部８４Ａは、第４副画素生成信号値ＸＡ４−（ａ＋１，ｂ）と、他の副画素４９の入力信号値に基づく値とを平均化処理することで補正処理を行い、画素４８（ａ＋１，ｂ）の第４副画素出力信号値Ｘ４−（ａ＋１，ｂ）を算出する。具体的には、Ｗ出力信号生成部８４Ａは、次の式（１１）に基づき、画素４８（ａ＋１，ｂ）の第４副画素出力信号値Ｘ４−（ａ＋１，ｂ）を算出する。
【０１２３】
Ｘ４−（ａ＋１，ｂ）＝（ａ・ＸＡ４−（ａ＋１，ｂ）＋ｂ・Ｍａｘ（ａ＋１，ｂ））／（ａ＋ｂ）・・・（１１）
【０１２４】
ここで、Ｍａｘ（ａ＋１，ｂ）は、第１副画素レンダリング入力信号値ｘＡ１−（ａ＋１，ｂ）、第２副画素レンダリング入力信号値ｘＡ２−（ａ＋１，ｂ）、第３副画素入力信号値ｘＡ３−（ａ＋１，ｂ）の最大値である。また、ａ及びｂは、任意の係数であり、第２実施形態では、両方とも１である。Ｗ出力信号生成部８４Ａは、画素４８（ａ＋１，ｂ）の第４副画素生成信号値ＸＡ４−（ａ＋１，ｂ）と、画素４８（ａ＋１，ｂ）の第１副画素、第２副画素、第３副画素のレンダリング入力信号値の最大値とを平均することにより、画素４８（ａ＋１，ｂ）の第４副画素出力信号値Ｘ４−（ａ＋１，ｂ）を算出する。なお、式（１１）では、相加平均であるが、これに限られず、相乗平均など、任意の平均化処理を行ってもよい。また、Ｗ出力信号生成部８４Ａは、Ｍａｘ（ａ＋１，ｂ）の代わりに、Ｍｉｄ（ａ＋１，ｂ）を用いて平均化処理を行ってもよい。なお、Ｍｉｄ（ａ＋１，ｂ）は、画素４８（ａ＋１，ｂ）の第１副画素、第２副画素、第３副画素のレンダリング入力信号値の中間値（最大値及び最小値でない値）である。また、Ｗ出力信号生成部８４Ａは、Ｍａｘ（ａ＋１，ｂ）の代わりに、画素４８（ａ＋１，ｂ）の第１副画素、第２副画素、第３副画素のレンダリング入力信号値の平均値を用いて平均化処理を行ってもよい。Ｗ出力信号生成部８４Ａは、第４副画素出力信号値Ｘ４−（ａ＋１，ｂ）を第４副画素生成信号値ＸＡ４−（ａ＋１，ｂ）よりも大きくするものであれば、第１副画素入力信号値ｘ１−（ａ＋１，ｂ）、第２副画素入力信号値ｘ２−（ａ＋１，ｂ）、又は第３副画素入力信号値ｘ３−（ａ＋１，ｂ）のいずれに基づいて平均化処理を行ってもよい。
【０１２５】
さらに、Ｗ出力信号生成部８４Ａは、次の式（１２）から式（１４）により、画素４８（ａ＋１，ｂ）の第１副画素生成信号値ＸＡ１−（ａ＋１，ｂ）、第２副画素生成信号値ＸＡ２−（ａ＋１，ｂ）、第３副画素生成信号値ＸＡ３−（ａ＋１，ｂ）を算出し、これらの値を用いて平均化処理を行ってもよい。例えば、Ｗ出力信号生成部８４Ａは、ＸＡ１−（ａ＋１，ｂ）、ＸＡ２−（ａ＋１，ｂ）、及びＸＡ３−（ａ＋１，ｂ）の最大値や中間値と、第４副画素生成信号値ＸＡ４−（ａ＋１，ｂ）とで平均化処理を行い、第４副画素出力信号値Ｘ４−（ａ＋１，ｂ）を算出してもよい。
【０１２６】
ＸＡ１−（ａ＋１，ｂ）＝α・ｘＡ１−（ａ＋１，ｂ）−χ・Ｘ４−（ａ＋１，ｂ）・・・（１２）
ＸＡ２−（ａ＋１，ｂ）＝α・ｘＡ２−（ａ＋１，ｂ）−χ・Ｘ４−（ａ＋１，ｂ）・・・（１３）
ＸＡ３−（ａ＋１，ｂ）＝α・ｘＡ３−（ａ＋１，ｂ）−χ・Ｘ４−（ａ＋１，ｂ）・・・（１４）
【０１２７】
出力信号生成部８８Ａは、補正処理を行った画素４８（ａ＋１，ｂ）について、第１副画素、第２副画素、第３副画素の出力信号を生成する。また、出力信号生成部８８Ａは、他の画素４８について、第１副画素、第２副画素、第３副画素、及び第４副画素の出力信号を生成する。なお、これらの出力信号の生成処理は、第１実施形態と同様である。
【０１２８】
次に、以上説明したレンダリング処理部７４Ａのレンダリング処理及び補正処理決定部７６Ａによる補正処理の決定動作の工程を、フローチャートに基づき説明する。図２２Ａは、第２実施形態に係るレンダリング処理部及び補正処理決定部の処理動作を説明するフローチャートである。図２２Ａに示すように、最初に、レンダリング処理部７４Ａは、ＲＧＢレンダリング処理を実行し、レンダリング入力信号を生成する（ステップＳ３２Ａ）。
【０１２９】
レンダリング入力信号が生成された後、補正処理決定部７６Ａは、パターン情報取得部２２からのパターン情報を取得し、画像表示パネル４０が第２配列パターンであり（ステップＳ３４Ａ；Ｙｅｓ）、かつ画像表示パネル４０が第１ＢＷ配列である場合（ステップＳ３６Ａ；Ｙｅｓ）、画素４８（ｐ，ｑ）のレンダリング入力信号値が、ｘＡ１−（ｐ，ｑ）＜ｘＡ２−（ｐ，ｑ）＜ｘＡ３−（ｐ，ｑ）の関係となっているかを判断する（ステップＳ３８Ａ）。ｘＡ１−（ｐ，ｑ）＜ｘＡ２−（ｐ，ｑ）＜ｘＡ３−（ｐ，ｑ）の関係とは、画素４８（ｐ，ｑ）の第１副画素レンダリング入力信号値ｘＡ１−（ｐ，ｑ）、第２副画素レンダリング入力信号値ｘＡ２−（ｐ，ｑ）、第３副画素レンダリング入力信号値ｘＡ３−（ｐ，ｑ）のうち、第１副画素レンダリング入力信号値ｘＡ１−（ｐ，ｑ）が最小であり、第３副画素レンダリング入力信号値ｘＡ３−（ｐ，ｑ）が最大となる関係である。
【０１３０】
第２配列パターンであり、かつ、第１ＢＷ配列であり、かつ、ｘＡ１−（ｐ，ｑ）＜ｘＡ２−（ｐ，ｑ）＜ｘＡ３−（ｐ，ｑ）の関係となっている場合（ステップＳ３８Ａ；Ｙｅｓ）、補正処理決定部７６Ａは、その関係を満たす画素４８（ｐ，ｑ）の補正処理を実行することを決定する（ステップＳ４０Ａ）。補正処理とは、上述の式（１０）、（１１）に基づき、第４副画素生成信号に基づき、第４副画素出力信号を生成する処理である。
【０１３１】
画像表示パネル４０が第２配列パターンであり、かつ、第１ＢＷ配列であるが、画素４８（ｐ，ｑ）がｘＡ１−（ｐ，ｑ）＜ｘＡ２−（ｐ，ｑ）＜ｘＡ３−（ｐ，ｑ）の関係となっていない場合（ステップＳ３８Ａ；Ｎｏ）、補正処理決定部７６Ａは、その画素４８（ｐ，ｑ）の補正処理を実行しないことを決定する（ステップＳ４１Ａ）。
【０１３２】
また、ステップＳ３６Ａにおいて第１ＢＷ配列でない、すなわち第２ＢＷ配列であると判断された場合（ステップＳ３６Ａ；Ｎｏ）、補正処理決定部７６Ａは、画素４８（ｐ，ｑ）のレンダリング入力信号値が、ｘＡ１−（ｐ，ｑ）＞ｘＡ２−（ｐ，ｑ）＞ｘＡ３−（ｐ，ｑ）の関係となっているかを判断する（ステップＳ４２Ａ）。ｘＡ１−（ｐ，ｑ）＞ｘＡ２−（ｐ，ｑ）＞ｘＡ３−（ｐ，ｑ）の関係とは、画素４８（ｐ，ｑ）の第１副画素レンダリング入力信号値ｘＡ１−（ｐ，ｑ）、第２副画素レンダリング入力信号値ｘＡ２−（ｐ，ｑ）、第３副画素レンダリング入力信号値ｘＡ３−（ｐ，ｑ）のうち、第１副画素レンダリング入力信号値ｘＡ１−（ｐ，ｑ）が最大であり、第３副画素レンダリング入力信号値ｘＡ３−（ｐ，ｑ）が最小となる関係である。
【０１３３】
第２配列パターンであり、かつ、第１ＢＷ配列でなく（第２ＢＷ配列であり）、かつ、ｘＡ１−（ｐ，ｑ）＞ｘＡ２−（ｐ，ｑ）＞ｘＡ３−（ｐ，ｑ）の関係となっている場合（ステップＳ４２Ａ；Ｙｅｓ）、補正処理決定部７６Ａは、その関係を満たす画素４８（ｐ，ｑ）の補正処理を実行することを決定する（ステップＳ４３Ａ）。
【０１３４】
画像表示パネル４０が第２配列パターンであり、かつ、第１ＢＷ配列でないが（第２ＢＷ配列であり）、画素４８（ｐ，ｑ）がｘＡ１−（ｐ，ｑ）＞ｘＡ２−（ｐ，ｑ）＞ｘＡ３−（ｐ，ｑ）の関係となっていない場合（ステップＳ４２Ａ；Ｎｏ）、補正処理決定部７６Ａは、その画素４８（ｐ，ｑ）の補正処理を実行しないことを決定する（ステップＳ４４Ａ）。
【０１３５】
また、画像表示パネル４０が第２配列パターンでない場合（ステップＳ３４Ａ；Ｎｏ）、すなわち第１配列パターンである場合、補正処理決定部７６Ａは、１フレーム中の全ての画素４８について補正処理を実行しないことを決定する（ステップＳ４６Ａ）。ステップＳ４０Ａ、Ｓ４１Ａ、Ｓ４３Ａ、Ｓ４４Ａ、Ｓ４６Ａのいずれかの処理を行うことで、本処理は終了する。
【０１３６】
なお、ＢＧＲレンダリング処理を実行する場合、補正処理の決定フローは、図２２Ａとは異なるものになる。図２２Ｂは、第２実施形態の他の例に係るレンダリング処理部及び補正処理決定部の処理動作を説明するフローチャートである。図２２Ｂは、ＢＧＲレンダリング処理を行った場合の補正処理の決定フローを示している。図２２Ｂに示すように、この場合、レンダリング処理部７４Ａは、ＢＧＲレンダリング処理を実行し、レンダリング入力信号を生成する（ステップＳ３２Ｂ）。
【０１３７】
レンダリング入力信号が生成された後、補正処理決定部７６Ａは、パターン情報取得部２２からのパターン情報を取得し、画像表示パネル４０が第１配列パターンであるかを判断する（ステップＳ３４Ｂ）。画像表示パネル４０が第１配列パターンである場合（ステップＳ３４Ｂ；Ｙｅｓ）、補正処理決定部７６ＡはステップテＳ３６Ｂを実行する。ステップＳ３６Ｂ以降の処理であるステップＳ３６Ｂ、Ｓ３８Ｂ、Ｓ４０Ｂ、Ｓ４１Ｂ、Ｓ４２Ｂ、Ｓ４３Ｂ、Ｓ４４Ｂは、図２２Ａに示すステップＳ３６Ａ、Ｓ３８Ａ、Ｓ４０Ａ、Ｓ４１Ａ、Ｓ４２Ａ、Ｓ４３Ａ、Ｓ４４Ａとそれぞれ処理内容が共通するため、説明を省略する。また、画像表示パネル４０が第１配列パターンでない場合（ステップＳ３４Ｂ；Ｎｏ）、補正処理決定部７６Ａは１フレーム中の全ての画素４８について補正処理を実行しないことを決定する（ステップＳ４６Ｂ）。ステップＳ４０Ｂ、Ｓ４１Ｂ、Ｓ４３Ｂ、Ｓ４４Ｂ、Ｓ４６Ｂのいずれかの処理を行うことで、本処理は終了する。
【０１３８】
（表示例）
次に、第２実施形態に係るレンダリング処理及び補正処理を行った場合の副画素の表示例について説明する。図１８で説明したように、比較例１に係る表示装置１０Ｙは、表示モードによってレンダリング処理を変更せず、かつ、第２実施形態のような補正処理を行わないため、レンダリング処理を行った場合に、図１８のラインＬ１が暗い線として視認されるおそれがある。
【０１３９】
図２３Ａは、第２実施形態に係るレンダリング処理及び補正処理を行った場合の各副画素の出力信号の一例を示す模式図である。図２３Ａで示す例は、画像表示パネル４０が第１ポートレートモードである場合を示している。図２３Ａに示すように、第２実施形態においては、比較例１と同様に、第１ポートレートモードにおいても、ＲＧＢレンダリング処理を実行する。ここで、上述のように、第１ポートレートモードにおいて、画像表示パネル４０は、第２配列パターンであり、第１ＢＷ配列である。また、図２３Ａが示すように、画素４８（ａ＋３，ｂ）のレンダリング入力信号値は、第１副画素レンダリング入力信号値ｘＡ１−（ａ＋３、ｂ）が最小であり、第３副画素レンダリング入力信号値ｘＡ３−（ａ＋３、ｂ）が最大である。従って、第２実施形態に係る信号処理部２０Ａは、画素４８（ａ＋３，ｂ）に対して、補正処理を実行する。言い換えれば、信号処理部２０Ａは、画素４８（ａ＋３，ｂ）について、第４副画素生成信号を生成し、第４副画素生成信号値ＸＡ４−（ａ＋３，ｂ）とＭａｘ（ａ＋３，ｂ）とで平均化処理を行うことにより、第４副画素出力信号を生成する。一方、画素４８（ａ＋１，ｂ）のレンダリング入力信号値は、第１副画素レンダリング入力信号値ｘＡ１−（ａ＋１、ｂ）が最大であり、第３副画素レンダリング入力信号値ｘＡ３−（ａ＋１、ｂ）が最小である。従って、第２実施形態に係る信号処理部２０Ａは、画素４８（ａ＋１，ｂ）に対しては、補正処理を行わない。
【０１４０】
図２３Ａに示すように、補正処理を行った画素４８（ａ＋３，ｂ）は、第１副画素の出力信号値Ｘ１−（a＋３，ｂ）が４３であり、第２副画素の出力信号値Ｘ２−（a＋３，ｂ）が１１５であり、第３副画素の出力信号値Ｘ３−（a＋３，ｂ）は、１８８であり、第４副画素の出力信号値Ｘ４−（a＋３，ｂ）が１７５である。画素４８（ａ＋３，ｂ）は、補正処理により、第４副画素の出力信号値Ｘ４−（a＋３，ｂ）が高くなっている。第２実施形態に係る表示装置１０Ａは、画素４８（ａ＋３，ｂ）の副画素４９Ｗの出力値を大きくすることで、画素４８（ａ＋３，ｂ）の副画素４９Ｒと副画素４９Ｗとが配列するＹ方向に沿ったラインＬ３Ａの輝度を上昇させることができる。従って、表示装置１０Ａは、例えば黒い線が視認されることを抑制し、画像の劣化を抑制することができる。さらに、表示装置１０Ａは、黒い線が視認されるおそれが低い画素４８（ａ＋１，ｂ）に対しては、補正処理を行わない。従って、表示装置１０Ａは、黒い線の視認などの画像の劣化を抑制しつつ、適切にレンダリング処理を行って画像を滑らかに表示することができる。
【０１４１】
図２３Ｂは、第２実施形態に係るレンダリング処理及び補正処理を行った場合の各副画素の出力信号の他の一例を示す模式図である。図２３Ｂで示す例は、画像表示パネル４０が第２ランドスケープモードである場合を示している。図２３Ｂに示すように、比較例１に係る表示装置１０Ｙは、表示モードによってレンダリング処理を変更せず、かつ、第２実施形態のような補正処理を行わない。ここで、上述のように、第２ランドスケープモードにおいて、画像表示パネル４０は、第２配列パターンであり、第２ＢＷ配列である。そして、図２３Ｂが示すように、画素４８（ａ＋１，ｂ）のレンダリング入力信号値は、第１副画素レンダリング入力信号値ｘＡ１−（ａ＋１、ｂ）が最大であり、第３副画素レンダリング入力信号値ｘＡ３−（ａ＋１、ｂ）が最小である。従って、第２実施形態に係る信号処理部２０Ａは、画素４８（ａ＋１，ｂ）に対して、補正処理を実行する。言い換えれば、信号処理部２０Ａは、画素４８（ａ＋１，ｂ）について、第４副画素生成信号を生成し、第４副画素生成信号値ＸＡ４−（ａ＋１，ｂ）とＭａｘ（ａ＋１，ｂ）とで平均化処理を行うことにより、第４副画素出力信号を生成する。一方、画素４８（ａ＋３，ｂ）のレンダリング入力信号値は、第１副画素レンダリング入力信号値ｘＡ１−（ａ＋３、ｂ）が最小であり、第３副画素レンダリング入力信号値ｘＡ３−（ａ＋３、ｂ）が最大である。従って、第２実施形態に係る信号処理部２０Ａは、画素４８（ａ＋３，ｂ）に対しては、補正処理を行わない。
【０１４２】
図２３Ｂに示すように、比較例１においては、画素４８Ｙ（ａ＋１，ｂ）における副画素４９ＹＢと副画素４９ＹＷがＹ方向（第１方向Ｆ１と直交する方向）に配列しており、それぞれの信号値が１１０、１００である。従って、比較例１に係る画像表示パネル４０Ｙは、第２ランドスケープモードである場合、画素４８Ｙ（ａ＋１，ｂ）における副画素４９ＹＢと副画素４９ＹＷとがＸ方向に隣接する両側の副画素よりも信号値が低くなり、副画素４９ＹＢと副画素４９ＹＷとが構成するラインＬ３Ｂが暗い線として視認されるおそれがある。
【０１４３】
一方、第２実施形態に係る補正処理を行った場合、補正処理を行った画素４８（ａ＋１，ｂ）は、第１副画素の出力信号値Ｘ１−（a＋１，ｂ）が１８８であり、第２副画素の出力信号値Ｘ２−（a＋１，ｂ）が１１５であり、第３副画素の出力信号値Ｘ３−（a＋１，ｂ）は、４３であり、第４副画素の出力信号値Ｘ４−（a＋１，ｂ）が１７５である。画素４８（ａ＋１，ｂ）は、補正処理により、第４副画素の出力信号値Ｘ４−（a＋１，ｂ）が高くなっている。第２実施形態に係る表示装置１０Ａは、画素４８（ａ＋１，ｂ）の副画素４９Ｗの出力値を大きくすることで、画素４８（ａ＋１，ｂ）の副画素４９Ｂと副画素４９Ｗとが配列するＹ方向に沿ったラインＬ３Ｃの輝度を上昇させることができる。従って、表示装置１０Ａは、例えば黒い線が視認されることを抑制し、画像の劣化を抑制することができる。さらに、表示装置１０Ａは、黒い線が視認されるおそれが低い画素４８（ａ＋３，ｂ）に対しては、補正処理を行わない。従って、表示装置１０Ａは、黒い線の視認などの画像の劣化を抑制しつつ、適切にレンダリング処理を行って画像を滑らかに表示することができる。
【０１４４】
以上説明したように、第２実施形態に係る表示装置１０Ａは、第１副画素４９Ｒ、第２副画素４９Ｇ、第３副画素４９Ｂ、及び第４副画素４９Ｗが２行２列に配置される画素４８が、第１辺（短辺４１）及び第２辺（長辺４２）を有する四角形状の表示領域４３に行列状に複数配列される画像表示パネル４０を有する。この画像表示パネル４０は、第１辺に沿った方向を表示画像の所定の一方向（ここではＸ方向）とするポートレートモード、又は第２辺に沿った方向を表示画像の所定の一方向（ここではＸ方向）とするランドスケープモードに対応する画像情報が入力される。また、第２実施形態に係る信号処理部２０Ａは、処理方向（ここでは第１方向Ｆ１）に沿って配列する画素４８（ａ，ｂ）、画素４８（ａ＋１，ｂ）、画素４８（ａ＋２，ｂ）において、画素４８（ａ，ｂ）の各副画素４９（ａ，ｂ）の入力信号値と、画素４８（ａ＋２，ｂ）の各副画素４９（ａ＋２，ｂ）の入力信号値との差が、所定の閾値以上である場合に、画素４８（ａ＋１，ｂ）に対してレンダリング処理を行うレンダリング部２４Ａを有する。また、信号処理部２０Ａは、ポートレートモード、又はランドスケープモードのいずれかの表示モードの処理方向（ここでは第１方向Ｆ１）における副画素４９の配列を、副画素４９の配列が異なる第１配列パターン又は第２配列パターンのパターン情報として取得するパターン情報取得部２２を有する。また、信号処理部２０Ａは、パターン情報に基づき、画素４８（ａ＋１，ｂ）における第４副画素の出力信号を補正処理により生成するかを決定する補正処理決定部７６Ａを有する。また、信号処理部２０Ａは、補正処理決定部７６Ａの決定に基づき、画素４８（ａ＋１，ｂ）における第４副画素生成信号を、画素４８（ａ＋１，ｂ）における第１副画素４９Ｒ、第２副画素４９Ｇ、第３副画素４９Ｂのレンダリング入力信号と、伸長係数αとに基づいて求めるＷ生成信号部８３Ａを有する。また、信号処理部２０Ａは、画素４８（ａ＋１，ｂ）における第４副画素生成信号と、他の副画素４９の入力信号とに基づいて平均化処理を行うことで、補正処理を行い、画素４８（ａ＋１，ｂ）における第４副画素出力信号を生成するＷ出力信号生成部８４Ａを有する。また、信号処理部２０Ａは、画素４８（ａ＋１，ｂ）における第１副画素４９Ｒ、第２副画素４９Ｇ、第３副画素４９Ｂの出力信号を生成する出力信号生成部８８Ａを有する。
【０１４５】
表示装置１０Ａは、副画素４９が、２行２列のダイアゴナル状に配列し、かつ、画像表示パネル４０が第１配列パターンであるか第２配列パターンであるかに応じて、レンダリング処理を行った画素４８に対して補正処理を行い、レンダリング処理を行った画素４８の第４副画素４９Ｗの出力信号値を大きくする。表示装置１０Ａは、表示モードに応じて、レンダリング処理を行った画素４８における第４副画素４９Ｗの輝度を上昇させるため、表示モードが切り替わった場合においても、例えば黒い線が視認されることを抑制し、画像の劣化を抑制することができる。
【０１４６】
また、表示装置１０Ａは、実行するレンダリング処理がＲＧＢレンダリング処理である場合は、第２配列パターンである場合に、所定の画素４８に対して補正処理を行う。また、表示装置１０Ａは、実行するレンダリング処理がＢＧＲレンダリング処理である場合は、第１配列パターンである場合に、所定の画素４８に対して補正処理を行う。従って、表示装置１０Ａは、例えば黒い線が視認されるおそれがある場合に、レンダリング処理を行った画素４８における第４副画素４９Ｗの輝度を適切に上昇させることができる。従って、表示装置１０Ａは、画像の劣化を適切に抑制することができる。
【０１４７】
さらに、表示装置１０Ａは、実行するレンダリング処理がＲＧＢレンダリング処理である場合であって、画像表示パネル４０が第２配列パターンである場合は、同一画素４８における各副画素４９のレンダリング入力信号値の大小関係に基づき、補正処理を行う所定の画素４８を選択する。例えば、表示装置１０Ａは、ＲＧＢレンダリング処理を行い、画像表示パネル４０が第２配列パターンであり、かつ第１ＢＷ配列である場合に、第１副画素レンダリング入力信号値ｘＡ１−（ａ＋３、ｂ）、第２副画素レンダリング入力信号値ｘＡ２−（ａ＋３、ｂ）、第３副画素レンダリング入力信号値ｘＡ３−（ａ＋３、ｂ）のうち、第１副画素レンダリング入力信号値ｘＡ１−（ａ＋３、ｂ）が最小であり、第３副画素レンダリング入力信号値ｘＡ３−（ａ＋３、ｂ）が最大である画素４８（ａ＋３，ｂ）に対して、補正処理を行う。また、表示装置１０Ａは、ＲＧＢレンダリング処理を行い、画像表示パネル４０が第２配列パターンであり、かつ第２ＢＷ配列である場合に、第１副画素レンダリング入力信号値ｘＡ１−（ａ＋１、ｂ）、第２副画素レンダリング入力信号値ｘＡ２−（ａ＋１、ｂ）、第３副画素レンダリング入力信号値ｘＡ３−（ａ＋１、ｂ）のうち、第１副画素レンダリング入力信号値ｘＡ１−（ａ＋１、ｂ）が最大であり、第３副画素レンダリング入力信号値ｘＡ３−（ａ＋１、ｂ）が最小である画素４８（ａ＋１，ｂ）に対して、補正処理を行う。
【０１４８】
従って、表示装置１０Ａは、例えば黒い線が視認されるおそれがある画素に対して第４副画素４９Ｗの輝度を上昇させて、適切に画像の劣化を抑制することができる。また、表示装置１０Ａは、これらの条件を満たす画素４８のみ補正処理を行い、他の画素４８については、補正処理を行わない。従って、表示装置１０Ａは、黒い線が視認されるおそれが高い画素にのみ補正処理を行うため、黒い線の視認などの画像の劣化を抑制しつつ、適切にレンダリング処理を行って画像を滑らかに表示することができる。ただし、表示装置１０Ａは、実行するレンダリング処理がＲＧＢレンダリング処理である場合は、第２配列パターンであれば、レンダリング処理が実行された全ての画素４８に対して補正処理を実行してもよい。
【０１４９】
また、表示装置１０Ａは、実行するレンダリング処理がＢＧＲレンダリング処理である場合であって、画像表示パネル４０が第１配列パターンである場合は、同一画素４８における各副画素４９のレンダリング入力信号値の大小関係に基づき、補正処理を行う所定の画素４８を選択する。例えば、表示装置１０Ａは、ＢＧＲレンダリング処理を行い、画像表示パネル４０が第１配列パターンであり、かつ第１ＢＷ配列である場合に、第１副画素レンダリング入力信号値ｘＡ１−（ａ＋３、ｂ）、第２副画素レンダリング入力信号値ｘＡ２−（ａ＋３、ｂ）、第３副画素レンダリング入力信号値ｘＡ３−（ａ＋３、ｂ）のうち、第１副画素レンダリング入力信号値ｘＡ１−（ａ＋３、ｂ）が最小であり、第３副画素レンダリング入力信号値ｘＡ３−（ａ＋３、ｂ）が最大である画素４８（ａ＋３，ｂ）に対して、補正処理を行う。また、表示装置１０Ａは、ＢＧＲレンダリング処理を行い、画像表示パネル４０が第１配列パターンであり、かつ第２ＢＷ配列である場合に、第１副画素レンダリング入力信号値ｘＡ１−（ａ＋１、ｂ）、第２副画素レンダリング入力信号値ｘＡ２−（ａ＋１、ｂ）、第３副画素レンダリング入力信号値ｘＡ３−（ａ＋１、ｂ）のうち、第１副画素レンダリング入力信号値ｘＡ１−（ａ＋１、ｂ）が最大であり、第３副画素レンダリング入力信号値ｘＡ３−（ａ＋１、ｂ）が最小である画素４８（ａ＋１，ｂ）に対して、補正処理を行う。表示装置１０Ａは、これらの条件を満たす画素４８のみ補正処理を行い、他の画素４８については、補正処理を行わない。ただし、表示装置１０Ａは、実行するレンダリング処理がＢＧＲレンダリング処理である場合は、第１配列パターンであれば、レンダリング処理が実行された全ての画素４８に対して補正処理を実行してもよい。
【０１５０】
なお、上述のように、レンダリング処理部７４Ａは、予めどちらか決められていれば、ＲＧＢレンダリングとＢＧＲレンダリングのいずれの処理を行ってもよい。従って、レンダリング処理部７４Ａのレンダリング処理は、画素４８（ａ＋１，ｂ）における第１副画素、第２副画素、第３副画素のレンダリング入力信号値（ｘＡ１−（ａ＋１、ｂ）、ｘＡ２−（ａ＋１、ｂ）、ｘＡ３−（ａ＋１、ｂ））を、画素４８（ａ，ｂ）の副画素の入力信号値と、画素４８（ａ＋２，ｂ）の副画素の入力信号値との間にする処理であるといえる。かつ、レンダリング処理部７４Ａのレンダリング処理は、第２副画素レンダリング入力信号値ｘＡ２−（ａ＋１、ｂ）を、第１副画素レンダリング入力信号値ｘＡ１−（ａ＋１、ｂ）と、第３副画素レンダリング入力信号値ｘＡ３−（ａ＋１、ｂ）との間の値にする処理であるといえる。
【０１５１】
また、Ｗ出力信号生成部８４Ａは、画素４８（ａ＋１，ｂ）における第１副画素入力信号値ｘ１−（ａ＋１，ｂ）、第２副画素入力信号値ｘ２−（ａ＋１，ｂ）、又は第３副画素入力信号値ｘ３−（ａ＋１，ｂ）と、第４副画素生成信号値ＸＡ４−（ａ＋１，ｂ）とに基づき、画素４８（ａ＋１，ｂ）の第４副画素出力信号値Ｘ４−（ａ＋１，ｂ）を算出する。Ｗ出力信号生成部８４Ａは、同一画素内の入力信号値に基づいて平均化処理を行うため、レンダリング処理を行った画素の第４副画素４９Ｗの輝度を、適切に上昇させ、画像の劣化を抑制することができる。
【０１５２】
なお、Ｗ出力信号生成部８４Ａは、画素４８（ａ＋１，ｂ）における第４副画素４９Ｗの生成信号と、画素４８（ａ＋１，ｂ）に隣接する画素における第４副画素の出力信号又は生成信号とに基づき、画素４８（ａ＋１，ｂ）における第４副画素４９Ｗの出力信号を生成してもよい。この場合、Ｗ出力信号生成部８４Ａは、画素４８（ａ＋１，ｂ）における第４副画素４９（ａ＋１，ｂ）の生成信号と、画素４８（ａ＋１，ｂ）に隣接する画素における第４副画素の出力信号又は生成信号とを、上述で説明した同一画素内の入力信号値に基づいた平均化処理と同じ方法（式（１１）等）で平均化処理を行うことが好ましい。Ｗ出力信号生成部８４Ａは、隣接画素と平均化処理を行う場合においても、レンダリング処理を行った画素の第４副画素４９Ｗの輝度を適切に上昇させ、画像の劣化を抑制することができる。この場合、画素４８（ａ＋１，ｂ）の隣接画素は、第１方向Ｆ１に隣接する画素４８（ａ＋２，ｂ）であるが、画素４８（ａ＋１，ｂ）の隣接画素として、第２方向Ｆ２、第３方向Ｆ３、第４方向Ｆ４に隣接する画素を用いてもよい。
【０１５３】
また、Ｗ出力信号生成部８４Ａは、画素４８（ａ＋１，ｂ）における第１副画素レンダリング入力信号値ｘＡ１−（ａ＋１，ｂ）、第２副画素レンダリング入力信号値ｘＡ２−（ａ＋１，ｂ）、及び第３副画素レンダリング入力信号値ｘＡ３−（ａ＋１，ｂ）のうちの最大値と、第４副画素生成信号値ＸＡ４−（ａ＋１，ｂ）とを平均することにより、画素４８（ａ＋１，ｂ）の第４副画素出力信号値Ｘ４−（ａ＋１，ｂ）を算出する。Ｗ出力信号生成部８４Ａは、同一画素内の最大のレンダリング入力信号値に基づいて平均化処理を行うため、レンダリング処理を行った画素の第４副画素４９Ｗの輝度を、適切に上昇させ、画像の劣化を抑制することができる。
【０１５４】
以下に、第２実施形態に係る画像表示パネルの表示モード（パターン情報）と補正処理する画素との関係を例示する。図２４Ａは、第２実施形態に係る画像表示パネルの表示モードと補正処理する画素の条件との関係を示す表である。図２４Ａに示すように、表示装置１０Ａは、画像表示パネル４０が第１ポートレートモードである場合に第２配列パターンかつ第１ＢＷ配列となり、ＲＧＢレンダリングを行っている場合は、ｘＡ１−（ｐ，ｑ）＜ｘＡ２−（ｐ，ｑ）＜ｘＡ３−（ｐ，ｑ）の関係となっている画素４８（ｐ，ｑ）に補正処理を実行する。また、表示装置１０Ａは、画像表示パネル４０が第１ランドスケープモードである場合に第１配列パターンかつ第２ＢＷ配列となり、ＢＧＲレンダリングを行っている場合は、ｘＡ１−（ｐ，ｑ）＞ｘＡ２−（ｐ，ｑ）＞ｘＡ３−（ｐ，ｑ）の関係となっている画素４８（ｐ，ｑ）に補正処理を実行する。表示装置１０Ａは、画像表示パネル４０が第２ポートレートモードである場合に第１配列パターンかつ第１ＢＷ配列となり、ＢＧＲレンダリングを行っている場合は、ｘＡ１−（ｐ，ｑ）＜ｘＡ２−（ｐ，ｑ）＜ｘＡ３−（ｐ，ｑ）の関係となっている画素４８（ｐ，ｑ）に補正処理を実行する。また、表示装置１０Ａは、画像表示パネル４０が第２ランドスケープモードである場合に第２配列パターンかつ第２ＢＷ配列となり、ＲＧＢレンダリングを行っている場合は、ｘＡ１−（ｐ，ｑ）＞ｘＡ２−（ｐ，ｑ）＞ｘＡ３−（ｐ，ｑ）の関係となっている画素４８（ｐ，ｑ）に補正処理を実行する。
【０１５５】
また、表示装置１０Ａが有する画像表示パネルは、図２４Ａに示した副画素配列を有する画像表示パネル４０に限られない。表示装置１０Ａが有する画像表示パネルは、画素４８内で第１副画素４９Ｒ、第２副画素４９Ｇ、第３副画素４９Ｂ、第４副画素４９Ｗが２行２列で配列している画像表示パネルであれば、表示モードを固定した場合における副画素配列が画像表示パネル４０と異なるものであってもよい。図２４Ｂは、第２実施形態における他の一例の画像表示パネルの表示モードと補正処理する画素の条件との関係を示す表である。図２４Ｂは、図２０Ｂで説明した画像表示パネル４０Ｓにおける、表示モードと補正処理を行う画素との関係を示している。
【０１５６】
図２４Ｂに示すように、表示装置１０Ａは、画像表示パネル４０Ｓが第１ポートレートモードである場合に第１配列パターンかつ第２ＢＷ配列となり、ＢＧＲレンダリングを行っている場合は、ｘＡ１−（ｐ，ｑ）＞ｘＡ２−（ｐ，ｑ）＞ｘＡ３−（ｐ，ｑ）の関係となっている画素４８（ｐ，ｑ）に補正処理を実行する。また、表示装置１０Ａは、画像表示パネル４０Ｓが第１ランドスケープモードである場合に第２配列パターンかつ第１ＢＷ配列となり、ＲＧＢレンダリングを行っている場合は、ｘＡ１−（ｐ，ｑ）＜ｘＡ２−（ｐ，ｑ）＜ｘＡ３−（ｐ，ｑ）の関係となっている画素４８（ｐ，ｑ）に補正処理を実行する。また、表示装置１０Ａは、画像表示パネル４０Ｓが第２ポートレートモードである場合に第２配列パターンかつ第２ＢＷ配列となり、ＲＧＢレンダリングを行っている場合は、ｘＡ１−（ｐ，ｑ）＞ｘＡ２−（ｐ，ｑ）＞ｘＡ３−（ｐ，ｑ）の関係となっている画素４８（ｐ，ｑ）に補正処理を実行する。また、表示装置１０Ａは、画像表示パネル４０Ｓが第２ランドスケープモードである場合に第１配列パターンかつ第１ＢＷ配列となり、ＢＧＲレンダリングを行っている場合は、ｘＡ１−（ｐ，ｑ）＜ｘＡ２−（ｐ，ｑ）＜ｘＡ３−（ｐ，ｑ）の関係となっている画素４８（ｐ，ｑ）に補正処理を実行する。
【０１５７】
表示装置１０Ａは、第１実施形態と同様に、以上説明した画像表示パネル４０Ｓを有していてもよい。さらに言えば、表示装置１０Ａは、第１実施形態と同様に、画素４８内で第１副画素４９Ｒ、第２副画素４９Ｇ、第３副画素４９Ｂ、第４副画素４９Ｗが２行２列で配列している画像表示パネルであれば、画像表示パネル４０、４０Ｓとは異なる副画素配列を有する画像表示パネルを有していてもよい。
【０１５８】
（第３実施形態）
次に、第３実施形態について説明する。第３実施形態（第３態様）に係る表示装置１０Ｂは、パターン情報を取得せず、レンダリング処理を行った副画素と隣接する副画素との出力信号差を検出し、その出力信号差に基づき、第４副画素のレンダリング入力信号に補正処理を行う点で、第２実施形態とは異なる。第３実施形態に係る表示装置１０Ｂの構成で、第２実施形態と共通する箇所は、説明を省略する。
【０１５９】
（信号処理部の構成）
図２５は、第３実施形態に係る信号処理部の構成を示すブロック図である。図２５に示すように、第３実施形態に係る信号処理部２０Ｂは、レンダリング部２４Ａと、α算出部８２Ｂと、副画素生成信号部８３Ｂと、補正処理決定部７６Ｂと、Ｗ出力信号生成部８４Ｂと、出力信号生成部８８Ｂとを有する。信号処理部２０Ｂは、パターン情報取得部を有さず、第１配列パターンであるか第２配列パターンであるかのパターン情報を取得しない。
【０１６０】
レンダリング部２４Ａは、第２実施形態と同様に、予め定められたレンダリング処理（ここではＲＧＢレンダリング）を実行し、レンダリング入力信号を生成する。
【０１６１】
α算出部８２Ｂは、レンダリング部２４Ａから、レンダリング処理を行った画素４８のレンダリング入力信号及び他の画素の入力信号を取得し、第２実施形態と同様の方法で、伸長係数αを算出する。α算出部８２Ｂは、入力信号、レンダリング入力信号、及び伸長係数αの情報を、副画素生成信号部８３Ｂに出力する。
【０１６２】
副画素生成信号部８３Ｂは、入力信号、レンダリング入力信号、及び伸長係数αに基づき、１フレーム中の全画素４８における第１副画素、第２副画素、第３副画素、及び第４副画素の生成信号を生成する。副画素生成信号部８３Ｂは、レンダリング処理を行った画素４８に対して、レンダリング入力信号、及び伸長係数αに基づき、第１副画素、第２副画素、第３副画素、及び第４副画素の生成信号を生成する。また、副画素生成信号部８３Ｂは、他の画素４８に対して、入力信号、及び伸長係数αに基づき、第１副画素、第２副画素、第３副画素、及び第４副画素の生成信号を生成する。副画素生成信号部８３Ｂによる生成信号の生成処理については、後述する。
【０１６３】
補正処理決定部７６Ｂは、副画素生成信号部８３Ｂから、１フレーム中の全画素４８の各副画素の生成信号を取得する。補正処理決定部７６Ｂは、各副画素の生成信号に基づき、レンダリング処理を行った画素４８に対して、第４副画素４９Ｗの出力信号を、補正処理により生成することを決定する。補正処理決定部７６Ｂは、この補正処理を行うかを決定した情報を有する補正決定情報を生成する。ただし、補正処理決定部７６Ｂは、レンダリング処理を行った画素４８の生成信号と、その画素４８にＸ方向で隣接する画素の生成信号を取得すれば、１フレーム中の全画素４８の各副画素の生成信号を取得しなくてもよい。補正処理決定部７６Ｂによる補正処理の決定方法については、後述する。
【０１６４】
Ｗ出力信号生成部８４Ｂは、補正決定情報と生成信号とに基づき、補正処理を行うと決定した画素４８の第４副画素出力信号を生成する。
【０１６５】
出力信号生成部８８Ｂは、補正処理を行った画素４８について、第４副画素出力信号と生成信号とに基づき、第１副画素、第２副画素、第３副画素の出力信号を生成し、出力する。また、出力信号生成部８８Ｂは、他の画素４８について、生成信号を出力信号として出力する。
【０１６６】
（信号処理部の処理動作）
次に、信号処理部２０Ｂの処理動作について説明する。レンダリング部２４Ａ及びα算出部８２Ｂは、第２実施形態と同様の方法で、レンダリング処理を行い、伸長係数αを算出する。
【０１６７】
画素４８（ａ＋１，ｂ）についてレンダリング処理を行ったとすると、副画素生成信号部８３Ｂは、画素４８（ａ＋１，ｂ）について、上述の式（１０）に基づき、第４副画素生成信号値ＸＡ４−（ａ＋１，ｂ）を算出する。また、副画素生成信号部８３Ｂは、画素４８（ａ＋１，ｂ）について、上述の式（１２）から式（１４）に基づき、第１副画素生成信号値ＸＡ１−（ａ＋１，ｂ）、第２副画素生成信号値ＸＡ２−（ａ＋１，ｂ）、第３副画素生成信号値ＸＡ３−（ａ＋１，ｂ）を算出する。また、副画素生成信号部８３Ｂは、レンダリング処理を行っていない画素４８については、レンダリング入力信号値の代わりに入力信号値を用いて、式（１０）により、第４副画素生成信号値を算出する。また、副画素生成信号部８３Ｂは、レンダリング処理を行っていない画素４８について、レンダリング入力信号値の代わりに入力信号値を用いて、上述の式（１２）から式（１４）に基づき、第１副画素、第２副画素、及び第３副画素の生成信号値を算出する。すなわち、副画素生成信号部８３Ｂは、１フレーム中の全ての画素４８に対して、各副画素の生成信号値を算出する。
【０１６８】
次に、補正処理決定部７６Ｂによる補正処理の決定方法について説明する。図２６は、各副画素の配列及び生成信号値を示す模式図である。図２６は、表示装置１０Ｂが、レンダリング入力信号値、及びレンダリング入力信号に基づいて生成した生成信号値を示している。図２６に示すように、各画素４８のレンダリング入力信号値は、第２実施形態と同じである。また、図２６に示すように、第３実施形態に係る各画素４８の生成信号値は、例えば図１８で説明した比較例１に係る表示装置１０Ｙの出力信号値と同じである。
【０１６９】
ここで、レンダリング処理を行った画素４８における第４副画素４９Ｗに、処理方向と直交する直交方向（ここではＹ方向）に隣接する副画素であって、その第４副画素４９Ｗと同じ画素４８に属する副画素を、隣接副画素と呼ぶ。また、レンダリング処理を行った画素４８における第４副画素４９Ｗ、又は隣接副画素に、第１方向Ｆ１又は第２方向Ｆ２に隣接する複数の（４つの）副画素４９を、両側副画素と呼ぶ。補正処理決定部７６Ｂは、隣接副画素の生成信号値と、両側副画素の生成信号値とに基づき、レンダリング処理を行った画素４８における第４副画素４９Ｗの出力信号を、補正処理により生成するかを決定する。より詳しくは、補正処理決定部７６Ｂは、隣接副画素の生成信号値が、４つの両側副画素の生成信号値よりも小さく、かつ、隣接副画素の生成信号値と４つの両側副画素の生成信号値との差が、所定の値以上である場合に、このレンダリング処理を行った画素４８における第４副画素４９Ｗの出力信号を、補正処理により生成することを決定する。
【０１７０】
次に、レンダリング処理を行った画素４８（ａ＋１，ｂ）について補正処理を行うかの決定方法を説明する。画素４８（ａ＋１，ｂ）の副画素のうち、第４副画素４９Ｗ（ａ＋１，ｂ）に直交方向（ここではＹ方向）で隣接する副画素は、第１副画素４９Ｒ（ａ＋１，ｂ）である。従って、第１副画素４９Ｒ（ａ＋１，ｂ）が、この場合の隣接副画素である。また、これら第４副画素４９Ｗ（ａ＋１，ｂ）又は第１副画素４９Ｒ（ａ＋１，ｂ）に、処理方向（ここでは第１方向Ｆ１）又は処理方向と反対側の反対側方向（ここでは第２方向Ｆ２）で隣接する副画素は、第２副画素４９Ｇ（ａ＋１，ｂ）、第３副画素４９Ｂ（ａ＋１，ｂ）、第２副画素４９Ｇ（ａ＋２，ｂ）、及び第３副画素４９Ｂ（ａ＋２，ｂ）である。従って、この場合、第２副画素４９Ｇ（ａ＋１，ｂ）、第３副画素４９Ｂ（ａ＋１，ｂ）、第２副画素４９Ｇ（ａ＋２，ｂ）、及び第３副画素４９Ｂ（ａ＋２，ｂ）が、両側副画素となる。補正処理決定部７６Ｂは、第１副画素４９Ｒ（ａ＋１，ｂ）の生成信号値が、第２副画素４９Ｇ（ａ＋１，ｂ）、第３副画素４９Ｂ（ａ＋１，ｂ）、第２副画素４９Ｇ（ａ＋２，ｂ）、及び第３副画素４９Ｂ（ａ＋２，ｂ）の生成信号値よりも小さく、かつ、その生成信号値の差が、所定の値以上である場合に、画素４８（ａ＋１，ｂ）の第４副画素４９Ｗ（ａ＋１，ｂ）に補正処理を実行することを決定する。ここで、隣接副画素である第１副画素４９Ｒ（ａ＋１，ｂ）の生成信号値は、両側副画素の生成信号値よりも大きい。従って、補正処理決定部７６Ｂは、画素４８（ａ＋１，ｂ）については補正処理を行わないことを決定する。
【０１７１】
また、次に、レンダリング処理を行った画素４８（ａ＋３，ｂ）について補正処理を行うかの決定方法を説明する。画素４８（ａ＋３，ｂ）の副画素のうち、第４副画素４９Ｗ（ａ＋３，ｂ）に直交方向（ここではＹ方向）で隣接する副画素は、第１副画素４９Ｒ（ａ＋３，ｂ）である。従って、第１副画素４９Ｒ（ａ＋３，ｂ）が、この場合の隣接副画素である。また、これら第４副画素４９Ｗ（ａ＋３，ｂ）又は第１副画素４９Ｒ（ａ＋３，ｂ）に、処理方向（ここでは第１方向Ｆ１）又は反対側方向（ここでは第２方向Ｆ２）で隣接する副画素は、第２副画素４９Ｇ（ａ＋３，ｂ）、第３副画素４９Ｂ（ａ＋３，ｂ）、第２副画素４９Ｇ（ａ＋４，ｂ）、及び第３副画素４９Ｂ（ａ＋４，ｂ）である。従って、この場合、第２副画素４９Ｇ（ａ＋３，ｂ）、第３副画素４９Ｂ（ａ＋３，ｂ）、第２副画素４９Ｇ（ａ＋４，ｂ）、及び第３副画素４９Ｂ（ａ＋４，ｂ）が、両側副画素となる。補正処理決定部７６Ｂは、第１副画素４９Ｒ（ａ＋３，ｂ）の生成信号値が、第２副画素４９Ｇ（ａ＋３，ｂ）、第３副画素４９Ｂ（ａ＋３，ｂ）、第２副画素４９Ｇ（ａ＋４，ｂ）、及び第３副画素４９Ｂ（ａ＋４，ｂ）の生成信号値よりも小さく、かつ、その生成信号値の差が、所定の値以上である場合に、画素４８（ａ＋３，ｂ）の第４副画素４９Ｗ（ａ＋３，ｂ）に補正処理を実行することを決定する。ここで、例えば所定の値を５０とする。この場合、隣接副画素である第１副画素４９Ｒ（ａ＋３，ｂ）の生成信号値は、両側副画素の生成信号値よりも小さく、その差が所定の値である５０以上である。従って、補正処理決定部７６Ｂは、画素４８（ａ＋３，ｂ）については補正処理を行うことを決定する。
【０１７２】
Ｗ出力信号生成部８４Ｂは、第２実施形態に係るＷ出力信号生成部８４Ａと同じ方法で、補正処理を行うと決定した画素４８の第４副画素出力信号を生成する。Ｗ出力信号生成部８４Ｂは、上述の式（１１）に基づいて平均化処理、すなわち補正処理を行い、補正処理を行うと決定した画素４８の第４副画素出力信号値を算出する。
【０１７３】
出力信号生成部８８Ｂは、補正処理を行った画素４８について、第２実施形態に係る出力信号生成部８８Ａと同じ方法で、補正処理を行った画素４８の第１副画素、第２副画素、第３副画素の出力信号を生成する。また、出力信号生成部８８Ｂは、他の画素４８については、補正処理を行わなかったため、副画素生成信号部８３Ｂが算出した各副画素の生成信号を、出力信号として、画像表示パネル駆動部３０に出力する。
【０１７４】
次に、以上説明した信号処理部２０Ｂの処理動作の工程を、フローチャートに基づき説明する。図２７は、第３実施形態に係る信号処理部の処理動作を説明するフローチャートである。図２７に示すように、最初に、信号処理部２０Ｂのレンダリング箇所決定部２１は、入力信号に基づき、レンダリング処理を行う画素４８を選択する（ステップＳ５２）。レンダリング処理を行う画素４８が選択された後、レンダリング処理部７４Ａは、選択された画素４８に対し、レンダリング処理を実行し、レンダリング入力信号を生成する（ステップＳ５４）。第３実施形態においては、レンダリング処理は、ＲＧＢレンダリングである。
【０１７５】
ステップＳ５４でレンダリング入力信号を生成した後、副画素生成信号生成部８３Ｂは、レンダリング入力信号に基づき、レンダリング処理を行った画素４８における各副画素４９の生成信号を生成する（ステップＳ５６）。副画素生成信号生成部８３Ｂは、レンダリング処理を行った画素４８（ａ＋１，ｂ）について、上述の式（１１）に基づき、第４副画素生成信号値ＸＡ４−（ａ＋１，ｂ）を算出する。また、副画素生成信号部８３Ｂは、画素４８（ａ＋１，ｂ）について、上述の式（１２）から式（１４）に基づき、第１副画素生成信号値ＸＡ１−（ａ＋１，ｂ）、第２副画素生成信号値ＸＡ２−（ａ＋１，ｂ）、第３副画素生成信号値ＸＡ３−（ａ＋１，ｂ）を算出する。
【０１７６】
レンダリング処理を行った画素４８における各副画素４９の生成信号が生成された後、補正処理決定部７６Ｂは、隣接副画素の生成信号値が両側副画素の生成信号値より小さく、かつ、隣接副画素の生成信号値と両側副画素の生成信号値との差が所定の値以上であるかを判定する（ステップＳ５８）。
【０１７７】
隣接副画素の生成信号値が両側副画素の生成信号値より小さく、かつ、隣接副画素の生成信号値と両側副画素の生成信号値との差が所定の値以上である場合（ステップＳ５８；Ｙｅｓ）、補正処理決定部７６Ｂがレンダリング処理を行った画素４８に補正処理を行うことを決定し、Ｗ出力信号生成部８４Ｂは、補正処理を行うことが決定された画素４８に対し、補正処理により第４副画素出力信号を生成する（ステップＳ６０）。Ｗ出力信号生成部８４Ｂは、上述の式（１１）に基づき補正処理を行い、補正処理を行うことが決定された画素４８の第４副画素出力信号を生成する。
【０１７８】
補正処理を行うことが決定された画素４８の第４副画素出力信号を補正処理により生成した後、出力信号生成部８８Ｂは、補正処理を行った画素４８の第１副画素、第２副画素、第３副画素の出力信号を生成する（ステップＳ６２）。出力信号生成部８８Ｂは、第２実施形態に係る出力信号生成部８８Ａと同じ方法で、補正処理を行った画素４８の第１副画素、第２副画素、第３副画素の出力信号を生成する。
【０１７９】
隣接副画素の生成信号値が両側副画素の生成信号値より小さく、かつ、隣接副画素の生成信号値と両側副画素の生成信号値との差が所定の値以上である状態でない場合（ステップＳ５８；Ｎｏ）、補正処理決定部７６Ｂがレンダリング処理を行った画素４８に補正処理を行わないことを決定し、出力信号生成部８８Ｂは、ステップＳ５６で生成した各副画素の生成信号を、出力信号として出力する（ステップＳ６４）。補正処理決定部７６Ｂは、隣接副画素の生成信号値が両側副画素の生成信号値より大きい場合は、補正処理を行わないことを決定する。また、補正処理決定部７６Ｂは、隣接副画素の生成信号値が両側副画素の生成信号値より小さいが、隣接副画素の生成信号値と両側副画素の生成信号値との差が所定の値以上でない場合であっても、補正処理を行わないことを決定する。ステップＳ６２又はステップＳ６４が実行されることにより、本処理は終了する。
【０１８０】
（表示例）
次に、第３実施形態に係るレンダリング処理及び補正処理を行った場合の副画素の表示例について説明する。図１８で説明したように、比較例１に係る表示装置１０Ｙは、第３実施形態のような補正処理を行わないため、レンダリング処理を行った場合に、図１８のラインＬ１が暗い線として視認されるおそれがある。
【０１８１】
図２８は、第３実施形態に係るレンダリング処理及び補正処理を行った場合の各副画素の出力信号を示す模式図である。図２８は、表示装置１０Ｂが、入力信号及びレンダリング入力信号に基づいて生成した生成信号値と、生成信号値に基づき生成した出力信号値を示している。図２８に示す各画素のレンダリング入力信号値と生成信号値とは、図２６と同じである。
【０１８２】
図２８に示す生成信号値は、レンダリング入力信号値に基づき算出された、補正処理を行う前の仮の信号値であり、比較例１に係る出力信号値と同じ値となる。従って、生成信号をそのまま出力信号として出力した場合、図２８に示すように、画素４８（ａ＋３，ｂ）における第１副画素４９Ｒ（ａ＋３，ｂ）と第４副画素４９Ｗ（ａ＋３，ｂ）とが形成するラインＬ５は、図１８のラインＬ１と同様に、暗い線として視認されるおそれがある。しかし、第３実施形態に係る表示装置１０Ｂは、上述のように、画素４８（ａ＋３，ｂ）における隣接副画素の生成信号値が両側副画素の生成信号値より小さく、かつ、隣接副画素の生成信号値と両側副画素の生成信号値との差が所定の値以上であるため、画素４８（ａ＋３，ｂ）について補正処理を行う。
【０１８３】
図２８に示すように、画素４８（ａ＋３，ｂ）における補正処理を行った画素４８（ａ＋３，ｂ）は、第１副画素の出力信号値Ｘ１−（ａ＋３，ｂ）が４３であり、第２副画素の出力信号値Ｘ２−（ａ＋３，ｂ）が１１５であり、第３副画素の出力信号値Ｘ３−（ａ＋３，ｂ）は、１８８であり、第４副画素の出力信号値Ｘ４−（ａ＋３，ｂ）が１７５である。画素４８（ａ＋３，ｂ）は、補正処理により、第４副画素の出力信号値Ｘ４−（a＋３，ｂ）が生成信号値よりも高くなっている。第３実施形態に係る表示装置１０Ｂは、両側副画素との出力信号値の差が大きい画素４８（ａ＋３，ｂ）の副画素４９Ｗの出力値を大きくすることで、画素４８（ａ＋３，ｂ）の副画素４９Ｒと副画素４９Ｗとが配列するＹ方向に沿ったラインＬ６の輝度を上昇させることができる。従って、表示装置１０Ｂは、例えば黒い線が視認されることを抑制し、画像の劣化を抑制することができる。さらに、表示装置１０Ｂは、両側副画素との出力信号値の差が少なく、黒い線が視認されるおそれが低い画素４８（ａ＋１，ｂ）に対しては、補正処理を行わない。従って、表示装置１０Ｂは、黒い線の視認などの画像の劣化を抑制しつつ、適切にレンダリング処理を行って画像を滑らかに表示することができる。
【０１８４】
以上説明したように、第３実施形態に係る表示装置１０Ｂは、第１副画素４９Ｒ、第２副画素４９Ｇ、第３副画素４９Ｂ、及び第４副画素４９Ｗが２行２列に配置される画素４８が、第１辺（短辺４１）及び第２辺（長辺４２）を有する四角形状の表示領域４３に行列状に複数配列される画像表示パネル４０を有する。この画像表示パネル４０は、第１辺に沿った方向を表示画像の所定の一方向（ここではＸ方向）とするポートレートモード、又は第２辺に沿った方向を表示画像の所定の一方向（ここではＸ方向）とするランドスケープモードに対応する画像情報が入力される。また、第３実施形態に係る信号処理部２０Ｂは、画素４８（ａ，ｂ）の各副画素４９（ａ，ｂ）の入力信号値と、画素４８（ａ＋２，ｂ）の各副画素４９（ａ＋２，ｂ）の入力信号値との差が、所定の閾値以上である場合に、画素４８（ａ＋１，ｂ）に対してレンダリング処理を行うレンダリング部２４Ａを有する。また、信号処理部２０Ｂは、各画素４８における各副画素４９の入力信号値及びレンダリング入力信号値に基づき、第１副画素４９Ｒ、第２副画素４９Ｇ、第３副画素４９Ｂ、及び第４副画素４９Ｗの生成信号を生成する副画素生成信号部８３Ｂを有する。また、信号処理部２０Ｂは、画素４８（ａ＋１，ｂ）における第４副画素４９Ｗ（ａ＋１，ｂ）に、直交方向（ここではＹ方向）に隣接する画素４８（ａ＋１，ｂ）の副画素である隣接副画素の生成信号値と、第４副画素４９Ｗ（ａ＋１，ｂ）又は隣接副画素に、処理方向（ここでは第１方向Ｆ１）又は反対側方向（ここでは第２方向Ｆ２）に隣接する複数の副画素４９である両側副画素の生成信号値と、に基づいて、第４副画素４９Ｗ（ａ＋１，ｂ）の出力信号を補正処理により生成するかを決定する補正処理決定部７６Ｂを有する。また、信号処理部２０Ｂは、補正処理決定部７６Ｂの決定に基づき、第４副画素４９Ｗ（ａ＋１，ｂ）の生成信号と、他の副画素の入力信号とに基づいて平均化処理を行うことで補正処理を行い、第４副画素４９Ｗ（ａ＋１，ｂ）の出力信号を生成する。
【０１８５】
表示装置１０Ｂは、レンダリング処理を行った画素４８について、副画素４９Ｗと同じ列にある隣接副画素の出力信号値と、その両側に隣接する両側副画素との出力信号値とに基づき、補正処理を行うことを決定する。従って、表示装置１０Ｂは、レンダリング処理により、例えば隣接副画素と両側副画素と出力信号差により暗い線が視認されるおそれがある場合に、例えば黒い線が視認されることを抑制し、画像の劣化を抑制することができる。
【０１８６】
また、補正処理決定部７６Ｂは、隣接副画素の生成信号値が、４つの両側副画素の生成信号値よりも小さく、かつ、隣接副画素の生成信号値と４つの両側副画素の生成信号値との差が、所定の値以上である場合に、このレンダリング処理を行った画素４８における第４副画素４９Ｗの出力信号を、補正処理により生成することを決定する。表示装置１０Ｂは、レンダリング処理を行った画素４８について、副画素４９Ｗと同じ列にある副画素が、その両側に隣接する副画素との出力信号値の差が大きい場合、副画素４９Ｗの出力値を大きくすることで、副画素４９Ｗが位置する列の輝度を高くする。従って、表示装置１０Ｂは、例えば暗い線が視認されることを抑制し、画像の劣化を抑制することができる。
【０１８７】
なお、Ｗ出力信号生成部８４Ｂは、上述のように第２実施形態に係るＷ出力信号生成部８４Ａと同様の平均化処理を行う。従って、Ｗ出力信号生成部８４Ｂは、第２実施形態に係るＷ出力信号生成部８４Ａと同様の方法で、画素４８（ａ＋１，ｂ）における第４副画素４９（ａ＋１，ｂ）の生成信号と画素４８（ａ＋１，ｂ）に隣接する画素における第４副画素の出力信号又は生成信号に基づき、画素４８（ａ＋１，ｂ）における第４副画素４９（ａ＋１，ｂ）の出力信号を生成してもよい。
【０１８８】
（変形例）
次に、第１実施形態の変形例について説明する。変形例に係る表示装置１０Ｄは、１つの画素が３つの副画素を有する点で、第１実施形態と異なる。変形例に係る表示装置１０Ｄにおいて、第１実施形態と共通する箇所については、説明を省略する。
【０１８９】
図２９は、変形例におけるポートレートモードでの副画素の配列の一例を示す模式図である。図３０は、変形例におけるランドスケープモードでの副画素の配列の一例を示す模式図である。図２９は、短辺４１が画像の第３方向Ｆ３側にある第１ポートレートモードである。図３０は、短辺４１が画像の第１方向Ｆ１側にある第１ランドスケープモードである。
【０１９０】
図２９及び図３０に示すように、画像表示パネル４０Ｄは、第１副画素４９ＤＲ、第２副画素４９ＤＧ及び第３副画素４９ＤＢを有する第１間引き画素としての画素４８ＤＡと、第１副画素４９ＤＲ、第２副画素４９ＤＧ及び第４副画素４９ＤＷを有する第２間引き画素としての画素４８ＤＢとが、Ｘ方向及びＹ方向に、交互に配置されている。ただし、画素４８ＤＡ及び画素４８ＤＢの配列は、これに限られない。例えば、画素４８ＤＡ、画素４８ＤＢは、Ｘ方向にそれぞれ交互に配置されるが、画素４８ＤＡがＹ方向に連続して配置され、画素４８ＤＢがＹ方向に連続して配置されていてもよい。あるいは、画素４８ＤＡ、画素４８ＤＢは、Ｙ方向にそれぞれ交互に配置されるが、画素４８ＤＡがＸ方向に連続して配置され、画素４８ＤＢがＸ方向に連続して配置されていてもよい。いずれの画素４８ＤＡ及び画素４８ＤＢの配置であっても、Ｘ方向に２つの画素及びＹ方向に２つの画素における、第３副画素４９ＤＢの数と第４副画素４９ＤＷの数とが同じになり、第３色を第４色で置き換えても色のバランスをとることができる。他の画素配置としても画素４８ＤＡ及び画素４８ＤＢの配置が、Ｘ方向に４つの画素及びＹ方向に４つの画素における、第３副画素４９ＤＢの数と第４副画素４９ＤＷの数とを同じにする配置であれば、第３色を第４色で置き換えても色のバランスをとることができる。
【０１９１】
図２９に示すように、画素４８ＤＡは、第１ポートレートモードにおいて、Ｘ方向に沿った第１行に、第２副画素４９ＤＧと、第２副画素４９ＤＧの第１方向Ｆ１側に第２副画素４９ＤＧと隣接する第１副画素４９ＤＲとが配列している。また、画素４８ＤＡは、第１ポートレートモードにおいて、第１行と第３方向Ｆ３に隣接する第２行に、第２副画素４９ＤＧ及び第１副画素４９ＤＲの第３方向Ｆ３に隣接する第３副画素４９ＤＢが配置されている。また、画素４８ＤＢは、第１ポートレートモードにおいて、Ｘ方向に沿った第１行に、第２副画素４９ＤＧと、第２副画素４９ＤＧの第１方向Ｆ１側に第２副画素４９ＤＧと隣接する第１副画素４９ＤＲとが配列している。また、画素４８ＤＢは、第１ポートレートモードにおいて、第１行と第３方向Ｆ３に隣接する第２行に、第２副画素４９ＤＧ及び第１副画素４９ＤＲの第３方向Ｆ３に隣接する第４副画素４９ＤＷが配置されている。
【０１９２】
図３０に示すように、画素４８ＤＡは、第１ランドスケープモードにおいて、Ｙ方向に沿った第１列に、第１副画素４９ＤＲと、第１副画素４９ＤＲの第３方向Ｆ３側に第１副画素４９ＤＲと隣接する第２副画素４９ＤＧとを有する。また、画素４８ＤＡは、第１ランドスケープモードにおいて、第１列と第１方向Ｆ１に隣接する第２列に、第１副画素４９ＤＲ及び第２副画素４９ＤＧの第１方向Ｆ１側に隣接する第３副画素４９ＤＢを有する。画素４８ＤＢは、第１ランドスケープモードにおいて、Ｙ方向に沿った第１列に、第１副画素４９ＤＲと、第１副画素４９ＤＲの第３方向Ｆ３側に第１副画素４９ＤＲと隣接する第２副画素４９ＤＧとを有する。また、画素４８ＤＢは、第１ランドスケープモードにおいて、第１列と第１方向Ｆ１に隣接する第２列に、第１副画素４９ＤＲ及び第２副画素４９ＤＧの第１方向Ｆ１側に隣接する第４副画素４９ＤＷを有する。
【０１９３】
このように、変形例に係るＸ方向及びＹ方向における副画素配列は、表示モードによって変化する。変形例に係る画素４８ＤＡ、画素４８ＤＢは、表示モードによらず、次のように副画素４９Ｄが配置されているということができる。すなわち、第１画素としての画素４８ＤＡは、所定方向に沿った第１配列に、第１副画素４９ＤＲと第２副画素４９ＤＧとが、所定方向に沿って隣接して配置されており、所定方向に交差する方向である交差方向に第１配列と隣接する第２配列に、第１副画素４９ＤＲ及び第２副画素４９ＤＧと交差方向に隣接する第３副画素４９ＤＢが配列されている。そして、第２画素としての画素４８ＤＢは、所定方向に沿った第１配列に、第１副画素４９ＤＲと第２副画素４９ＤＧとが、所定方向に沿って隣接して配置されており、第１配列と交差方向に隣接する第２配列に、第１副画素４９ＤＲ及び第２副画素４９ＤＧと交差方向に隣接する第４副画素４９ＤＷが配列されている。
【０１９４】
変形例において、第１配列パターンにおける副画素４９の配列は、第１副画素４９ＤＲの処理方向（ここでは第１方向Ｆ１）側に、同一画素４８に属する第２副画素４９ＤＧ若しくは第３副画素４９ＤＢが隣接する配列、又は、第２副画素４９ＤＧの処理方向（ここでは第１方向Ｆ１）側に、同一画素４８に属する第３副画素４９ＤＢが隣接する配列である。また、変形例において、第２配列パターンにおける副画素４９の配列は、第２副画素４９ＤＧの処理方向（ここでは第１方向Ｆ１）側に、同一画素４８に属する第１副画素４９ＤＲが隣接する配列、又は、第３副画素４９ＤＢの処理方向（ここでは第１方向Ｆ１）側に、同一画素４８に属する第２副画素４９ＤＧ若しくは第１副画素４９ＤＲが隣接する配列である。従って、変形例においては、第１ランドスケープモード及び第２ポートレートモードは、第１配列パターンであり、第１ポートレートモード及び第２ランドスケープモードは、第２配列パターンである。なお、第１配列パターン及び第２配列パターンと、表示モードとの関係は、副画素配列の設計に応じて異なり、上述の変形例での関係に限られない。
【０１９５】
変形例に係る信号処理部２０の処理は、第１実施形態に係る信号処理部２０と同様である。ただし、変形例に係る信号処理部２０は、出力信号生成部８８において、画素４８ＤＡの第４副画素４９ＤＷの出力信号と、処理方向と直交する直交方向（ここではＹ方向）に自身の画素４８ＤＡと隣接する画素４８ＤＢの第４副画素４９ＤＷの出力信号とを平均化処理して、画素４８ＤＡの第４副画素４９ＤＷの補正出力信号を生成してもよい。この場合、出力信号生成部８８は、この補正出力信号を、画素４８ＤＡの第４副画素４９ＤＷの出力信号として、画像表示パネル駆動部３０に出力する。また、出力信号生成部８８は、画素４８ＤＢの第３副画素４９ＤＢの出力信号と、処理方向と直交する直交方向（ここではＹ方向）に自身の画素４８ＤＢと隣接する画素４８ＤＡの第３副画素４９ＤＢの出力信号とを平均化処理して、画素４８ＤＢの第３副画素４９ＤＢの補正出力信号を生成してもよい。この場合、出力信号生成部８８は、この補正出力信号を、画素４８ＤＢの第３副画素４９ＤＢの出力信号として、画像表示パネル駆動部３０に出力する。
【０１９６】
次に、変形例に係る表示装置１０Ｄにレンダリング処理を行った場合の副画素の表示例について説明する。図３１は、比較例２に係るレンダリング処理を行った場合の各副画素の出力信号を示す模式図である。比較例２に係る表示装置１０ＺＡは、変形例に係る表示装置１０Ｄと副画素の配列が同じであり、表示モード（ランドスケープモード、ポートレートモード）の切り替えが可能である。図３１に示すように、比較例２に係る画像表示パネル４０ＺＡは、第１方向Ｆ１に沿って配列している画素４８ＺＡ（ａ，ｂ）と、画素４８ＺＡ（ａ＋１，ｂ）と、画素４８ＺＡ（ａ＋２，ｂ）と、画素４８ＺＡ（ａ＋３，ｂ）と、画素４８ＺＡ（ａ＋４，ｂ）とを有する。図３１は、第１ポートレートモードでの副画素配列を示している。
【０１９７】
比較例２に係る表示装置１０ＺＡは、どの表示モードにおいても、ＲＧＢレンダリングを実行する。図３１の例では、比較例２に係る表示装置１０ＺＡは、第１ポートレートモードにおいてＲＧＢレンダリングを実行しており、図１３と同じレンダリング入力信号を生成している。図３１に示すように、比較例２に係る画素４８ＺＡ（ａ，ｂ）の第１副画素４９ＺＡＲ、第２副画素４９ＺＡＧ及び第４副画素４９ＺＡＷの出力信号値は、１８０となる。また、画素４８ＺＡ（ａ＋１，ｂ）は、第１副画素４９ＺＡＲの出力信号値が２３０であり、第２副画素４９ＺＡＧの出力信号値が１８０であり、第３副画素４９ＺＡＢの出力信号値は、１１０である。画素４８ＺＡ（ａ＋２，ｂ）の第１副画素４９ＺＡＲ、第２副画素４９ＺＡＧ及び第４副画素４９ＺＡＷの出力信号値の出力信号は、７０となる。また、画素４８ＺＡ（ａ＋３，ｂ）は、第１副画素４９ＺＡＲの出力信号値が１１０であり、第２副画素４９ＺＡＧの出力信号値が１８０であり、第３副画素４９ＺＡＢの出力信号値が、２３０である。画素４８ＺＡ（ａ＋４，ｂ）は、第１副画素４９ＺＡＲ、第２副画素４９ＺＡＧ及び第４副画素４９ＺＡＷの出力信号値が、１８０となる。
【０１９８】
図３２は、変形例に係るレンダリング処理を行った場合の各副画素の出力信号を示す模式図である。図３２は、図３１と同様の第１ポートレートモードである場合に、変形例に係るレンダリング処理を行って、出力信号を表示した例を示している。上述のように、第１ポートレートモードである場合、変形例に係る信号処理部２０は、ＢＧＲレンダリングを実行する。図３２に示すように、画素４８Ｄ（ａ，ｂ）、画素４８Ｄ（ａ＋２，ｂ）、画素４８Ｄ（ａ＋４，ｂ）の各副画素の出力信号は、図３１に示す比較例２と同じ値となる。画素４８Ｄ（ａ＋１，ｂ）は、第１副画素４９ＤＲの出力信号値が１１０であり、第２副画素４９ＤＧの出力信号値が１８０であり、第３副画素４９ＤＢの出力信号値が２３０である。そして、画素４８Ｄ（ａ＋３，ｂ）は、第１副画素４９ＤＲの出力信号値が２３０であり、第２副画素４９ＤＧの出力信号値が１８０であり、第３副画素４９ＤＢの出力信号値が１１０である。
【０１９９】
比較例２に係る画素４８ＺＡ（ａ＋３，ｂ）における第３副画素４９ＺＡＢの出力信号値は、第２方向Ｆ２に隣接する画素４８ＺＡ（ａ＋２，ｂ）における第４副画素４９ＺＡＷ、及び第１方向Ｆ１に隣接する画素４８ＺＡ（ａ＋４，ｂ）における第４副画素４９ＺＡＷの出力信号値よりも大きい。一方、変形例に係る画素４８Ｄ（ａ＋３，ｂ）における第３副画素４９ＤＢの出力信号値は、第２方向Ｆ２に隣接する画素４８Ｄ（ａ＋２，ｂ）における第４副画素４９ＤＷよりも大きく、第１方向Ｆ１に隣接する画素４８Ｄ（ａ＋４，ｂ）における第４副画素４９ＤＷの出力信号値よりも小さい。従って、変形例に係る表示装置１０Ｄは、第１方向Ｆ１に沿った副画素の出力信号の変化を、比較例２に係る表示装置１０ＺＡよりもより適切に行うことができるため、画像をより滑らかに表示することができ、視認性を向上させることができる。また、一般的に、第１色の第１副画素４９ＤＲは、第３色の第３副画素４９ＤＢよりも、出力信号値が同じだけ上昇した場合においても、第３色の第３副画素４９ＤＢよりも視認される輝度が高くなる。変形例に係る表示装置１０Ｄは、画素４８Ｄ（ａ＋３，ｂ）における第３副画素４９ＤＢよりも第１副画素４９ＤＲの出力信号が大きくなるため、画素４８Ｄ（ａ＋３，ｂ）における輝度が上昇し、表示をより滑らかにすることができる。
【０２００】
また、次に、第１ランドスケープモードにおける表示例について説明する。図３３は、比較例３に係るレンダリング処理を行った場合の各副画素の出力信号を示す模式図である。図３３は、比較例３に係る表示装置１０ＺＢの第１ランドスケープモードにおける出力信号を示している。
【０２０１】
比較例３に係る表示装置１０ＺＢは、どの表示モードでも、ＢＧＲレンダリングを実行する。図３３の例では、比較例３に係る表示装置１０ＺＢは、第１ランドスケープモードにおいてＢＧＲレンダリングを実行しており、図１４と同じレンダリング入力信号を生成している。図３３に示すように、画素４８ＺＢ（ａ，ｂ）、画素４８ＺＢ（ａ＋２，ｂ）、画素４８ＺＢ（ａ＋４，ｂ）の各副画素の出力信号は、図３１に示す比較例２と同じ値となる。画素４８ＺＢ（ａ＋１，ｂ）は、第１副画素４９ＺＢＲの出力信号値が１１０であり、第２副画素４９ＺＢＧの出力信号値が１８０であり、第３副画素４９ＺＢＢの出力信号値が２３０である。そして、画素４８ＺＢ（ａ＋３，ｂ）は、第１副画素４９ＺＢＲの出力信号値が２３０であり、第２副画素４９ＺＢＧの出力信号値が１８０であり、第３副画素４９ＺＢＢの出力信号値が１１０である。画素４８ＺＢ（ａ＋３，ｂ）の第３副画素４９ＺＢＢは、Ｘ方向に沿って両側に隣接する副画素よりも、出力信号値が小さい。そのため、比較例３に係る画像表示パネル４０ＺＢは、画素４８ＺＢ（ａ＋３，ｂ）の第３副画素４９ＺＢＢが配置されるラインＬ７が、周りよりも暗くなり、暗い箇所として観察者に認識され、画像の劣化が認識されるおそれがある。
【０２０２】
図３４は、変形例に係るレンダリング処理を行った場合の各副画素の出力信号を示す模式図である。図３４は、図３３と同様の第１ランドスケープモードである場合に、変形例に係るレンダリング処理を行って、出力信号を表示した例を示している。上述のように、第１ランドスケープモードである場合、変形例に係る信号処理部２０は、ＲＧＢレンダリングを実行する。図３４に示すように、画素４８Ｄ（ａ，ｂ）、画素４８Ｄ（ａ＋２，ｂ）、画素４８Ｄ（ａ＋４，ｂ）の各副画素の出力信号は、図３１に示す比較例２と同じ値となる。一方、画素４８Ｄ（ａ＋１，ｂ）は、第１副画素４９ＤＲの出力信号値が２３０であり、第２副画素４９ＤＧの出力信号値が１８０であり、第３副画素４９ＤＢの出力信号値が１１０である。そして、画素４８Ｄ（ａ＋３，ｂ）は、第１副画素４９ＤＲの出力信号値が１１０であり、第２副画素４９ＤＧの出力信号値が１８０であり、第３副画素４９ＤＢの出力信号値が２３０である。画素４８Ｄ（ａ＋３，ｂ）の第３副画素４９ＤＢは、Ｘ方向に沿って両側に隣接する副画素よりも、出力信号値が小さくなることが抑制されている。そのため、変形例に係る画像表示パネル４０Ｄは、画素４８Ｄ（ａ＋３，ｂ）の第３副画素４９ＤＢが配置されるラインＬ８が、周りよりも暗くなることが抑制されるため、画像の劣化が抑制される。
【０２０３】
以上説明したように、変形例に係る表示装置１０Ｄは、第１副画素、第２副画素及び第３副画素を有する第１間引き画素と、前記第１副画素、前記第２副画素及び第４副画素を有する第２間引き画素とが、第１辺及び前記第１辺に交差する第２辺を有する四角形状の表示領域に行列状に複数配列される画像表示パネルを有する。第１間引き画素は、所定方向に沿った第１配列に、前記第１副画素と前記第２副画素とが、前記所定方向に沿って隣接して配置されており、前記所定方向に交差する方向である交差方向において第１配列と隣接する第２配列に、前記第１副画素及び前記第２副画素と前記交差方向に隣接する第３副画素が配置されている。第２間引き画素は、前記所定方向に沿った第１配列に、第１副画素と第２副画素とが、前記所定方向に沿って隣接して配置されており、前記交差方向において前記第１配列と隣接する第２配列に、第１副画素及び第２副画素と前記交差方向に隣接する第４副画素が配置されている。また、この画像表示パネルは、前記第１辺に沿った方向を表示画像の所定の一方向とするポートレートモード、又は前記第２辺に沿った方向を表示画像の前記一方向とするランドスケープモードの画像情報が入力される。また、表示装置１０Ｄは、第１副画素、第２副画素及び第３副画素への入力信号の入力値から出力信号を生成し、生成した出力信号を画像表示パネルに出力する信号処理部を有する。また、信号処理部は、第１間引き画素及び第２間引き画素のうちの前記第１画素と、前記第１画素と所定の処理方向側に隣接する第２画素と、前記第２画素と前記処理方向側に隣接する第３画素とにおいて、前記第１画素における各副画素の入力信号値と、前記第３画素における各副画素の入力信号値との差が所定の閾値以上である場合に、前記第２画素の各副画素の入力信号値を変化させるサブピクセルレンダリング処理を行うことを決定するレンダリング箇所決定部を有する。また、信号処理部は、前記ポートレートモード、又は前記ランドスケープモードのいずれかの表示モードの前記処理方向における前記副画素の配列を、前記副画素の配列が異なる第１配列パターン又は第２配列パターンとしてパターン情報を取得するパターン情報取得部を有する。また、信号処理部は、前記レンダリング箇所決定部の決定、及び前記パターン情報に基づき、前記第２画素の各副画素の入力信号に対し、前記サブピクセルレンダリング処理のうち、各副画素の入力信号の信号値の変化が異なる第１サブピクセルレンダリング処理又は前記第２サブピクセルレンダリング処理を行って、前記第２画素の各副画素のレンダリング入力信号を生成するレンダリング部を有する。ここで、処理方向は、前記表示モードが前記ポートレートモードである場合に、前記画像表示パネルの前記第１辺に沿う方向であり、前記表示モードが前記ランドスケープモードである場合に、前記画像表示パネルの前記第２辺に沿う方向である。
【０２０４】
また、表示装置１０Ｄにおいて、前記第１サブピクセルレンダリング処理は、前記第２画素における第１副画素の入力信号値を、前記第１画素入力信号値と前記第３画素入力信号値との間の信号値とし、前記第２画素における第２副画素の入力信号値を、前記第２画素における第１副画素の入力信号値と、前記第３画素入力信号値との間の値にし、前記第２画素における第３副画素の入力信号値を、前記第２画素における第２副画素の入力信号値と、前記第３画素入力信号値との間の値にする処理であって、前記第２サブピクセルレンダリング処理は、前記第２画素における第１副画素の入力信号値を、前記第１画素入力信号値と前記第３画素入力信号値との間の信号値とし、前記第２画素における第２副画素の入力信号値を、前記第２画素における第１副画素の入力信号値と、前記第１画素入力信号値との間の値にし、前記第２画素における第３副画素の入力信号値を、前記第２画素における第２副画素の入力信号値と、前記第１画素入力信号値との間の値にする処理であることが好ましい。
【０２０５】
また、表示装置１０Ｄにおいて、前記第１配列パターンである場合、前記第２画素における第１副画素の前記処理方向側に、前記第２画素における第２副画素が隣接し、又は、前記第２画素における第２副画素の前記処理方向側に、前記第２画素における第３副画素が隣接し、前記第２配列パターンである場合、前記第２画素における第２副画素の前記処理方向側に、前記第２画素における第１副画素が隣接し、又は、前記第２画素における第３副画素の前記処理方向側に、前記第２画素における第２副画素が隣接し、前記レンダリング部は、前記第１配列パターンである場合に、前記第１サブピクセルレンダリング処理を行うことを決定し、前記第２配列パターンである場合に、前記第２サブピクセルレンダリング処理を行うことを決定することが好ましい。
【０２０６】
また、表示装置１０Ｄにおいて、前記第１画素入力信号値が前記第３画素入力信号値よりも大きい場合、前記第１サブピクセルレンダリング処理は、前記第２画素における第１副画素、第２副画素、第３副画素の入力信号値のうち、前記第１副画素の入力信号値を最大にし、前記第３副画素の入力信号値を最小にする処理であり、前記第２サブピクセルレンダリング処理は、前記第２画素における第１副画素、第２副画素、第３副画素の入力信号値のうち、前記第３副画素の入力信号値を最大にし、前記第１副画素の入力信号値を最小にする処理であることが好ましい。
【０２０７】
また、表示装置１０Ｄにおいて、前記信号処理部は、前記レンダリング入力信号に基づいて前記第２画素における第１副画素、第２副画素、第３副画素及び第４副画素の出力信号を生成する出力処理部を有し、前記出力処理部は、前記画像表示パネルに関する伸長係数を決定し、前記第２画素における第４副画素の出力信号を、前記第２画素における第１副画素、第２副画素及び第３副画素のレンダリング入力信号と、前記伸長係数とに基づいて求め、前記第２画素における第１副画素の出力信号を、前記第２画素における第１副画素のレンダリング入力信号と、前記第２画素における第４副画素の出力信号と、前記伸長係数とに基づいて求め、前記第２画素における第２副画素の出力信号を、前記第２画素における第２副画素のレンダリング入力信号と、前記第２画素における第４副画素の出力信号と、前記伸長係数とに基づいて求め、前記第２画素における第３副画素の出力信号を、前記第２画素における第３副画素のレンダリング入力信号と、前記第２画素における第４副画素の出力信号と、前記伸長係数とに基づいて求めることが好ましい。
【０２０８】
さらに、変形例に係る表示装置１０Ｄの画素配列は、第２実施形態にも適用が可能である。変形例に係る表示装置１０Ｄは、第１副画素、第２副画素及び第３副画素を有する第１間引き画素と、前記第１副画素、前記第２副画素及び第４副画素を有する第２間引き画素とが、第１辺及び前記第１辺に交差する第２辺を有する四角形状の表示領域に行列状に複数配列される画像表示パネルを有する。第１間引き画素は、所定方向に沿った第１配列に、前記第１副画素と前記第２副画素とが、前記所定方向に沿って隣接して配置されており、前記所定方向に交差する方向である交差方向において第１配列と隣接する第２配列に、前記第１副画素及び前記第２副画素と前記交差方向に隣接する第３副画素が配置されている。第２間引き画素は、前記所定方向に沿った第１配列に、第１副画素と第２副画素とが、前記所定方向に沿って隣接して配置されており、前記交差方向において前記第１配列と隣接する第２配列に、第１副画素及び第２副画素と前記交差方向に隣接する第４副画素が配置されている。また、この画像表示パネルは、前記第１辺に沿った方向を表示画像の所定の一方向とするポートレートモード、又は前記第２辺に沿った方向を表示画像の前記一方向とするランドスケープモードの画像情報が入力される。また、表示装置１０Ｄは、第１副画素、第２副画素及び第３副画素への入力信号の入力値から出力信号を生成し、生成した出力信号を画像表示パネルに出力する信号処理部を有する。信号処理部は、複数配列される前記画素のうちの第１画素と、前記第１画素と所定の処理方向側に隣接する第２画素と、前記第２画素と前記処理方向側に隣接する第３画素とにおいて、前記第１画素における各副画素の入力信号値と、前記第３画素における各副画素の入力信号値との差が所定の閾値以上である場合に、前記第２画素の各副画素の入力信号の信号値を変化させる所定のサブピクセルレンダリング処理を行って、レンダリング入力信号を生成するレンダリング部を有する。また、信号処理部は、前記ポートレートモード、又は前記ランドスケープモードのいずれかの表示モードの前記処理方向における前記副画素の配列を、前記副画素の配列が異なる第１配列パターン又は第２配列パターンのパターン情報として取得するパターン情報取得部を有する。また、信号処理部は、前記パターン情報に基づき、前記第２画素における前記第４副画素の出力信号を補正処理により生成するかを決定する補正処理決定部と、前記補正処理決定部の決定に基づき、前記第２画素における第４副画素の生成信号を、前記第２画素における第１副画素、第２副画素及び第３副画素のレンダリング入力信号と、前記画像表示パネルに関する伸長係数とに基づいて求める第４副画素生成信号部とを有する。また、信号処理部は、前記第２画素における第４副画素の生成信号と、他の副画素の入力信号とに基づいて平均化処理を行うことで、前記補正処理を行い、前記第２画素における第４副画素の出力信号を生成する第４副画素出力信号生成部を有する。また、信号処理部は、前記第２画素における第１副画素の出力信号を、前記第２画素における第１副画素のレンダリング入力信号と、前記第２画素における第４副画素の出力信号と、前記伸長係数とに基づいて求め、前記第２画素における第２副画素の出力信号を、前記第２画素における第２副画素のレンダリング入力信号と、前記第２画素における第４副画素の出力信号と、前記伸長係数とに基づいて求め、前記第２画素における第３副画素の出力信号を、前記第２画素における第３副画素のレンダリング入力信号と、前記第２画素における第４副画素の出力信号と、前記伸長係数とに基づいて求める出力信号生成部と、を有する。ここで、前記処理方向は、前記表示モードが前記ポートレートモードである場合に、前記画像表示パネルの前記第１辺に沿う方向であり、前記表示モードが前記ランドスケープモードである場合に、前記画像表示パネルの前記第２辺に沿う方向である。
【０２０９】
また、前記表示装置１０Ｄにおいて、前記サブピクセルレンダリング処理は、前記第２画素における第１副画素、第２副画素、及び第３副画素の入力信号値を、前記第１画素入力信号値と前記第３画素入力信号値との間の値とし、かつ、前記第２画素における第２副画素の入力信号値を、前記第２画素における第１副画素の入力信号値と、前記第２画素における第３副画素の入力信号値との間の値とする処理であることが好ましい。
【０２１０】
また、前記表示装置１０Ｄにおいて、前記サブピクセルレンダリング処理は、前記第２画素における第２副画素の入力信号値を、前記第２画素における第１副画素の入力信号値と、前記第３画素入力信号値との間の値にし、前記第２画素における第３副画素の入力信号値を、前記第２画素における第２副画素の入力信号値と、前記第３画素入力信号値との間の値にする処理であることが好ましい。
【０２１１】
また、前記表示装置１０Ｄにおいて、前記第２配列パターンである場合、前記第２画素における第２副画素の前記処理方向側に、前記第２画素における第１副画素が隣接し、又は、前記第２画素における第３副画素の前記処理方向側に、前記第２画素における第２副画素が隣接し、前記補正処理決定部は、前記第２配列パターンである場合に、前記第２画素における前記第４副画素の出力信号を補正処理により生成することを決定することが好ましい。
【０２１２】
また、前記表示装置１０Ｄにおいて、前記サブピクセルレンダリング処理は、前記第２画素における第２副画素の入力信号値を、前記第２画素における第１副画素の入力信号値と、前記第１画素入力信号値との間の値にし、前記第２画素における第３副画素の入力信号値を、前記第２画素における第２副画素の入力信号値と、前記第１画素入力信号値との間の値にする処理であることが好ましい。
【０２１３】
また、前記表示装置１０Ｄにおいて、前記第１配列パターンである場合、前記第２画素における第１副画素の前記処理方向側に、前記第２画素における第２副画素が隣接し、又は、前記第２画素における第２副画素の前記処理方向側に、前記第２画素における第３副画素が隣接し、前記補正処理決定部は、前記第１配列パターンである場合に、前記第２画素における前記第４副画素の出力信号を補正処理により生成することを決定することが好ましい。
【０２１４】
また、前記表示装置１０Ｄにおいて、前記補正処理決定部は、さらに、前記第２画素における第１副画素、第２副画素、第３副画素のレンダリング入力信号値の大小関係に基づき、前記第２画素に前記補正処理を行うことを決定することが好ましい。
【０２１５】
また、前記表示装置１０Ｄにおいて、前記第４副画素出力信号生成部は、前記第２画素における前記第１副画素の入力信号、前記第２副画素の入力信号、又は前記第３副画素の入力信号と、前記第２画素における第４副画素の生成信号と、に基づき、前記第２画素における第４副画素の出力信号を生成することが好ましい。
【０２１６】
また、前記表示装置１０Ｄにおいて、前記第４副画素出力信号生成部は、前記第２画素における前記第１副画素のレンダリング入力信号、前記第２副画素のレンダリング入力信号、及び前記第３副画素のレンダリング入力信号のうち最大値と、前記第２画素における前記第４副画素の生成信号値とを平均することにより、前記第２画素における第４副画素の出力信号を生成することが好ましい。
【０２１７】
また、前記表示装置１０Ｄにおいて、前記第４副画素出力信号生成部は、前記第２画素における第４副画素の生成信号と、前記第２画素と隣接する画素における第４副画素の出力信号とに基づき、前記第２画素における第４副画素の出力信号を生成することが好ましい。
【０２１８】
さらに、変形例に係る表示装置１０Ｄの画素配列は、第３実施形態にも適用が可能である。変形例に係る表示装置１０Ｄは、第１副画素、第２副画素及び第３副画素を有する第１間引き画素と、前記第１副画素、前記第２副画素及び第４副画素を有する第２間引き画素とが、第１辺及び前記第１辺に交差する第２辺を有する四角形状の表示領域に行列状に複数配列される画像表示パネルを有する。第１間引き画素は、所定方向に沿った第１配列に、前記第１副画素と前記第２副画素とが、前記所定方向に沿って隣接して配置されており、前記所定方向に交差する方向である交差方向において第１配列と隣接する第２配列に、前記第１副画素及び前記第２副画素と前記交差方向に隣接する第３副画素が配置されている。第２間引き画素は、前記所定方向に沿った第１配列に、第１副画素と第２副画素とが、前記所定方向に沿って隣接して配置されており、前記交差方向において前記第１配列と隣接する第２配列に、第１副画素及び第２副画素と前記交差方向に隣接する第４副画素が配置されている。また、この画像表示パネルは、前記第１辺に沿った方向を表示画像の所定の一方向とするポートレートモード、又は前記第２辺に沿った方向を表示画像の前記一方向とするランドスケープモードの画像情報が入力される。表示装置１０Ｄは、前記第１副画素、第２副画素及び第３副画素への入力信号の入力値から出力信号を生成し、生成した出力信号を前記画像表示パネルに出力する信号処理部を有する。信号処理部は、複数配列される前記画素のうちの第１画素と、前記第１画素と所定の処理方向側に隣接する第２画素と、前記第２画素と前記処理方向側に隣接する第３画素とにおいて、前記第１画素における各副画素の入力信号値と、前記第３画素における各副画素の入力信号値との差が所定の閾値以上である場合に、前記第２画素の各副画素の入力信号の信号値を変化させる所定のサブピクセルレンダリング処理を行って、レンダリング入力信号を生成するレンダリング部を有する。また、信号処理部は、前記各画素における前記各副画素の入力信号値及びレンダリング入力信号値に基づき、第１副画素、第２副画素、第３副画素、及び第４副画素の生成信号を生成する副画素生成信号部を有する。また、信号処理部は、前記第２画素における第４副画素に、前記処理方向と直交する方向である直交方向に隣接する前記第２画素の副画素である隣接副画素の生成信号値と、前記隣接副画素又は前記第２画素における第４副画素に、前記処理方向、又は前記処理方向と反対方向である反対側方向に隣接する複数の副画素である両側副画素の生成信号値と、に基づいて、前記第２画素における前記第４副画素の出力信号を補正処理により生成するか決定する補正処理決定部を有する。また、信号処理部は、前記補正処理決定部の決定に基づき、前記第２画素における第４副画素の生成信号と、他の副画素の入力信号とに基づいて平均化処理を行うことで前記補正処理を行い、前記第２画素における第４副画素の出力信号を生成する第４副画素出力信号生成部を有する。また、信号処理部は、前記第２画素における第１副画素の出力信号を、前記第２画素における第１副画素のレンダリング入力信号と、前記第２画素における第４副画素の出力信号と、前記伸長係数とに基づいて求め、前記第２画素における第２副画素の出力信号を、前記第２画素における第２副画素のレンダリング入力信号と、前記第２画素における第４副画素の出力信号と、前記伸長係数とに基づいて求め、前記第２画素における第３副画素の出力信号を、前記第２画素における第３副画素のレンダリング入力信号と、前記第２画素における第４副画素の出力信号と、前記伸長係数とに基づいて求める出力信号生成部を有する。そして、前記処理方向は、前記画像情報が前記ポートレートモードに対応する場合に、前記画像表示パネルの前記第１辺に沿う方向であり、前記画像情報が前記ランドスケープモードに対応する場合に、前記画像表示パネルの前記第２辺に沿う方向である。
【０２１９】
また、前記表示装置１０Ｄにおいて、前記補正処理決定部は、前記隣接副画素の生成信号値が、前記両側副画素の生成信号値よりも小さく、かつ、前記隣接副画素の生成信号値と前記両側副画素の生成信号値との差が、所定の値以上である場合に、前記第２画素における前記第４副画素の出力信号を、前記第２画素における第４副画素の生成信号に基づいて生成するかを決定することが好ましい。
【０２２０】
また、前記表示装置１０Ｄにおいて、前記サブピクセルレンダリング処理は、前記第２画素における第１副画素、第２副画素、及び第３副画素の入力信号値を、前記第１画素入力信号値と前記第３画素入力信号値との間の値とし、かつ、前記第２画素における第２副画素の入力信号値を、前記第２画素における第１副画素の入力信号値と、前記第２画素における第３副画素の入力信号値との間の値とする処理であることが好ましい。
【０２２１】
また、前記表示装置１０Ｄにおいて、前記サブピクセルレンダリング処理は、前記第２画素における第２副画素の入力信号値を、前記第２画素における第１副画素の入力信号値と、前記第３画素入力信号値との間の値にし、前記第２画素における第３副画素の入力信号値を、前記第２画素における第２副画素の入力信号値と、前記第３画素入力信号値との間の値にする処理であることが好ましい。
【０２２２】
また、前記表示装置１０Ｄにおいて、前記サブピクセルレンダリング処理は、前記第２画素における第２副画素の入力信号値を、前記第２画素における第１副画素の入力信号値と、前記第１画素入力信号値との間の値にし、前記第２画素における第３副画素の入力信号値を、前記第２画素における第２副画素の入力信号値と、前記第１画素入力信号値との間の値にする処理であることが好ましい。
【０２２３】
また、前記表示装置１０Ｄにおいて、前記第４副画素出力信号生成部は、前記第２画素における前記第１副画素の入力信号、前記第２副画素の入力信号、又は前記第３副画素の入力信号と、前記第２画素における第４副画素の生成信号と、に基づき、前記第２画素における第４副画素の出力信号を生成することが好ましい。
【０２２４】
また、前記表示装置１０Ｄにおいて、前記第４副画素出力信号生成部は、前記第２画素における前記第１副画素のレンダリング入力信号、前記第２副画素のレンダリング入力信号、及び前記第３副画素のレンダリング入力信号のうちの最大値と、前記第２画素における前記第４副画素の生成信号値とを平均することにより、前記第２画素における第４副画素の出力信号を生成することが好ましい。
【０２２５】
また、前記表示装置１０Ｄにおいて、前記第４副画素出力信号生成部は、前記第２画素における第４副画素の生成信号と、前記第２画素と隣接する画素における第４副画素の出力信号とに基づき、前記第２画素における第４副画素の出力信号を生成することが好ましい。
【０２２６】
（適用例）
次に、図３５を参照して、第１実施形態で説明した表示装置１０の適用例について説明する。図３５は、第１実施形態に係る表示装置を適用する電子機器の一例を示す図である。第１実施形態に係る表示装置１０は、図３５に示す携帯電話等の携帯端末装置あるいはビデオカメラなどのあらゆる分野の電子機器に適用することが可能である。言い換えると、第１実施形態に係る表示装置１０は、外部から入力された映像信号あるいは内部で生成した映像信号を、画像あるいは映像として表示するあらゆる分野の電子機器に適用することが可能である。電子機器は、表示装置に映像信号を供給し、表示装置の動作を制御する制御装置１１（図１参照）を備える。なお、本適用例は、第１実施形態に係る表示装置１０以外でも、以上説明した他の実施形態及び変形例に係る表示装置にも適用できる。
【０２２７】
図３５に示す電子機器は、第１実施形態に係る表示装置１０が適用される携帯型コンピュータ、多機能な携帯電話、音声通話可能な携帯コンピュータまたは通信可能な携帯コンピュータとして動作し、いわゆるスマートフォン、タブレット端末と呼ばれることもある、情報携帯端末である。この情報携帯端末は、例えば筐体５６２の表面に表示部５６１を有している。この表示部５６１は、第１実施形態に係る表示装置１０と外部近接物体を検出可能なタッチ検出（いわゆるタッチパネル）機能とを備えている。
【０２２８】
以上、本発明の実施形態を説明したが、これらの実施形態の内容によりこれらの実施形態が限定されるものではない。また、前述した構成要素には、当業者が容易に想定できるもの、実質的に同一のもの、いわゆる均等の範囲のものが含まれる。さらに、前述した構成要素は適宜組み合わせることが可能である。さらに、前述した実施形態の要旨を逸脱しない範囲で構成要素の種々の省略、置換又は変更を行うことができる。
【符号の説明】
【０２２９】
１０  表示装置
２０  信号処理部
２１  レンダリング箇所決定部
２２  パターン情報取得部
２４  レンダリング部
２６  出力処理部
３０  画像表示パネル駆動部
４０  画像表示パネル
４８  画素
４９Ｒ  第１副画素
４９Ｇ  第２副画素
４９Ｂ  第３副画素
４９Ｗ  第４副画素
５０  光源駆動部
６０  光源部
７２  レンダリング選択部
７４  レンダリング処理部
８２  α算出部
８８  出力信号生成部
【図１】
2016206243.tif 000003
【図２】
2016206243.tif 000004
【図３】
2016206243.tif 000005
【図４Ａ】
2016206243.tif 000006
【図４Ｂ】
2016206243.tif 000007
【図５】
2016206243.tif 000008
【図６】
2016206243.tif 000009
【図７】
2016206243.tif 000010
【図８】
2016206243.tif 000011
【図９】
2016206243.tif 000012
【図１０】
2016206243.tif 000013
【図１１】
2016206243.tif 000014
【図１２】
2016206243.tif 000015
【図１３】
2016206243.tif 000016
【図１４】
2016206243.tif 000017
【図１５】
2016206243.tif 000018
【図１６】
2016206243.tif 000019
【図１７】
2016206243.tif 000020
【図１８】
2016206243.tif 000021
【図１９】
2016206243.tif 000022
【図２０Ａ】
2016206243.tif 000023
【図２０Ｂ】
2016206243.tif 000024
【図２１】
2016206243.tif 000025
【図２２Ａ】
2016206243.tif 000026
【図２２Ｂ】
2016206243.tif 000027
【図２３Ａ】
2016206243.tif 000028
【図２３Ｂ】
2016206243.tif 000029
【図２４Ａ】
2016206243.tif 000030
【図２４Ｂ】
2016206243.tif 000031
【図２５】
2016206243.tif 000032
【図２６】
2016206243.tif 000033
【図２７】
2016206243.tif 000034
【図２８】
2016206243.tif 000035
【図２９】
2016206243.tif 000036
【図３０】
2016206243.tif 000037
【図３１】
2016206243.tif 000038
【図３２】
2016206243.tif 000039
【図３３】
2016206243.tif 000040
【図３４】
2016206243.tif 000041
【図３５】
2016206243.tif 000042